(57)【特許請求の範囲】
【請求項１】
無線通信システムにおいてＵＥ（User Equipment）がＣＳＩ（Channel State Information）−ＲＳ（Reference Signal）を受信する方法において、
複数のＳＳＢ（Synchronization Signal/Sequence Block）インデックスに基づいて、ＳＳＢを受信する段階と、
ＣＳＩ−ＲＳ設定情報を受信する段階と、
前記ＣＳＩ−ＲＳ設定情報及び前記ＳＳＢに基づいて、ＣＳＩ−ＲＳを受信する段階と、を含み、
前記ＣＳＩ−ＲＳ設定情報は、ｉ）複数のＣＳＩ−ＲＳリソースのための情報と、ｉｉ）前記複数のＣＳＩ−ＲＳリソースのそれぞれのためのＱＣＬ（Quasi Co-Located）情報とを含み、
ｉ）前記ＣＳＩ−ＲＳが前記複数のＣＳＩ−ＲＳリソースの中の特定のＣＳＩ−ＲＳリソースに関連することと、ｉｉ）前記特定のＣＳＩ−ＲＳリソースに関連する前記ＱＣＬ情報が前記複数のＳＳＢインデックスの中の特定のＳＳＢインデックスを示すこととに基づいて、前記ＣＳＩ−ＲＳは、空間受信パラメータに関して、前記特定のＳＳＢインデックスに基づくＳＳＢとＱＣＬ仮定される、方法。
【請求項２】
前記ＳＳＢは、ＰＳＳ（Primary synchronization signal/sequence）、ＳＳＳ（Secondary synchronization signal/sequence）又はＰＢＣＨ（Physical Broadcast Channel）の少なくとも一つを含む、請求項１に記載の方法。
【請求項３】
前記ＱＣＬ情報は、前記ＱＣＬ仮定が適用されるＱＣＬパラメータセットに対するＱＣＬタイプを含む、請求項１に記載の方法。
【請求項４】
前記ＣＳＩ−ＲＳ情報は、ＲＲＣ（Radio Resource Control）シグナリングを通じて受信される、請求項１に記載の方法。
【請求項５】
前記ＱＣＬタイプは、それぞれのＱＣＬタイプのための異なるＱＣＬパラメータセットを示すように定義される、請求項３に記載の方法。
【請求項６】
前記ＱＣＬパラメータセットは、遅延拡散、ドップラー拡散、ドップラーシフト、平均利得、平均遅延又は前記空間受信パラメータの少なくとも一つを含む、請求項５に記載の方法。
【請求項７】
前記空間受信パラメータは、受信ビーム方向パラメータ及び／又は受信ビーム幅関連パラメータを含む、請求項６に記載の方法。
【請求項８】
前記ＳＳＢとの前記ＱＣＬ仮定のための前記ＱＣＬタイプは、特定のＱＣＬタイプに基づく、請求項６に記載の方法。
【請求項９】
前記特定のＱＣＬタイプに関連するＱＣＬパラメータセットは、前記空間受信パラメータを含む、請求項８に記載の方法。
【請求項１０】
前記ＱＣＬ仮定が部分ＱＣＬ仮定に該当する場合、前記ＣＳＩ−ＲＳの前記ＱＣＬパラメータは、前記ＳＳＢから導出されたＱＣＬパラメータの部分集合に該当すると仮定される、請求項３に記載の方法。
【請求項１１】
前記ＣＳＩ−ＲＳは、周期的ＣＳＩ−ＲＳに基づく、請求項１に記載の方法。
【請求項１２】
前記ＣＳＩ−ＲＳは、ビーム運用の目的のために送信されるＣＳＩ−ＲＳである、請求項１に記載の方法。
【請求項１３】
無線通信システムにおいてＣＳＩ（Channel State Information）−ＲＳ（Reference Signal）を受信するＵＥ（User Equipment）において、
無線信号を送受信するＲＦ（Radio Frequency）ユニットと、
前記ＲＦユニットを制御するプロセッサと、を含み、
前記プロセッサは、
複数のＳＳＢ（Synchronization Signal/Sequence Block）インデックスに基づいて、ＳＳＢ（Synchronization Signal/Sequence Block）を受信し、
ＣＳＩ−ＲＳ設定情報を受信し、
前記ＣＳＩ−ＲＳ設定情報及び前記ＳＳＢに基づいて、ＣＳＩ−ＲＳを受信する、ように設定され、
前記ＣＳＩ−ＲＳ設定情報は、ｉ）複数のＣＳＩ−ＲＳリソースのための情報と、ｉｉ）前記複数のＣＳＩ−ＲＳリソースのそれぞれのためのＱＣＬ（Quasi Co-Located）情報とを含み、
ｉ）前記ＣＳＩ−ＲＳが前記複数のＣＳＩ−ＲＳリソースの中の特定のＣＳＩ−ＲＳリソースに関連することと、ｉｉ）前記特定のＣＳＩ−ＲＳリソースに関連する前記ＱＣＬ情報が前記複数のＳＳＢインデックスの中の特定のＳＳＢインデックスを示すこととに基づいて、前記ＣＳＩ−ＲＳは、空間受信パラメータに関して、前記特定のＳＳＢインデックスに基づくＳＳＢとＱＣＬ仮定される、ＵＥ。
【発明の詳細な説明】
【技術分野】
【０００１】
本発明は、無線通信システムに関し、より詳細には、ＱＣＬ仮定に基づいた端末の参照信号受信方法及びそのための装置に関する。
【背景技術】
【０００２】
移動通信システムは、ユーザの活動性を保証しながら音声サービスを提供するために開発された。しかしながら、移動通信システムは、音声だけでなくデータサービスまで領域を拡張し、現在では、爆発的なトラヒックの増加によって資源の不足現象が引き起こされ、ユーザがより高速のサービスを要求するので、より発展した移動通信システムが要求されている。
【０００３】
次世代移動通信システムの要求条件は、大きく爆発的なデータトラヒックの収容、ユーザ当たりの送信率の画期的な増加、大幅増加した接続デバイス数の収容、非常に低いエンドツーエンド遅延（Ｅｎｄ−ｔｏ−Ｅｎｄ  Ｌａｔｅｎｃｙ）、高エネルギー効率を支援できなければならない。このために、二重接続性（Ｄｕａｌ  Ｃｏｎｎｅｃｔｉｖｉｔｙ）、大規模多重入出力（Ｍａｓｓｉｖｅ  ＭＩＭＯ：Ｍａｓｓｉｖｅ  Ｍｕｌｔｉｐｌｅ  Ｉｎｐｕｔ  Ｍｕｌｔｉｐｌｅ  Ｏｕｔｐｕｔ）、全二重（Ｉｎ−ｂａｎｄ  Ｆｕｌｌ  Ｄｕｐｌｅｘ）、非直交多元接続（ＮＯＭＡ：Ｎｏｎ−Ｏｒｔｈｏｇｏｎａｌ  Ｍｕｌｔｉｐｌｅ  Ａｃｃｅｓｓ）、超広帯域（Ｓｕｐｅｒ  ｗｉｄｅｂａｎｄ）支援、端末ネットワーキング（Ｄｅｖｉｃｅ  Ｎｅｔｗｏｒｋｉｎｇ）等、多様な技術が研究されている。
【発明の概要】
【発明が解決しようとする課題】
【０００４】
本発明の目的は、無線通信システムにおいて、適切なＱＣＬ（Quasi-co-Location）仮定を通じて端末の参照信号受信性能を向上させることにある。
【０００５】
また、本発明の目的は、無線通信システムにおいて、ビーム運営（management）を目的としたＱＣＬ仮定動作を定義することにある。
【０００６】
本発明で達成しようとする技術的課題は以上で言及した技術的課題に制限されず、言及しない更に他の技術的課題は以下の記載から本発明が属する技術分野で通常の知識を有する者に明確に理解できるはずである。
【課題を解決するための手段】
【０００７】
本発明の一実施形態による無線通信システムでＵＥ（User Equipment）のＣＳＩ（Channel State Information）−ＲＳ（Reference Signal）受信方法において、ＳＳＢ（Synchronization Signal/Sequence Block）を受信する段階と、前記ＳＳＢと連携されたＣＳＩ−ＲＳを受信する段階とを含み、前記ＣＳＩ−ＲＳは、前記ＳＳＢとＱＣＬ（Quasi Co-Located）仮定されることができる。
【０００８】
また、前記ＳＳＢは、ＰＳＳ（Primary synchronization signal/sequence）、ＳＳＳ（Secondary synchronization signal/sequence）、及び／又はＰＢＣＨ（Physical Broadcast Channel）を含んでもよい。
【０００９】
さらに、前記ＵＥのＣＳＩ−ＲＳ受信方法は、前記ＣＳＩ−ＲＳと前記ＳＳＢとの間の前記ＱＣＬ仮定を指示するためのＱＣＬ情報を受信する段階をさらに含み、前記ＱＣＬ情報は、前記ＳＳＢのインデックス、及び前記ＱＣＬ仮定が適用されるＱＣＬパラメータセットに関するＱＣＬタイプを指示することができる。
【００１０】
さらに、前記ＱＣＬ情報は、ＲＲＣ（Radio Resource Control）シグナリングを通じて受信される。
【００１１】
さらに、前記ＱＣＬタイプは、前記ＱＣＬタイプ別に異なるＱＣＬパラメータセットを指示するように定義されることができる。
【００１２】
さらに、前記ＱＣＬパラメータセットは、遅延拡散、ドップラー拡散、ドップラーシフト、平均利得、平均遅延及び／又は空間（Spatial）受信パラメータを含んでもよい。
【００１３】
さらに、前記空間受信パラメータは、受信ビーム方向パラメータ及び／又は受信ビーム幅関連パラメータを含んでもよい。
【００１４】
さらに、前記ＳＳＢとの前記ＱＣＬ仮定のために指示される前記ＱＣＬタイプは、事前に特定ＱＣＬタイプに制限されることができる。
【００１５】
さらに、特定ＱＣＬタイプが指示するＱＣＬパラメータセットは、前記平均遅延、前記ドップラーシフト及び／又は前記空間受信パラメータを含んでもよい。
【００１６】
さらに、前記ＣＳＩ−ＲＳが複数のＣＳＩ−ＲＳ資源にマッピングされる場合、前記ＱＣＬ仮定の適用は、各ＣＳＩ−ＲＳ資源単位で選択的に指示されることができる。
【００１７】
さらに、前記適用の指示は、ＲＲＣシグナリングを通じて受信されることができる。
【００１８】
さらに、前記ＱＣＬ仮定が部分（partial）ＱＣＬ仮定に該当する場合、前記ＣＳＩ−ＲＳのＱＣＬパラメータは、前記ＳＳＢから導出されたＱＣＬパラメータの部分集合（sub-set）に該当すると仮定することができる。
【００１９】
さらに、前記ＣＳＩ−ＲＳは、周期的ＣＳＩ−ＲＳ又は非周期的ＣＳＩ−ＲＳに該当することができる。
【００２０】
さらに、前記ＣＳＩ−ＲＳは、ビーム運用（Beam management）を目的として送信されるＣＳＩ−ＲＳであってもよい。
【００２１】
さらに、本発明の他の実施形態による無線通信システムで ＣＳＩ（Channel State Information）−ＲＳ（Reference Signal）を受信するＵＥ（User Equipment）において、無線信号を送受信するためのＲＦ（Radio Frequency）ユニットと、前記ＲＦユニットを制御するプロセッサとを含み、前記プロセッサは、前記ＲＦユニットを制御してＳＳＢ（Synchronization Signal/Sequence Block）及び前記ＳＳＢに連携されたＣＳＩ−ＲＳを受信し、前記ＣＳＩ−ＲＳは前記ＳＳＢとＱＣＬ（Quasi Co-Located）仮定されることができる。
【発明の効果】
【００２２】
本発明の一実施形態によれば、新しいＱＣＬパラメータとして受信ビーム関連パラメータを定義することにより、端末のＲＳの空間の観点からの受信性能がさらに向上するという効果を有する。
【００２３】
さらに、本発明の一実施形態によれば、異なる種類のＲＳに対するＧＣＬ仮定が可能であるため、特定ＲＳの密度が増加することと同一の効果をもたらして該当ＲＳの受信性能を向上させることができるという効果を有する。
【００２４】
さらに、本発明の一実施形態によれば、ＱＣＬシグナリングを階層化したシグナリング方式で端末に指示するため、シグナリングオーバーヘッドを減らすことができるだけでなく、瞬時的な状況を考慮した半静的なＱＣＬ指示ができるという効果を有する。
【００２５】
さらに、本発明の実施形態によれば、ＳＳＢとのＱＣＬ仮定に基づいてＣＳＩ−ＲＳを受信するため、ＣＳＩ−ＲＳの受信性能が向上するという効果を有する。さらに、このようなＱＣＬ仮定をビーム運営目的のＣＳＩ−ＲＳ受信に用いる場合、ビーム運営目的のためのＱＣＬ仮定動作の支援が可能となり、より効率的なビーム運営が可能であるという効果を有する。
【００２６】
本発明で得ることができる効果は、以上で言及した効果に制限されず、言及しない更に他の効果は以下の記載から本発明が属する技術分野で通常の知識を有する者が明確に理解できるはずである。
【図面の簡単な説明】
【００２７】
本発明に関する理解を助けるために詳細な説明の一部として含まれる添付図面は、本発明に対する実施形態を提供し、詳細な説明と共に本発明の技術的特徴を説明する。
【図１】本発明が適用できる無線通信システムにおける無線フレームの構造を示す。
【図２】本発明が適用できる無線通信システムにおける１つのダウンリンクスロットに対する資源グリッド（resource grid）を例示した図である。
【図３】本発明が適用できる無線通信システムにおけるダウンリンクサブフレームの構造を示す。
【図４】本発明が適用できる無線通信システムにおけるアップリンクサブフレームの構造を示す。
【図５】本発明が適用できる自己完結型（self-contained）サブフレーム構造を例示する。
【図６】第１ＴＸＲＵ仮想化モデルのオプションであるサブアレイパーティションモデルを例示する。
【図７】第２ＴＸＲＵ仮想化モデルのオプションであるフルコネクションモデルを例示する。
【図８】本発明が適用できる無線通信システムにおいてダウンリンク資源ブロック対にマッピングされた参照信号パターンを例示する。
【図９】ＴＸＲＵ別のサービス領域を例示した図である。
【図１０】本発明が適用できるパネル別にアナログビームフォーミングが適用されたアンテナパネルモデルを例示する。
【図１１】本発明の一実施形態によってパネル当たり１つのＣＳＩ−ＲＳ資源がマッピングされる方式を例示する。
【図１２】本発明の一実施形態によってパネル当たり複数のＣＳＩ−ＲＳ資源がマッピングされる方式を例示する。
【図１３】本発明の一実施形態によって複数のパネルに対して共有される（shared）ＣＳＩ−ＲＳ資源がマッピングされる方式を例示する。
【図１４】本発明に適用できるＳＳブロック及びＳＳバーストの持続時間を示す図である。
【図１５】本発明に適用できるＴＤＤケースに対するＳＳバースト構成を示す図である。
【図１６】本発明に適用できるタイプ１のＣＳＩ−ＲＳ及びタイプ２のＣＳＩ−ＲＳを例示する。
【図１７】本発明の一実施形態によるタイプ２のＣＳＩ−ＲＳ設定によるＱＣＬ仮定方式を示す図である。
【図１８】本発明の一実施形態によるタイプ２のＣＳＩ−ＲＳ資源のための（必須の）ＱＣＬ指示を示す図である。
【図１９】本発明の一実施形態による全体的なＤＬビーム運営手順を示す図である。
【図２０】本発明の一実施形態によるＵＥのＣＳＩ−ＲＳ受信方法を例示したフローチャートである。
【図２１】本発明の一実施形態による無線通信装置のブロック構成図を例示する。
【発明を実施するための形態】
【００２８】
以下、本発明にかかる好ましい実施の形態を添付された図面を参照して詳細に説明する。添付された図面と共に以下に開示する詳細な説明は、本発明の例示的な実施の形態を説明するためのものであり、本発明が実施されうる唯一の実施の形態を示すためのものではない。以下の詳細な説明は、本発明の完全な理解を提供するために具体的細部事項を含む。しかしながら、当業者は、本発明がこのような具体的細部事項がなくても実施できることを理解すべきである。
【００２９】
いくつかの場合、本発明の概念が曖昧になることを避けるために、公知の構造及び装置は省略されるか、または各構造及び装置の核心機能を中心にしたブロック図形式で示されることができる。
【００３０】
本明細書において基地局は、端末と直接的に通信を行うネットワークの終端ノード（ｔｅｒｍｉｎａｌ  ｎｏｄｅ）としての意味を有する。本文書において基地局により行われると説明された特定の動作は、場合によっては、基地局の上位ノード（ｕｐｐｅｒ  ｎｏｄｅ）により行われても良い。すなわち、基地局を含む複数のネットワークノード（ｎｅｔｗｏｒｋ  ｎｏｄｅｓ）からなるネットワークにおいて端末との通信のために行われる多様な動作は、基地局または基地局以外の他のネットワークノードにより行われうることは明らかである。「基地局（ＢＳ：Ｂａｓｅ  Ｓｔａｔｉｏｎ）」は、固定局（ｆｉｘｅｄ  ｓｔａｔｉｏｎ）、Ｎｏｄｅ  Ｂ、ｅＮＢ（ｅｖｏｌｖｅｄ−ＮｏｄｅＢ）、ＢＴＳ（ｂａｓｅ  ｔｒａｎｓｃｅｉｖｅｒ  ｓｙｓｔｅｍ）、アクセスポイント（ＡＰ：Ａｃｃｅｓｓ  Ｐｏｉｎｔ）,ｇＮＢ（g-NodeB, NR（NewRAT）/5G-NodeB）などの用語により代替されることができる。また、「端末（Ｔｅｒｍｉｎａｌ）」は、固定されるか、または移動性を有することができ、ＵＥ（Ｕｓｅｒ  Ｅｑｕｉｐｍｅｎｔ）、ＭＳ（Ｍｏｂｉｌｅ  Ｓｔａｔｉｏｎ）、ＵＴ（ｕｓｅｒ  ｔｅｒｍｉｎａｌ）、ＭＳＳ（Ｍｏｂｉｌｅ  ｓｕｂｓｃｒｉｂｅｒ  Ｓｔａｔｉｏｎ）、ＳＳ（Ｓｕｂｓｃｒｉｂｅｒ  Ｓｔａｔｉｏｎ）、ＡＭＳ（Ａｄｖａｎｃｅｄ  Ｍｏｂｉｌｅ  Ｓｔａｔｉｏｎ）、ＷＴ（Ｗｉｒｅｌｅｓｓ  ｔｅｒｍｉｎａｌ）、ＭＴＣ（Ｍａｃｈｉｎｅ−Ｔｙｐｅ  Ｃｏｍｍｕｎｉｃａｔｉｏｎ）装置、Ｍ２Ｍ（Ｍａｃｈｉｎｅ−ｔｏ−Ｍａｃｈｉｎｅ）装置、Ｄ２Ｄ（Ｄｅｖｉｃｅ−ｔｏ−Ｄｅｖｉｃｅ）装置などの用語に代替されることができる。
【００３１】
以下、ダウンリンク（ＤＬ：ｄｏｗｎｌｉｎｋ）は、基地局から端末への通信を意味し、アップリンク（ＵＬ：ｕｐｌｉｎｋ）は、端末から基地局への通信を意味する。ダウンリンクにおける送信機は、基地局の一部で、受信機は、端末の一部でありうる。アップリンクにおける送信機は、端末の一部で、受信機は、基地局の一部でありうる。
【００３２】
以下の説明において用いられる特定の用語は、本発明の理解に役立つために提供されたものであり、このような特定の用語の使用は、本発明の技術的思想から外れない範囲内で他の形態に変更されることができる。
【００３３】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）、ＮＯＭＡ（ｎｏｎ−ｏｒｔｈｏｇｏｎａｌ  ｍｕｌｔｉｐｌｅ  ａｃｃｅｓｓ）などのような多様な無線接続システムに利用されることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）またはＣＤＭＡ２０００のような無線技術（ｒａｄｉｏ  ｔｅｃｈｎｏｌｏｇｙ）により実現されることができる。ＴＤＭＡは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術により実現されることができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（ｅｖｏｌｖｅｄ  ＵＴＲＡ）などのような無線技術により実現されることができる。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ−ＵＴＲＡを使用するＥ−ＵＭＴＳ（ｅｖｏｌｖｅｄ  ＵＭＴＳ）の一部であり、ダウンリンクにおいてＯＦＤＭＡを採用し、アップリンクにおいてＳＣ−ＦＤＭＡを採用する。ＬＴＥ−Ａ（ａｄｖａｎｃｅｄ）は、３ＧＰＰ  ＬＴＥの進化である。
【００３４】
本発明の実施の形態は、無線接続システムであるＩＥＥＥ  ８０２、３ＧＰＰ及び３ＧＰＰ２のうち、少なくとも１つに開示された標準文書により裏付けられることができる。すなわち、本発明の実施の形態のうち、本発明の技術的思想を明確にあらわすために、説明しないステップまたは部分は、前記文書により裏付けられることができる。また、本文書に開示しているすべての用語は、前記標準文書により説明されることができる。
【００３５】
説明を明確にするために、３ＧＰＰ ＬＴＥ／ＬＴＥ−Ａを中心に述べるが、本発明の技術的特徴がこれに制限されるものではない。
【００３６】
システム一般
【００３７】
図１は、本発明が適用できる無線通信システムにおける無線フレームの構造を示す。
【００３８】
３ＧＰＰ ＬＴＥ／ＬＴＥ−Ａでは、ＦＤＤ（Frequency Division Duplex）に適用できるタイプ１の無線フレーム（radio frame）構造とＴＤＤ（Time Division Duplex）に適用できるタイプ２の無線フレーム構造を支援する。
【００３９】
図１の（ａ）は、タイプ１の無線フレームの構造を例示する。無線フレームは１０個のサブフレームから構成される。１つのサブフレームは、時間領域（time domain）において２つのスロット（slot）から構成される。１つのサブフレームの送信にかかる時間をＴＴＩ（transmission time interval）という。例えば、１つのサブフレームの長さは１ｍｓであり、１つのスロットの長さは０．５ｍｓでありうる。
【００４０】
１つのスロットは、時間領域において複数のＯＦＤＭ（orthogonal frequency division multiplexing）シンボルを含み、周波数領域において複数の資源ブロック（ＲＢ：Resource Block）を含む。３ＧＰＰ ＬＴＥは、ダウンリンクでＯＦＤＭＡを用いるので、ＯＦＤＭシンボルは１つのシンボル区間（symbol period）を表現するためのものである。ＯＦＤＭシンボルは、１つのＳＣ−ＦＤＭＡシンボル又はシンボル区間ということができる。資源ブロックはリソース割り当て単位であり、１つのスロットにおいて複数の連続的な副搬送波（subcarrier）を含む。
【００４１】
図１の（ｂ）は、タイプ２フレーム構造（frame structure type 2）を示す。タイプ２の無線フレームは２つのハーフフレーム（half frame）から構成され、各ハーフフレームは、５つのサブフレームとＤｗＰＴＳ（Downlink Pilot Time Slot）、保護区間（ＧＰ：Guard Period）、ＵｐＰＴＳ（Uplink Pilot Time Slot）から構成され、このうち１つのサブフレームは２つのスロットから構成される。ＤｗＰＴＳは、端末での初期セル探索、同期化又はチャネル推定に用いられる。ＵｐＰＴＳは、基地局でのチャネル推定と端末のアップリンク送信同期を合わせるのに用いられる。保護区間は、アップリンクとダウンリンクとの間にダウンリンク信号のマルチパス遅延によりアップリンクで発生する干渉を除去するための区間である。
【００４２】
ＴＤＤシステムのタイプ２フレーム構造において、アップリンク−ダウンリンク構成（uplink-downlink configuration）は全てのサブフレームに対してアップリンクとダウンリンクが割り当てられる（又は、予約される）かを示す規則である。表１はアップリンク−ダウンリンク構成を示す。  
【００４３】
【表１】
0006844006.tif 000002
【００４４】
表１を参照すると、無線フレームの各サブフレーム別に、「Ｄ」はダウンリンク送信のためのサブフレームを示し、「Ｕ」はアップリンク送信のためのサブフレームを示し、「Ｓ」はＤｗＰＴＳ、ＧＰ、ＵｐＰＴＳの３種類のフィールドから構成されるスペシャルサブフレーム（special subframe）を示す。アップリンク−ダウンリンク構成は、７種類に区分されることができ、各構成別にダウンリンクサブフレーム、スペシャルサブフレーム、アップリンクサブフレームの位置及び／または数が異なる。
【００４５】
ダウンリンクからアップリンクに変更される時点またはアップリンクからダウンリンクに切り替えられる時点を切り替え時点（ｓｗｉｔｃｈｉｎｇ  ｐｏｉｎｔ）という。切り替え時点の周期性（Ｓｗｉｔｃｈ−ｐｏｉｎｔ  ｐｅｒｉｏｄｉｃｉｔｙ）は、アップリンクサブフレームとダウンリンクサブフレームが切り替えられる様相が同様に繰り返される周期を意味し、５ｍｓまたは１０ｍｓが全て支援される。５ｍｓのダウンリンク−アップリンク切り替え時点の周期を有する場合には、スペシャルサブフレーム（Ｓ）は、ハーフフレーム毎に存在し、５ｍｓのダウンリンク−アップリンク切り替え時点の周期を有する場合には、１番目のハーフフレームだけに存在する。
【００４６】
すべての構成において、０番、５番サブフレーム及びＤｗＰＴＳは、ダウンリンク送信だけのための区間である。ＵｐＰＴＳ及びサブフレームサブフレームに直ちにつながるサブフレームは、常にアップリンク送信のための区間である。
【００４７】
このような、アップリンク−ダウンリンク構成はシステム情報であって、基地局と端末の両方が知っていることができる。基地局は、アップリンク−ダウンリンク構成情報が変わる毎に構成情報のインデックスだけを送信することによって、無線フレームのアップリンク−ダウンリンク割り当て状態の変更を端末に知らせることができる。また、構成情報は、一種のダウンリンク制御情報として他のスケジューリング情報と同様にＰＤＣＣＨ（Ｐｈｙｓｉｃａｌ  Ｄｏｗｎｌｉｎｋ  ｃｏｎｔｒｏｌ  Ｃｈａｎｎｅｌ）を介して送信されることができ、放送情報としてブロードキャストチャネル（ｂｒｏａｄｃａｓｔ  ｃｈａｎｎｅｌ）を介してセル内のすべての端末に共通に送信されることもできる。
【００４８】
表２は、スペシャルサブフレームの構成（ＤｗＰＴＳ／ＧＰ／ＵｐＰＴＳの長さ）を示す。
【００４９】
【表２】
0006844006.tif 000003
【００５０】
1つの例示に過ぎず、無線フレームに含まれる副搬送波の数またはサブフレームに含まれるスロットの数、スロットに含まれるＯＦＤＭシンボルの数は、多様に変更されることができる。
【００５１】
図２は、本発明が適用されることができる無線通信システムにおける１つのダウンリンクスロットに対する資源グリッド（ｒｅｓｏｕｒｃｅ  ｇｒｉｄ）を示した図である。
【００５２】
図２に示すように、１つのダウンリンクスロットは、時間領域において複数のＯＦＤＭシンボルを含む。ここで、１つのダウンリンクスロットは、７個のＯＦＤＭシンボルを含み、１つの資源ブロックは、周波数領域において１２個の副搬送波を含むことを例示的に述べるが、これに限定されるものではない。
【００５３】
資源グリッド上において各要素（ｅｌｅｍｅｎｔ）を資源要素（ｒｅｓｏｕｒｃｅ  ｅｌｅｍｅｎｔ）とし、１つの資源ブロック（ＲＢ：ｒｅｓｏｕｒｃｅ  ｂｌｏｃｋ）は、１２×７個の資源要素を含む。ダウンリンクスロットに含まれる資源ブロックの数Ｎ^DLは、ダウンリンク送信帯域幅（ｂａｎｄｗｉｄｔｈ）に従属する。
【００５４】
アップリンクスロットの構造は、ダウンリンクスロットの構造と同一でありうる。
【００５５】
図３は、本発明が適用されることができる無線通信システムにおけるダウンリンクサブフレームの構造を示す。
【００５６】
図３に示すように、サブフレーム内の第１番目のスロットにおいて前の最大３個のＯＦＤＭシンボルが制御チャネルが割り当てられる制御領域（ｃｏｎｔｒｏｌ  ｒｅｇｉｏｎ）であり、残りのＯＦＤＭシンボルは、ＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域（ｄａｔａ  ｒｅｇｉｏｎ）である。３ＧＰＰ  ＬＴＥで使用されるダウンリンク制御チャネルの一例にＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ    ｃｏｎｔｒｏｌ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）などがある。
【００５７】
ＰＣＦＩＣＨは、サブフレームの第１番目のＯＦＤＭシンボルにおいて送信され、サブフレーム内に制御チャネルの送信のために使用されるＯＦＤＭシンボルの数（すなわち、制御領域のサイズ）に関する情報を運ぶ。ＰＨＩＣＨは、アップリンクに対する応答チャネルで、ＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｏｔ−Ａｃｋｎｏｗｌｅｄｇｅｍｅｎｔ）信号を運ぶ。ＰＤＣＣＨを介して送信される制御情報をダウンリンク制御情報（ＤＣＩ：ｄｏｗｎｌｉｎｋ  ｃｏｎｔｒｏｌ  ｉｎｆｏｒｍａｔｉｏｎ）という。ダウンリンク制御情報は、アップリンク資源割り当て情報、ダウンリンク資源割り当て情報または任意の端末グループに対するアップリンク送信（Ｔｘ）パワー制御命令を含む。
【００５８】
ＰＤＣＣＨは、ＤＬ−ＳＣＨ（Ｄｏｗｎｌｉｎｋ  Ｓｈａｒｅｄ  Ｃｈａｎｎｅｌ）の資源割り当て及び送信フォーマット（これをダウンリンクグラントともいう）、ＵＬ−ＳＣＨ（Ｕｐｌｉｎｋ  Ｓｈａｒｅｄ  Ｃｈａｎｎｅｌ）の資源割り当て情報（これをアップリンクグラントともいう）、ＰＣＨ（Ｐａｇｉｎｇ  Ｃｈａｎｎｅｌ）でのページング（ｐａｇｉｎｇ）情報、ＤＬ−ＳＣＨでのシステム情報、ＰＤＳＣＨから送信されるランダムアクセス応答（ｒａｎｄｏｍ  ａｃｃｅｓｓ  ｒｅｓｐｏｎｓｅ）のような上位層（ｕｐｐｅｒ−ｌａｙｅｒ）制御メッセージに対する資源割り当て、任意の端末グループ内の個別端末に対する送信パワー制御命令の集合、ＶｏＩＰ（Ｖｏｉｃｅ  ｏｖｅｒ  ＩＰ）の活性化などを運ぶことができる。複数のＰＤＣＣＨは、制御領域内で送信されることができ、端末は、複数のＰＤＣＣＨをモニタリングできる。ＰＤＣＣＨは、１つまたは複数の連続的なＣＣＥ（ｃｏｎｔｒｏｌ  ｃｈａｎｎｅｌ  ｅｌｅｍｅｎｔｓ）の集合から構成される。ＣＣＥは、無線チャネルの状態に応じる符号化率（ｃｏｄｉｎｇ  ｒａｔｅ）をＰＤＣＣＨに提供するために使用される論理的割り当て単位である。ＣＣＥは、複数の資源要素グループ（ｒｅｓｏｕｒｃｅ  ｅｌｅｍｅｎｔ  ｇｒｏｕｐ）に対応する。ＰＤＣＣＨのフォーマット及び使用可能なＰＤＣＣＨのビット数は、ＣＣＥの数とＣＣＥにより提供される符号化率間の関連によって決定される。
【００５９】
基地局は、端末に送信しようとするＤＣＩに応じてＰＤＣＣＨフォーマットを決定し、制御情報にＣＲＣ（Ｃｙｃｌｉｃ  Ｒｅｄｕｎｄａｎｃｙ  Ｃｈｅｃｋ）を付ける。ＣＲＣには、ＰＤＣＣＨの所有者（ｏｗｎｅｒ）または用途に応じて、固有の識別子（これをＲＮＴＩ（Ｒａｄｉｏ  Ｎｅｔｗｏｒｋ  Ｔｅｍｐｏｒａｒｙ  Ｉｄｅｎｔｉｆｉｅｒ）という。）がマスキングされる。特定の端末のためのＰＤＣＣＨであれば、端末の固有の識別子、例えばＣ−ＲＮＴＩ（Ｃｅｌｌ−ＲＮＴＩ）がＣＲＣにマスキングされることができる。またはページングメッセージのためのＰＤＣＣＨであれば、ページング指示識別子、例えばＰ−ＲＮＴＩ（Ｐａｇｉｎｇ−ＲＮＴＩ）がＣＲＣにマスキングされることができる。システム情報、さらに具体的にシステム情報ブロック（ＳＩＢ：ｓｙｓｔｅｍ  ｉｎｆｏｒｍａｔｉｏｎ  ｂｌｏｃｋ）のためのＰＤＣＣＨであれば、システム情報識別子、ＳＩ−ＲＮＴＩ（ｓｙｓｔｅｍ  ｉｎｆｏｒｍａｔｉｏｎ  ＲＮＴＩ）がＣＲＣにマスキングされることができる。端末のランダムアクセスプリアンブルの送信に対する応答であるランダムアクセス応答を指示するために、ＲＡ−ＲＮＴＩ（ｒａｎｄｏｍ  ａｃｃｅｓｓ−ＲＮＴＩ）がＣＲＣにマスキングされることができる。
【００６０】
図４は、本発明が適用されることができる無線通信システムにおけるアップリンクサブフレームの構造を示す。
【００６１】
図４に示すように、アップリンクサブフレームは、周波数領域において制御領域とデータ領域とに分けられる。制御領域には、アップリンク制御情報を運ぶＰＵＣＣＨ（Ｐｈｙｓｉｃａｌ  Ｕｐｌｉｎｋ  ｃｏｎｔｒｏｌ  Ｃｈａｎｎｅｌ）が割り当てられる。データ領域は、ユーザデータを運ぶＰＵＳＣＨ（Ｐｈｙｓｉｃａｌ  Ｕｐｌｉｎｋ  Ｓｈａｒｅｄ  Ｃｈａｎｎｅｌ）が割り当てられる。単一搬送波特性を維持するために、１つの端末は、ＰＵＣＣＨとＰＵＳＣＨを同時に送信しない。
【００６２】
１つの端末に対するＰＵＣＣＨにはサブフレーム内に資源ブロック（ＲＢ）対が割り当てられる。ＲＢ対に属するＲＢは、２つのスロットのそれぞれにおいて異なる副搬送波を占める。これを、ＰＵＣＣＨに割り当てられたＲＢ対はスロット境界（slot boundary）で周波数ホッピング（frequency hopping）されるという。
【００６３】
より多くの通信機器がさらに大きい通信容量を要求するようになるにつれて既存のＲＡＴに比べて向上したモバイルブロードバンド（mobile broadband）通信の必要性が高くなっている。また、複数の機器及び物を接続していつでもどこでも様々なサービスを提供する大規模ＭＴＣ（massive MTC（Machine Type Communications）も次世代通信において考慮される主な問題の１つである。それだけでなく、次世代通信において信頼度（reliability）及び遅延（latency）に敏感なサービス／ＵＥを考慮した通信システムデザインが論議されている。このように、向上した移動広域通信（enhanced mobile broadband communication）、大規模ＭＴＣ（massive MTC）、ＵＲＬＬＣ（Ultra-Reliable and Low Latency Communication）などを考慮した次世代ＲＡＴの導入が論議されており、このような技術を「Ｎｅｗ ＲＡＴ」という。
【００６４】
自己完結型（Self-contained）サブフレーム構造
【００６５】
図５は、本発明が適用できる自己完結型サブフレーム構造を例示する。
【００６６】
ＴＤＤシステムにおいてデータ送信遅延を最小化するために、第５世代Ｎｅｗ ＲＡＴでは図５に示すような自己完結型サブフレーム構造が考慮されている。図５において斜線領域はダウンリンク制御領域、黒色部分はアップリンク制御領域を示す。また、図５において表示無しの領域はダウンリンクデータ送信のために用いられることもでき、アップリンクデータ送信のために用いられることもできる。このような構造の特徴は、１つのサブフレーム内でＤＬ送信とＵＬ送信が順次行われることができるため、１つのサブフレーム内でＤＬデータを送り、ＵＬ ＡＣＫ／ＮＡＣＫを受けることができる。結果的に、データ送信エラーの発生時にデータの再送信までかかる時間が短縮され、これにより、最終データ伝達までの遅延を最小化することができる。
【００６７】
Ｎｅｗ ＲＡＴに基づいて動作するシステムにおいて、構成／設定可能な前記自己完結型サブフレーム構造の一例として、少なくとも次のような４種類のサブフレームタイプを考慮することができる。以下、各サブフレームタイプで存在する区間は時間順に列挙した。
【００６８】
１）ＤＬ制御区間＋ＤＬデータ区間＋ＧＰ（guard period）＋ＵＬ制御区間
【００６９】
２）ＤＬ制御区間＋ＤＬデータ区間
【００７０】
３）ＤＬ制御区間＋ＧＰ＋ＵＬデータ区間＋ＵＬ制御区間
【００７１】
４）ＤＬ制御区間＋ＧＰ＋ＵＬデータ区間
【００７２】
このような自己完結型サブフレーム構造において、基地局とＵＥが送信モードから受信モードに切り替えられる過程又は受信モードから送信モードに切り替えられる過程のための時間ギャップ（time gap）が必要である。このために、サブフレーム構造において、ＤＬからＵＬに切り替えられる時点の一部のＯＦＤＭシンボルがＧＰに設定され、このようなサブフレームタイプは「ｓｅｌｆ−ｃｏｎｔａｉｎｅｄ ＳＦ」ということができる。
【００７３】
アナログビームフォーミング（analog beamforming）
【００７４】
ミリメートル波（Millimeter Wave：ｍｍＷ）では、波長が短くなって同一面積に複数のアンテナの設置が可能となる。すなわち、３０ＧＨｚ帯域において波長は１ｃｍであり、５×５ｃｍのパネルに０．５ラムダ（波長）間隔で２次元配列形態で合計１００個のアンテナ要素（element）が設置できる。従って、ｍｍＷでは複数のアンテナ要素を用いてビームフォーミング（beamforming：ＢＦ）利得を向上させてカバレッジを増加させるか、スループット（throughput）を向上させようとする。
【００７５】
この場合は、アンテナ要素別に送信パワー及び位相調節ができるようにＴＸＲＵ（transceiver unit）を有すると、周波数資源別に独立的なビームフォーミングが可能である。しかしながら、約１００個のアンテナ要素の全てにＴＸＲＵを設置することにはコストの側面で実効性が低下するという問題がある。従って、１つのＴＸＲＵに複数のアンテナ要素をマッピングし、アナログ位相シフター（analog phase shifter）でビームの方向を調節する方式が考慮されている。このようなアナログビームフォーミング方式は全帯域において１つのビーム方向のみを生成できるため、周波数選択的ビームフォーミングができないという欠点がある。
【００７６】
デジタルＢＦとアナログＢＦの中間形態でＱ個のアンテナ要素より少ない個数のＢ個のＴＸＲＵを有するハイブリッド（hybrid）ＢＦも考慮することができる。この場合、Ｂ個のＴＸＲＵとＱ個のアンテナ要素の接続方式によって違いはあるが、同時に送信できるビームの方向はＢ個以下に制限される。
【００７７】
図６及び図７は、ＴＸＲＵとアンテナ要素の代表的な接続方式を示す。より詳細には、図６は、第１ＴＸＲＵ仮想化モデルのオプションであるサブアレイパーティションモデルを例示し、図７は、第２ＴＸＲＵ仮想化モデルのオプションであるフルコネクションモデルを例示する。図６及び図７において、ＴＸＲＵ仮想化モデルは、ＴＸＲＵの出力信号とアンテナ要素の出力信号間の関係を示す。
【００７８】
図６に示すように、ＴＸＲＵがサブアレイに接続される仮想化モデルの場合、アンテナ要素は１つのＴＸＲＵにのみ接続される。これとは異なり、ＴＸＲＵが全てのアンテナ要素に接続される仮想化モデルの場合、アンテナ要素は全てのＴＸＲＵに接続される。本図において、Ｗはアナログ位相シフターにより乗算される位相ベクトルを示す。すなわち、Ｗによりアナログビームフォーミング方向が決定される。ここで、ＣＳＩ−ＲＳアンテナポートとＴＸＲＵとのマッピングは、１対１（1 to 1, 1:1）又は一対多（1 to many, 1:N）でありうる。  
【００７９】
参照信号（ＲＳ：Ｒｅｆｅｒｅｎｃｅ  Ｓｉｇｎａｌ）
【００８０】
無線通信システムにおけるデータは無線チャンネルを介して転送されるので、信号は転送中に歪むことがある。受信端で歪んだ信号を正確に受信するために、受信された信号の歪みはチャンネル情報を用いて補正されなければならない。チャンネル情報を検出するために送信側と受信側の両方とも知っている信号転送方法と信号がチャンネルを介して転送される時、歪んだ程度を用いてチャンネル情報を検出する方法を主に用いる。前述した信号をパイロット信号または参照信号（ＲＳ：ｒｅｆｅｒｅｎｃｅ  ｓｉｇｎａｌ）という。
【００８１】
また、最近、大部分の移動通信システムでパケットを転送する時、今まで１つの送信アンテナと１つの受信アンテナを使用したことから脱皮して、複数の送信アンテナと複数の受信アンテナを採択して送受信データ効率を向上させることができる方法を使用する。複数入出力アンテナを用いてデータを送受信する時、信号を正確に受信するために送信アンテナと受信アンテナとの間のチャンネル状態が検出されなければならない。したがって、各送信アンテナは個別的な参照信号を有しなければならない。
【００８２】
移動通信システムにおけるＲＳはその目的によって２つに大別できる。チャンネル状態情報獲得のための目的のＲＳとデータ復調のために使われるＲＳがある。前者はＵＥがダウンリンクへのチャンネル状態情報を獲得することにその目的があるので、広帯域に転送されなければならず、特定サブフレームでダウンリンクデータを受信しないＵＥでもそのＲＳを受信し測定できなければならない。また、これはハンドオーバーなどの無線資源無線資源管理（ＲＲＭ：Ｒａｄｉｏ  Ｒｅｓｏｕｒｃｅ  Ｍａｎａｇｅｍｅｎｔ）測定などのためにも使われる。後者は、基地局がダウンリンクを送る時、該当リソースに共に送るＲＳであって、ＵＥは該当ＲＳを受信することによってチャンネル推定を行うことができ、したがって、データを復調できるようになる。このＲＳはデータが転送される領域に転送されなければならない。
【００８３】
下り参照信号はセル内の全ての端末が共有するチャンネル状態に対する情報獲得及びハンドオーバーの測定などのための１つの共通参照信号（ＣＲＳ：ｃｏｍｍｏｎ  ＲＳ）と特定端末のみのためにデータ復調のために使われる専用参照信号（ｄｅｄｉｃａｔｅｄ  ＲＳ）がある。このような参照信号を用いて復調（ｄｅｍｏｄｕｌａｔｉｏｎ）とチャンネル測定（ｃｈａｎｎｅｌ  ｍｅａｓｕｒｅｍｅｎｔ）のための情報を提供することができる。すなわち、ＤＲＳはデータ復調用のみに使われ、ＣＲＳはチャンネル情報獲得及びデータ復調の２つの目的に全て使われる。
【００８４】
受信側（すなわち、端末）はＣＲＳからチャネル状態を測定し、ＣＱＩ（Channel Quality Indicator）、ＰＭＩ（Precoding Matrix Index）及び／又はＲＩ（Rank Indicator）などのチャネル品質に関連したインジケータを送信側（すなわち、基地局）にフィードバックする。ＣＲＳは、セル固有参照信号（cell-specific RS）ともいう。それに対して、チャネル状態情報（ＣＳＩ: Channel State Information）のフィードバックに関連した参照信号をＣＳＩ−ＲＳと定義することができる。
【００８５】
３ＧＰＰ ＬＴＥ（−Ａ）システムにおいては、ＵＥがＣＳＩを基地局（ＢＳ）に報告するように定義されており、ここで、ＣＳＩは、ＵＥとアンテナポートとの間に形成される無線チャネル（又は、リンクともいう）の品質を示す情報を総称する。例えば、ランクインジケータ（rank indicator：ＲＩ）、プリコーディング行列インジケータ（precoding matrix indicator：ＰＭＩ）、及び／又はチャネル品質インジケータ（channel quality indicator：ＣＱＩ）などがＣＳＩに該当する。ここで、ＲＩは、チャネルのランク（rank）情報を示し、これは、ＵＥが同一時間−周波数資源を通じて受信するストリームの数を意味する。ＲＩは、チャネルのロングターム（long-term）フェージング（fading）により従属して決定されるので、ＰＭＩ、通常はＣＱＩよりさら長い周期でＵＥから基地局にフィードバックされることができる。ＰＭＩは、チャネル空間特性を反映した値であり、ＳＩＮＲなどのメトリック（metric）を基準にＵＥが好むプリコーディングインデックスを示す。ＣＱＩは、チャネルの強度を示す値であり、一般的に基地局がＰＭＩを用いたときに得られる受信ＳＩＮＲを意味する。
【００８６】
３ＧＰＰ ＬＴＥ（−Ａ）システムにおいて、基地局は複数のＣＳＩプロセスをＵＥに設定し、各プロセスに対するＣＳＩの報告を受けることができる。ここで、ＣＳＩプロセスは、基地局からの信号品質測定のためのＣＳＩ−ＲＳと干渉測定のための ＣＳＩ−ＩＭ（CSI-interference measurement）資源を含むことができる。
【００８７】
ＤＲＳは、ＰＤＳＣＨ上のデータ復調が必要である場合、資源要素を通じて送信されることができる。端末は上位層を介してＤＲＳが存在するか否かを受信することができ、対応するＰＤＳＣＨがマッピングされたときにのみ有効である。ＤＲＳを端末固有参照信号（UE-specific RS）又は復調参照信号（DMRS: Demodulation RS）ということができる。
【００８８】
図８は、本発明が適用できる無線通信システムにおいてダウンリンク資源ブロック対にマッピングされた参照信号パターンを例示する。
【００８９】
図８に示すように、参照信号がマッピングされる単位でダウンリンク資源ブロック対は時間領域において１つのサブフレーム×周波数領域において１２個の副搬送波で示すことができる。すなわち、時間軸（ｘ軸）上で１つの資源ブロック対は、ノーマル巡回プレフィックス（normal CP（Cyclic Prefix））である場合は１４個のＯＦＤＭシンボルの長さを有し（図７ａの場合）、拡張巡回プレフィックス（extended CP）である場合は１２個のＯＦＤＭシンボルの長さを有する（図７ｂの場合）。資源ブロック格子において「０」、「１」、「２」及び「３」と記載されている資源要素（REs）はそれぞれアンテナポートインデックス「０」、「１」、「２」及び「３」のＣＲＳの位置を意味し、「Ｄ」と記載されている資源要素はＤＲＳの位置を意味する。  
【００９０】
基地局が単一の送信アンテナを使用する場合、単一アンテナポートのための参照信号が配列される。
【００９１】
基地局が２個の送信アンテナを使用する場合、２個の送信アンテナポートのための参照信号は時分割多重化（ＴＤＭ：Ｔｉｍｅ  Ｄｉｖｉｓｉｏｎ  Ｍｕｌｔｉｐｌｅｘｉｎｇ）及び／又は周波数分割多重化（ＦＤＭ  Ｆｒｅｑｕｅｎｃｙ  Ｄｉｖｉｓｉｏｎ  Ｍｕｌｔｉｐｌｅｘｉｎｇ）方式を用いて配列される。すなわち、２個のアンテナポートのための参照信号は各々が区別されるために互いに異なる時間資源及び／又は互いに異なる周波数資源が割り当てられる。
【００９２】
なお、基地局が４個の送信アンテナを使用する場合、４個の送信アンテナポートのための参照信号はＴＤＭ及び／又はＦＤＭ方式を用いて配列される。ダウンリンク信号の受信側（端末）により測定されたチャンネル情報は、単一の送信アンテナ転送、送信ダイバーシティ、閉ループ空間多重化（ｃｌｏｓｅｄ−ｌｏｏｐ  ｓｐａｔｉａｌ  ｍｕｌｔｉｐｌｅｘｉｎｇ）、開ループ空間多重化（ｏｐｅｎ−ｌｏｏｐ  ｓｐａｔｉａｌ  ｍｕｌｔｉｐｌｅｘｉｎｇ）、または多重ユーザ−多重入出力アンテナ（ｍｕｌｔｉ−Ｕｓｅｒ  ＭＩＭＯ）のような転送方式を用いて転送されたデータを復調するために使われることができる。
【００９３】
多重入出力アンテナが支援される場合、参照信号が特定のアンテナポートから転送される時、前記参照信号は参照信号のパターンによって特定された資源要素の位置に転送され、異なるアンテナポートのために特定された資源要素の位置に転送されない。すなわち、互いに異なるアンテナ間の参照信号は互いに重ならない。
【００９４】
ＬＴＥシステムの進化発展した形態のＬＴＥ−Ａシステムで基地局のダウンリンクに最大８個の送信アンテナが支援できるようにデザインされなければならない。したがって、最大８個の送信アンテナに対するＲＳも支援されなければならない。ＬＴＥシステムでダウンリンクＲＳは最大４個のアンテナポートに対するＲＳのみ定義されているので、ＬＴＥ−Ａシステムで基地局が４個以上最大８個のダウンリンク送信アンテナを有する場合、これらアンテナポートに対するＲＳが追加的に定義されデザインされなければならない。最大８個の送信アンテナポートに対するＲＳは、前述したチャンネル測定のためのＲＳとデータ復調のためのＲＳの２つが全てデザインされなければならない。
【００９５】
ＬＴＥ−Ａシステムをデザインするに当たって、重要な考慮事項のうちの１つは、下位互換性（ｂａｃｋｗａｒｄ  ｃｏｍｐａｔｉｂｉｌｉｔｙ）、すなわちＬＴＥ端末がＬＴＥ−Ａシステムでも何の無理なく、よく動作しなければならず、システムもこれを支援しなければならないことである。ＲＳ転送の観点から見ると、ＬＴＥで定義されているＣＲＳが全帯域にサブフレーム毎に転送される時間−周波数領域で追加的に最大８個の送信アンテナポートに対するＲＳが追加的に定義されなければならない。ＬＴＥ−Ａシステムで既存のＬＴＥのＣＲＳのような方式により最大８個の送信アンテナに対するＲＳパターンをサブフレーム毎に全帯域に追加するようになれば、ＲＳオーバーヘッドが大きすぎるようになる。
【００９６】
したがって、ＬＴＥ−Ａシステムで新しくデザインされるＲＳは２つに大別されるが、ＭＣＳ、ＰＭＩなどの選択のためのチャンネル測定目的のＲＳ（ＣＳＩ−ＲＳ：Ｃｈａｎｎｅｌ  Ｓｔａｔｅ  Ｉｎｆｏｒｍａｔｉｏｎ−ＲＳ、Ｃｈａｎｎｅｌ  Ｓｔａｔｅ  Ｉｎｄｉｃａｔｉｏｎ−ＲＳなど）と８個の転送アンテナに転送されるデータ復調のためのＲＳ（ＤＭ−ＲＳ：Ｄａｔａ  Ｄｅｍｏｄｕｌａｔｉｏｎ−ＲＳ）である。
【００９７】
チャンネル測定目的のＣＳＩ−ＲＳは既存のＣＲＳがチャンネル測定、ハンドオーバーなどの測定などの目的と共に、データ復調のために使われることとは異なり、チャンネル測定中心の目的のためにデザインされる特徴がある。勿論これもまたハンドオーバーなどの測定などの目的に使われることもできる。ＣＳＩ−ＲＳがチャンネル状態に対する情報を得る目的のみに転送されるので、ＣＲＳとは異なり、サブフレーム毎に転送されなくてもよい。ＣＳＩ−ＲＳのオーバーヘッドを減らすためにＣＳＩ−ＲＳは時間軸上で間欠的に転送される。
【００９８】
ＬＴＥ−Ａシステムで基地局のダウンリンクに最大８個の送信アンテナを支援する。ＬＴＥ−Ａシステムで既存のＬＴＥのＣＲＳのような方式により最大８個の送信アンテナに対するＲＳをサブフレーム毎に全帯域に転送するようになれば、ＲＳオーバーヘッドが大きすぎるようになる。したがって、ＬＴＥ−Ａシステムでは、ＭＣＳ、ＰＭＩなどの選択のためのＣＳＩ測定目的のＣＳＩ−ＲＳとデータ復調のためのＤＭ−ＲＳに分離されて２つのＲＳが追加された。ＣＳＩ−ＲＳはＲＲＭ測定などの目的に使われることもできるが、ＣＳＩ獲得を主目的としてデザインされた。ＣＳＩ−ＲＳはデータ復調に使われないので、サブフレーム毎に転送される必要はない。したがって、ＣＳＩ−ＲＳのオーバーヘッドを減らすために時間軸上で間欠的に転送するようにする。すなわち、ＣＳＩ−ＲＳは１サブフレームの整数倍の周期で周期的に転送されるか、または特定転送パターンに転送できる。この際、ＣＳＩ−ＲＳが転送される周期やパターンはｅＮＢが設定することができる。
【００９９】
ＣＳＩ−ＲＳを測定するためにＵＥは必ず自身が属したセルの各々のＣＳＩ−ＲＳアンテナポートに対するＣＳＩ−ＲＳの転送サブフレームインデックス、転送サブフレーム内でＣＳＩ−ＲＳ資源要素（ＲＥ）時間−周波数の位置、そしてＣＳＩ−ＲＳシーケンスなどに対する情報を知っていなければならない。
【０１００】
ＬＴＥ−ＡシステムにｅＮＢはＣＳＩ−ＲＳを最大８個のアンテナポートに対して各々転送しなければならない。互いに異なるアンテナポートのＣＳＩ−ＲＳ転送のために使われる資源は互いに直交（ｏｒｔｈｏｇｏｎａｌ）しなければならない。１つのｅＮＢが互いに異なるアンテナポートに対するＣＳＩ−ＲＳを転送する時、各々のアンテナポートに対するＣＳＩ−ＲＳを互いに異なるＲＥにマッピングすることによって、ＦＤＭ／ＴＤＭ方式によりこれらの資源を直交（ｏｒｔｈｏｇｏｎａｌ）して割り当てることができる。または、互いに異なるアンテナポートに対するＣＳＩ−ＲＳを互いに直交（ｏｒｔｈｏｇｏｎａｌ）するコードにマッピングさせるＤＭ方式により転送することができる。
【０１０１】
ＣＳＩ−ＲＳに関する情報をｅＮＢが自分のセルＵＥに知らせる時、まず各アンテナポートに対するＣＳＩ−ＲＳがマッピングされる時間−周波数に対する情報を知らせなければならない。具体的に、ＣＳＩ−ＲＳが転送されるサブフレーム番号、またはＣＳＩ−ＲＳが転送される周期、ＣＳＩ−ＲＳが転送されるサブフレームオフセットであり、特定アンテナのＣＳＩ−ＲＳ  ＲＥが転送されるＯＦＤＭシンボル番号、周波数間隔（ｓｐａｃｉｎｇ）、周波数軸でのＲＥのオフセット、またはシフト値などがある。
【０１０２】
ＣＳＩ−ＲＳは１個、２個、４個、または８個のアンテナポートを介して転送される。この際、使われるアンテナポートは、各々ｐ＝１５、ｐ＝１５、１６、ｐ＝１５，．．．，１８、ｐ＝１５，．．．，２２である。ＣＳＩ−ＲＳはサブキャリア間隔Δｆ＝１５ｋＨｚに対してのみ定義できる。
【０１０３】
ＲＳ仮想化（Virtualization）
【０１０４】
ｍｍＷにおいてアナログビームフォーミングにより一時点で１つのアナログビーム方向にのみＰＤＳＣＨ送信が可能である。その結果、該当方向にある一部少数のＵＥにのみ基地局からデータ送信が可能となる。従って、必要によってアンテナポート別にアナログビーム方向が異なるように設定して様々なアナログビーム方向にある複数のＵＥに同時にデータ送信を行うことができる。
【０１０５】
以下では、２５６アンテナ要素を４等分して４つのサブアレイを形成し、図９に示すように、サブアレイにＴＸＲＵを接続した構造の例示を中心に説明する。
【０１０６】
図９は、ＴＸＲＵ別のサービス領域を例示した図である。
【０１０７】
各サブアレイが２次元（2-dimension）配列形態で合計６４（８×８）のアンテナ要素から構成されると、特定アナログビームフォーミングにより１５度の水平角領域と１５度の垂直角領域に該当する地域をカバーすることができる。すなわち、基地局がサービスしなければならない地域を複数の領域に分けて、一度に１つずつサービスできるようにする。以下の説明において、ＣＳＩ−ＲＳアンテナポートとＴＸＲＵは１対１（1-to-1）マッピングされたと仮定する。従って、以下ではアンテナポートとＴＸＲＵは実質的に同一の意味を有する。
【０１０８】
図９（ａ）の例示のように、全てのＴＸＲＵ（アンテナポート、サブアレイ）が同一のアナログビームフォーミング方向を有すると、より高いレゾリューション（resolution）を有するデジタルビーム（digital beam）を形成して該当地域のスループットを増加させることができる。また、該当地域に送信データのランクを増加させて該当地域のスループットを増加させることができる。
【０１０９】
図９（ｂ）に示すように、各ＴＸＲＵ（アンテナポート、サブアレイ）が異なるアナログビームフォーミング方向を有すると、より広い領域に分布したＵＥに該当サブフレーム（ＳＦ）で同時にデータ送信が可能となる。例えば、４つのアンテナポートのうち２つは領域１にあるＵＥ１へＰＤＳＣＨ送信を行うために用い、残り２つは領域２にあるＵＥ２へＰＤＳＣＨ送信を行うために用いることができる。
【０１１０】
図９（ｂ）においては、ＵＥ１に送信されるＰＤＳＣＨ１とＵＥ２に送信されるＰＤＳＣＨ２がＳＤＭ（Spatial Division Multiplexing）された例を示す。これとは異なり、図９（ｃ）においては、ＵＥ１に送信されるＰＤＳＣＨ１とＵＥ２に送信されるＰＤＳＣＨ２がＦＤＭ（Frequency Division Multiplexing）された例を示す。
【０１１１】
全てのアンテナポートを用いて一領域をサービスする方式と、アンテナポートを分けて複数の領域を同時にサービスする方式のうち、セルスループットを最大化するために、ＵＥにサービスするランク及びＭＣＳによって好まれる方式が変更できる。また、各ＵＥに送信するデータの量によって好まれる方式が変更できる。
【０１１２】
基地局は、全てのアンテナポートを用いて一領域をサービスするときに得られるセルスループット又はスケジューリングメトリックを計算し、アンテナポートを分けて二領域をサービスするときに得られるセルスループット又はスケジューリングメトリックを計算する。基地局は、各方式で得られるセルスループット又はスケジューリングメトリックを比較して最終送信方式を選択する。その結果、ＳＦ別に（SF-by-SF）にＰＤＳＣＨ送信に参加するアンテナポートの数が変動することができる。基地局がアンテナポートの数に応じるＰＤＳＣＨの送信ＭＣＳを計算してスケジューリングアルゴリズムに反映するために、これに適合するＵＥからのＣＳＩフィードバックが要求されることができる。
【０１１３】
ビーム参照信号（Beam reference signal：ＢＲＳ）及びビーム改良参照信号（Beam refinement reference signal：ＢＲＲＳ）
【０１１４】
ＢＲＳは、少なくとも１つのアンテナポートｐ＝｛０、１、…、７｝で送信されることができる。ＢＲＳシーケンス
0006844006.tif 000004
は、以下の数１のように定義されることができる。
【０１１５】
【数１】
0006844006.tif 000005
【０１１６】
数１において、
0006844006.tif 000006
＝０、１、…、１３は、ＯＦＤＭシンボルナンバーを示す。また、ｃ（ｉ）は疑似ランダム（pseudo-random）シーケンス生成器（generator）を示し、各ＯＦＤＭシンボルの開始地点で数２により初期化されることができる。
【０１１７】
【数２】
0006844006.tif 000007
【０１１８】
ＢＲＲＳは、最大８つのアンテナポートｐ＝６００、…、６０７で送信することができる。ＢＲＲＳの送信及び受信は、ｘＰＤＣＣＨでのダウンリンクリソース割り当てで動的にスケジューリングされることができる。
【０１１９】
ＢＲＲＳシーケンス
0006844006.tif 000008
は、以下の数３のように定義されることができる。  
【０１２０】
【数３】
0006844006.tif 000009
【０１２１】
数３において、ｎ＿ｓは無線フレーム内のスロットナンバーを示し、ｌは前記スロット内のＯＦＤＭシンボルナンバー、ｃ（ｎ）は疑似ランダムシーケンスを示す。前記疑似ランダムシーケンス生成器は、各ＯＦＤＭシンボルの開始地点で数４により初期化され得る。
【０１２２】
【数４】
0006844006.tif 000010
【０１２３】
数４において、
0006844006.tif 000011
は、ＲＲＣ（Radio Resource Control）シグナリングを通じてＵＥに設定される。
【０１２４】
ＢＲＳは、サブフレーム毎に送信されることができ、ポート別に異なるアナログビーム方向に送信されることができる。このようなＢＲＳは、基地局がＵＥに対する概略的なアナログビーム方向を決定するのに用いられる。ＢＲＳに基づいてＵＥに対する概略的なアナログビーム方向が決定されると、基地局は決定されたアナログビーム方向範囲内でより精密な／細かいアナログビーム方向別にＢＲＲＳを送信してＵＥに対するより精密なアナログビーム方向を決定することができる。
【０１２５】
このように、ＵＥに対するアナログビーム方向を決定するのに用いられる参照信号に対する名称は、前述したＢＲＳ又はＢＲＲＳに限定されず、同一の機能を実行するのに使用可能な様々な参照信号で代替される／称されることは言うまでもない。例えば、ＢＲＳは、プライマリ／ファースト（primary/first）ＣＳＩ−ＲＳ、ＰＳＳ（Primary synchronization signal/sequence）、ＳＳＳ（Secondary synchronization signal/sequence）、ＳＳ（Synchronization Signal/Sequence）ｂｌｏｃｋ、ＮＲ−ＰＳＳ、及び／又はＮＲ−ＳＳＳで代替される／と称されることもでき、ＢＲＲＳは、セカンダリ／セカンド（secondary/second）ＣＳＩ−ＲＳで代替される／と称されることもできる。
【０１２６】
ダウンリンク位相ノイズ補償参照信号（DL Phase noise compensation reference signal：ＤＬ ＰＣＲＳ）
【０１２７】
ｘＰＤＳＣＨに連携されたＰＣＲＳは、ＤＣＩフォーマットでシグナリングされるようにアンテナポートＰ＝６０又はＰ＝６１で送信されることができる。ｘＰＤＳＣＨ送信が対応するアンテナポートと連携された場合にのみＰＣＲＳが存在し、このときのＰＣＲＳは位相ノイズ補償に対する有効な参照となることができる。ＰＣＲＳは、対応するｘＰＤＳＣＨがマッピングされた物理資源ブロック及びシンボルでのみ送信されることができる。ＰＣＲＳは、ｘＰＤＳＣＨ割り当てに対応する全てのシンボルで同一でありうる。
【０１２８】
アンテナポートｐ＝６０、６１のうちどのポートに対しても、ＰＣＲＳシーケンスｒ（ｍ）は数５のように定義されることができる。  
【０１２９】
【数５】
0006844006.tif 000012
【０１３０】
数５において、ｃ（ｉ）は疑似ランダムシーケンスを示す。前記疑似ランダムシーケンス生成器は、各サブフレームの開始地点で数６により初期化されることができる。
【０１３１】
【数６】
0006844006.tif 000013
【０１３２】
数６において
0006844006.tif 000014
はｉ＝０、１であるときに以下のように決定される。
【０１３３】
−もし、
0006844006.tif 000015
に対する値が上位層により提供されない場合、
0006844006.tif 000016
【０１３４】
−それ以外は、
0006844006.tif 000017
【０１３５】
ｎ＿ＳＣＩＤ値は、特別に決定されないと、０に設定されることができる。ｘＰＤＳＣＨ送信において、ｎ＿ＳＣＩＤはｘＰＤＳＣＨ送信に連携されたＤＣＩフォーマットにより与えられることができる。
【０１３６】
アンテナポート間のＱＣＬ（quasi co-located）
【０１３７】
本発明においては、端末がデータ（例えば、ＰＤＳＣＨ）を受信するとき、特定ＤＭＲＳのような端末固有参照信号（UE-specific RS）に復調（demodulation）するようにする方式を考慮する。このようなＤＭＲＳは、該当ＰＤＳＣＨのスケジューリングされたＲＢ（scheduled RB（s））に対してのみ共に送信され、スケジューリングされたＰＤＳＣＨ（scheduled PDSCH）が送信される時間区間の間にのみ送信されるので、該当ＤＭＲＳ自体でのみチャネル推定を行うのには受信性能の限界が存在する。例えば、チャネル推定を行うにおいて、無線チャネルの主要ＬＳＰ（large-scale parameter/property）の推定値が必要であり、それを前記スケジューリングされたＰＤＳＣＨが送信されるｔｉｍｅ／ｆｒｅｑ領域に存在するＤＭＲＳのみで得ることにはＤＭＲＳ密度（density）が不足することがある。従って、このような端末の実現を支援するために、ＬＴＥ−Ａ標準では次のようなＲＳポート間のＱＣＬシグナリング／仮定／動作（quasi co-location signaling/assumption/behavior）を定義し、それにより、端末を設定／動作させることのできる方式を支援している。
【０１３８】
ＱＣ／ＱＣＬ（quasi co-located又はquasi co-location）は、次のように定義されることができる。
【０１３９】
２つのアンテナポートがＱＣ／ＱＣＬ関係にある（又は、ＱＣ／ＱＣＬされた）とすると、１つのアンテナポートを介して伝達される信号の広範囲特性（large-scale property）が他の１つのアンテナポートを介して伝達される信号から暗示（infer）されることができると端末が仮定することができる。ここで、前記広範囲特性は、遅延拡散（Delay spread）、ドップラー拡散（Doppler spread）、周波数シフト（Frequency shift）、平均受信パワー（Average received power）、受信タイミング（Received Timing）のうち１つ以上を含む。
【０１４０】
また、次のように定義されることもできる。２つのアンテナポートがＱＣ／ＱＣＬ関係にある（又は、ＱＣ／ＱＣＬされた）とすると、１つのアンテナポートを介して１シンボルが伝達されるチャネルの広範囲特性（large-scale property）が他の１つのアンテナポートを介して１シンボルが伝達される無線チャネルから暗示（infer）できると、端末が仮定することができる。ここで、前記広範囲特性は、遅延拡散（delay spread）、ドップラー拡散（Doppler spread）、ドップラーシフト（Doppler shift）、平均利得（average gain）及び平均遅延（average delay）のうち１つ以上を含む。
【０１４１】
すなわち、２つのアンテナポートがＱＣ／ＱＣＬ関係にある（又は、ＱＣ／ＱＣＬされた）ということは、１つのアンテナポートからの無線チャネルの広範囲特性が他の１つのアンテナポートからの無線チャネルの広範囲特性と同一であることを意味する。ＲＳが送信される複数のアンテナポートを考慮すると、異なる２種類のＲＳが送信されるアンテナポートがＱＣＬ関係にあれば、１種類のアンテナポートからの無線チャネルの広範囲特性を他の１種類のアンテナポートからの無線チャネルの広範囲特性に代替することができる。
【０１４２】
本明細書においては上記ＱＣ／ＱＣＬ関連の定義を区分しない。すなわち、ＱＣ／ＱＣＬの概念は、上記定義の１つを従うことができる。あるいは、類似した他の形態で、ＱＣ／ＱＣＬ仮定が成立するアンテナポート間にはまるで同一位置（co-location）から送信するかのように仮定できるという形態（例えば、同一送信ポイント（transmission point）から送信するアンテナポートであると端末が仮定できることなど）にＱＣ／ＱＣＬ概念の定義が変形されることもでき、本発明の思想は、このような類似変形例を含む。本発明においては、説明の便宜上、上記ＱＣ／ＱＣＬ関連の定義を混用する。
【０１４３】
前記ＱＣ／ＱＣＬの概念によって、端末は非ＱＣ／ＱＣＬ（Non-QC/QCL）アンテナポートに対しては該当アンテナポートからの無線チャネル間に同一の前記広範囲特性を仮定することができない。すなわち、この場合、端末はタイミング取得及びトラッキング（tracking）、周波数オフセット推定及び補償、遅延推定及びドップラー推定などに対してそれぞれの設定された非ＱＣ／ＱＣＬアンテナポート別に独立的なプロセシングを行わなければならない。
【０１４４】
ＱＣ／ＱＣＬを仮定できるアンテナポート間に対して、端末は次のような動作を行うことができるという利点がある：
【０１４５】
−遅延拡散及びドップラー拡散に対して、端末はある１つのアンテナポートからの無線チャネルに対する電力−遅延−プロファイル（power-delay profile）、遅延拡散及びドップラースペクトル（Doppler spectrum）、ドップラー拡散推定結果を、他のアンテナポートからの無線チャネルに対するチャネル推定時に用いられるウィナーフィルタ（Wiener filter）などに同一に適用することができる。
【０１４６】
−周波数シフト及び受信されたタイミングに対して、端末はある１つのアンテナポートに対する時間及び周波数の同期化を行った後、同一の同期化を他のアンテナポートの復調に適用することができる。
【０１４７】
−平均受信電力に対して、端末は２つ以上のアンテナポートに対してＲＳＲＰ（Reference Signal Received Power）測定を平均することができる。
【０１４８】
例えば、端末がダウンリンクデータチャネルを復調するためのＤＭＲＳアンテナポートがサービングセルのＣＲＳアンテナポートとＱＣ／ＱＣＬされた場合、端末は、該当ＤＭＲＳアンテナポートを通じたチャネル推定時に自分のＣＲＳアンテナポートから推定した無線チャネルの広範囲特性（large-scale properties）を同一に適用してＤＭＲＳベースのダウンリンクデータチャネルの受信性能を向上させることができる。
【０１４９】
その理由は、ＣＲＳはサブフレーム毎にそして全体帯域にわたって相対的に高い密度（density）でブロードキャストされる参照信号であるので、広範囲特性に関する推定値はＣＲＳからより安定的に取得が可能であるためである。それに対して、ＤＭＲＳは、特定スケジューリングされたＲＢに対しては端末固有に送信され、また、ＰＲＧ（precoding resource block group）単位の場合、基地局により送信に用いられるプリコーディング行列（precoding matrix）が変化することがあり、これにより、端末に受信される有効チャネルはＰＲＧ単位で変化するので、複数のＰＲＧがスケジューリングされる場合であっても広い帯域にわたってＤＭＲＳを無線チャネルの広範囲特性推定用として使用するとき、性能劣化が発生することがある。さらに、ＣＳＩ−ＲＳもその送信周期が数〜数十ｍｓになり、資源ブロック当たり平均的にアンテナポート当たり１資源要素の低い密度を有するので、ＣＳＩ−ＲＳも同様に無線チャネルの広範囲特性推定用として用いる場合、性能劣化が発生する可能性がある。
【０１５０】
すなわち、アンテナポート間のＱＣ／ＱＣＬ仮定を行うことにより端末はダウンリンク参照信号の検出／受信、チャネル推定、チャネル状態報告などに活用することができる。
【０１５１】
一方、端末は、サービングセルのアンテナポート０〜３とＰＳＳ／ＳＳＳのためのアンテナポートはドップラーシフト及び平均遅延に対してＱＣＬ関係を有すると仮定することができる。
【０１５２】
ＰＤＳＣＨ資源マッピングパラメータ
【０１５３】
与えられたサービングセルに対する送信モード１０が設定されたＵＥは、ＵＥ及び与えられたサービングセル用のＤＣＩフォーマット２Ｄを有する検出されたＰＤＣＣＨ／ＥＰＤＣＣＨによってＰＤＳＣＨをデコーディングするために上位層シグナリングによりパラメータセットの設定を４つまで受けることができる。
【０１５４】
もし、ＵＥがタイプＢのＱＣＬタイプの設定を受ける場合、ＰＤＳＣＨ ＲＥマッピング及びＰＤＳＣＨアンテナポートＱＣＬを決定するために、ＤＣＩフォーマット２Ｄを有する検出されたＰＤＣＣＨ／ＥＰＤＣＣＨにおいて以下の表３に示す「ＰＤＳＣＨ ＲＥマッピング及びＱｕａｓｉ−Ｃｏ−Ｌｏｃａｔｉｏｎインジケータ」フィールド値によって設定されたパラメータを用いることができる。対応するＰＤＣＣＨ／ＥＰＤＣＣＨがないＰＤＳＣＨの場合、ＰＤＳＣＨ ＲＥマッピング及びＰＤＳＣＨアンテナポートＱＣＬを決定するために関連したＳＰＳ活性化に対応するＤＣＩフォーマット２Ｄを有するＰＤＣＣＨ／ＥＰＤＣＣＨで指示されたパラメータセットを用いることができる。
【０１５５】
【表３】
0006844006.tif 000018
【０１５６】
ＰＤＳＣＨ ＲＥマッピング及びＰＤＳＣＨアンテナポートＱＣＬを決定するための次のパラメータは、各パラメータセットに対する上位層シグナリングを通じて設定される：
【０１５７】
−ｃｒｓ−ＰｏｒｔｓＣｏｕｎｔ−ｒ１１
【０１５８】
−ｃｒｓ−ＦｒｅｑＳｈｉｆｔ−ｒ１１
【０１５９】
−ｍｂｓｆｎ−ＳｕｂｆｒａｍｅＣｏｎｆｉｇＬｉｓｔ−ｒ１１
【０１６０】
−ｃｓｉ−ＲＳ−ＣｏｎｆｉｇＺＰＩｄ−ｒ１１
【０１６１】
−ｐｄｓｃｈ−Ｓｔａｒｔ−ｒ１１
【０１６２】
−ｑｃｌ−ＣＳＩ−ＲＳ−ＣｏｎｆｉｇＮＺＰＩｄ−ｒ１１
【０１６３】
−ｚｅｒｏＴｘＰｏｗｅｒＣＳＩ−ＲＳ２−ｒ１２（ＵＥにＴＤＤサービングセルに対する上位層パラメータＣＳＩ−Ｒｅｐｏｒｔｉｎｇ−Ｔｙｐｅが設定された場合）
【０１６４】
ＵＥ及び与えられたサービングセル用として意図されたＣ−ＲＮＴＩでスクランブリングされたＣＲＣを有するＤＣＩフォーマット１Ａを有する検出されたＰＤＣＣＨ／ＥＰＤＣＣＨによってＰＤＳＣＨをデコーディングし、アンテナポート７でのＰＤＳＣＨ送信のために、ＵＥがタイプＢのＱＣＬタイプの設定を受ける場合、ＰＤＳＣＨ ＲＥマッピング及びＰＤＳＣＨアンテナポートＱＣＬを決定するために、与えられたサービングセルのための送信モード１０が設定されたＵＥは、表３のパラメータセット１を用いなければならない。
【０１６５】
ＤＣＩフォーマット１Ａを有するＰＤＣＣＨ／ＥＰＤＣＣＨで指示されたＳＰＳ活性化に関連した対応するＰＤＣＣＨ／ＥＰＤＣＣＨ無しにＳＰＳ Ｃ−ＲＮＴＩ及びＰＤＳＣＨでスクランブリングされたＣＲＣを有するＤＣＩフォーマット１Ａを有する検出されたＰＤＣＣＨ／ＥＰＤＣＣＨに対応するＰＤＳＣＨをデコーディングするために、与えられたサービングセルに対して送信モード１０が設定されたＵＥは、ＰＤＳＣＨ ＲＥマッピング及びＰＤＳＣＨアンテナポートＱＣＬを決定するために、表３のパラメータセット１を用いなければならない。
【０１６６】
与えられたサービングセルにおいてＵＥのためのＤＣＩフォーマット１Ａを有する検出されたＰＤＣＣＨ／ＥＰＤＣＣＨによってＰＤＳＣＨをデコーディングし、アンテナポート０〜３でのＰＤＳＣＨ送信のために、与えられたサービングセルに対して送信モード１０が設定されたＵＥは、最も低い値でインデックスされた（the lower indexed）ｚｅｒｏ−ｐｏｗｅｒ ＣＳＩ−ＲＳを用いてＰＤＳＣＨ ＲＥマッピングを決定しなければならない。
【０１６７】
ＰＤＳＣＨのためのアンテナポートＱＣＬ
【０１６８】
サービングセルのための送信モード８〜１０が設定されたＵＥは、サービングセルのアンテナポート７〜１４は与えられたサブフレームの遅延拡散、ドップラー拡散、ドップラーシフト、平均利得及び平均遅延に対してＱＣＬされたと仮定する。
【０１６９】
また、サービングセルのための送信モード１〜９が設定されたＵＥは、サービングセルのアンテナポート０〜３、５及び７〜３０が与えられたサブフレームの遅延拡散、ドップラー拡散、ドップラーシフト、平均利得及び平均遅延に対してＱＣＬされたと仮定する。
【０１７０】
サービングセルのための送信モード１０が設定されたＵＥは、アンテナポート７〜１４に関連した送信方式によってＰＤＳＣＨをデコーディングするために、上位層パラメータｑｃｌ−Ｏｐｅｒａｔｉｏｎによりサービングセルに対して次のような２つのＱＣＬタイプのうち１つから構成される。
【０１７１】
−タイプＡ：ＵＥにおいて、サービングセルのアンテナポート０〜３、７〜３０が遅延拡散、ドップラー拡散、ドップラーシフト及び平均遅延に対してＱＣＬされる。
【０１７２】
−タイプＢ：ＵＥにおいて、上位層パラメータｑｃｌ−ＣＳＩ−ＲＳ−ＣｏｎｆｉｇＮＺＰＩｄ−ｒ１１により識別されるＣＳＩ−ＲＳ資源構成に該当するアンテナポート１５〜３０とＰＤＳＣＨに関連したアンテナポート７〜１４はドップラーシフト、ドップラー拡散、平均遅延、及び遅延拡散に対してＱＣＬされる。
【０１７３】
ＬＡＡ（Licensed-Assisted Access）Ｓｃｅｌｌの場合、ＵＥはＱＣＬタイプＢが設定されることを期待しない。
【０１７４】
ＣＳＩ（Channel-State Information）−ＲＳ（Reference Signal）定義
【０１７５】
送信モード９が設定されたが、上位層パラメータｅＭＩＭＯ−ｔｙｐｅが設定されていないサービングセル及びＵＥに対して、ＵＥは１つのＣＳＩ−ＲＳ資源構成の設定を受けることができる。
【０１７６】
また、サービングセル及びＵＥに対して送信モード９及び上位層パラメータｅＭＩＭＯ−ｔｙｐｅが設定され、ｅＭＩＭＯ−ｔｙｐｅがクラス（ＣＡＬＳＳ）Ａに設定された場合、ＵＥは１つのＣＳＩ−ＲＳ資源構成の設定を受けることができる。
【０１７７】
さらに、サービングセル及びＵＥに対して送信モード９及び上位層パラメータｅＭＩＭＯ−ｔｙｐｅが設定され、ｅＭＩＭＯ−ｔｙｐｅがＣＡＬＳＳ Ｂに設定された場合、ＵＥは１つ以上のＣＳＩ−ＲＳ資源構成の設定を受けることができる。
【０１７８】
送信モード１０が設定されたサービングセル及びＵＥに対して、ＵＥは１つ以上のＣＳＩ−ＲＳ資源構成の設定を受けることができる。ＣＳＩ−ＲＳに対してｎｏｎ−ｚｅｒｏ送信電力を仮定しなければならないＵＥのための以下のパラメータは、それぞれのＣＳＩ−ＲＳ資源構成に対する上位層シグナリングを通じて設定される：
【０１７９】
−ＣＳＩ−ＲＳ資源構成識別子（ＵＥに送信モード１０が設定された場合）
【０１８０】
−ＣＳＩ−ＲＳポートの数
【０１８１】
−ＣＳＩ−ＲＳ構成
【０１８２】
−ＣＳＩ−ＲＳサブフレーム構成Ｉ＿（ＣＳＩ−ＲＳ）
【０１８３】
−ＣＳＩフィードバック（Ｐ＿ｃ）のための基準ＰＤＳＣＨ送信電力に対するＵＥの仮定（ＵＥに送信モード９が設定された場合）
【０１８４】
−ＵＥに送信モード１０が設定されると、それぞれのＣＳＩプロセスに対するＣＳＩフィードバック（Ｐ＿ｃ）のための基準ＰＤＳＣＨ送信電力に対するＵＥ仮定。ＣＳＩサブフレームセットＣ＿（ＣＳＩ，０）及びＣ＿（ＣＳＩ，１）がＣＳＩプロセスのための上位層により設定されると、ＣＳＩプロセスの各ＣＳＩサブフレームセットのためのＰ＿ｃが設定される。
【０１８５】
−擬似ランダム（Pseudo-random）シーケンス生成器パラメータ（ｎ＿ＩＤ）。
【０１８６】
−ＵＥが上位層パラメータＣＳＩ−Ｒｅｐｏｒｔｉｎｇ−Ｔｙｐｅの設定を受け、ＣＳＩ報告タイプがＣＳＩプロセスに対する「クラスＡ」に設定された場合、ＣＤＭタイプパラメータ。
【０１８７】
−ＵＥに送信モード１０が設定された場合、以下のパラメータを有するＣＲＳアンテナポート及びＣＳＩ−ＲＳアンテナポートのＱＣＬタイプＢのＵＥ仮定に対する上位層パラメータｑｃｌ−ＣＲＳ−ｉｎｆｏ−ｒ１１：
【０１８８】
− ｑｃｌ−ＳｃｒａｍｂｌｉｎｇＩｄｅｎｔｉｔｙ−ｒ１１.
【０１８９】
− ｃｒｓ−ＰｏｒｔｓＣｏｕｎｔ−ｒ１１.
【０１９０】
− ｍｂｓｆｎ−ＳｕｂｆｒａｍｅＣｏｎｆｉｇＬｉｓｔ−ｒ１１.
【０１９１】
Ｐ＿ｃは、ＵＥがＣＳＩフィードバックを導出して１ｄＢステップサイズで［−８、１５］ｄＢの範囲内の値を取るとき、ＣＳＩ−ＲＳ ＥＰＲＥ（Energy Per Resource Element）に対するＰＤＳＣＨ ＥＰＲＥの推定された比率であり、ここで、ＰＤＳＣＨ ＥＰＲＥはセル関連ＲＳ ＥＰＲＥに対するＰＤＳＣＨ ＥＰＲＥの比率に対するシンボル数に対応する。
【０１９２】
ＵＥは、サービングセルの同一のサブフレームにおいてＣＳＩ−ＲＳ及びＰＭＣＨの構成を期待しない。
【０１９３】
フレーム構造タイプ２サービングセルと４つのＣＲＳポートの場合、ＵＥは、一般ＣＰの場合、［２０ −３１］セット、又は拡張ＣＰの場合、［１６ −２７］セットに属するＣＳＩ−ＲＳ構成インデックスを受信することを期待しない。
【０１９４】
ＵＥは、ＣＳＩ−ＲＳ資源構成のＣＳＩ−ＲＳアンテナポート間には遅延拡散、ドップラー拡散、ドップラーシフト、平均利得及び平均遅延に対してＱＣＬされると仮定することができる。
【０１９５】
送信モード１０及びＱＣＬタイプＢが設定されたＵＥは、ＣＳＩ−ＲＳ資源構成に対応するｑｃｌ−ＣＲＳ−Ｉｎｆｏ−ｒ１１と連携されたアンテナポート０〜３を仮定することができ、ＣＳＩ−ＲＳ資源構成に対応するアンテナポート１５〜３０はドップラーシフト及びドップラー拡散に対してＱＣＬされたと仮定することができる。
【０１９６】
ＵＥに送信モード１０及び上位層パラメータｅＭＩＭＯ−ｔｙｐｅが設定され、前記ｅＭＩＭＯ ｔｙｐｅがクラスＢに設定され、１つのＣＳＩ手順のために設定されたＣＳＩ−ＲＳ資源の数が複数であり、ＱＣＬタイプＢが設定された場合、ＵＥは、上位層パラメータｑｃｌ−ＣＲＳ−Ｉｎｆｏ−ｒ１１と異なる値を有するＣＳＩプロセスに対するＣＳＩ−ＲＳ資源構成を受信することを期待しない。
【０１９７】
ＣＥＭｏｄｅＡ又はＣＥＭｏｄｅＢが設定されたＢＬ／ＣＥ ＵＥは、ｎｏｎ−ｚｅｒｏ送信電力ＣＳＩ−ＲＳが設定されることを期待しない。
【０１９８】
ＣＳＩ報告方法
【０１９９】
ＦＤ（Full Dimension）−ＭＩＭＯ（又は、大規模（massive）−ＭＩＭＯ、進歩した（enhanced）−ＭＩＭＯ、大規模アンテナシステム（Large-Scale Antenna System）、非常に大きい（Very Large）ＭＩＭＯ、ハイパー（Hyper）−ＭＩＭＯなどと称されることができる）が導入されることにより、基地局はＮ（Ｎ＞＞１）アンテナポート（又は、特定ポートツー要素（port-to-element）仮想化（virtualization）によって「要素（element）」に該当することもでき、以下では説明の便宜上、「ポート（port）」と総称する）を用いてＤビームフォーミングなどを行うことによりシステムのスループット（throughput）を向上させることができる。
【０２００】
現在、３ＧＰＰ Ｒｅｌ−１３ではクラスＡと定義されるプリコーディングされない方式（non-precoded scheme）のＣＳＩ−ＲＳ動作（又は、ＣＳＩ報告動作）（各ＣＳＩプロセスが１つのＣＳＩ−ＲＳ資源と１つのＣＳＩ−ＩＭ資源に関連することができる）と、Ｃｌａｓｓ Ｂと定義されるビームフォーミングされた方式（beamformed scheme）のＣＳＩ−ＲＳ動作（又は、ＣＳＩ報告動作）（各ＣＳＩプロセスは１つ又はそれ以上のＣＳＩ−ＲＳ資源と１つ又はそれ以上のＣＳＩ−ＩＭ資源に関連することができる）を定義する。
【０２０１】
クラスＡの場合、ＦＤ ＭＩＭＯシステムにおいて基地局は１つのＣＳＩ手順内で複数のＣＳＩ−ＲＳ資源をＵＥに設定（configure）することができる。ＵＥは、１つのＣＳＩ手順内で設定されたＣＳＩ−ＲＳ資源それぞれを独立チャネルとみなさず併合して１つの大きいＣＳＩ−ＲＳ資源と仮定し、該当資源からＣＳＩを計算／取得して基地局にフィードバックする。例えば、１つのＣＳＩ手順内で基地局がＵＥに３つの４−ｐｏｒｔ ＣＳＩ−ＲＳ資源を設定した場合、ＵＥは設定された３つの４−ｐｏｒｔ ＣＳＩ−ＲＳ資源を併合して１つの１２−ｐｏｒｔ ＣＳＩ−ＲＳ資源と仮定する。ＵＥは、該当資源から１２−ｐｏｒｔ ＰＭＩを用いてＣＳＩを計算／取得して基地局にフィードバックする。
【０２０２】
クラスＢの場合も、ＦＤ ＭＩＭＯシステムにおいて基地局はＵＥに１つのＣＳＩ手順内で複数のＣＳＩ−ＲＳ資源を設定することができる。例えば、１つのＣＳＩ手順内で基地局はＵＥに８つの４−ｐｏｒｔ ＣＳＩ−ＲＳ資源を設定することができる。８つの４−ｐｏｒｔ ＣＳＩ−ＲＳそれぞれに異なる仮想化（virtualization）が適用されることにより異なるビームフォーミングが適用されることができる。例えば、１番目のＣＳＩ−ＲＳに１００度の天頂角（zenith angle）で垂直ビームフォーミング（vertical beamforming）が適用された場合を仮定すると、５度の天頂角の差をおいて２番目〜８番目のＣＳＩ−ＲＳに垂直ビームフォーミングが適用されることができ、その結果、８番目に該当するＣＳＩ−ＲＳには１３５度の天頂角で垂直ビームフォーミングが適用されていることができる。
【０２０３】
この場合、ＵＥは、設定されたＣＳＩ−ＲＳ資源それぞれを独立的なチャネルと仮定し、設定されたＣＳＩ−ＲＳ資源のうち１つを選択し、選択した資源を基準にＣＳＩを計算／取得して基地局にフィードバック／報告する。すなわち、ＵＥは、設定された８つの４−ｐｏｒｔ ＣＳＩ−ＲＳ資源のうちチャネルが強靱である（robust）ＣＳＩ−ＲＳ資源を選択し、選択したＣＳＩ−ＲＳ資源を基準にＣＳＩを計算して基地局に報告することができる。この場合、ＵＥは、選択したＣＳＩ−ＲＳ資源をＣＲＩ（CSI-RS Resource Index）値により基地局に報告することができる。例えば、１番目のＣＳＩ−ＲＳ資源チャネルが最も強靱である場合、ＵＥはＣＲＩ値を「０」に設定して基地局に報告することができる。
【０２０４】
前述した特徴を効果的に表すためにクラスＢ ＣＳＩ手順において、次のような変数を定義することができる。Ｋは、ＣＳＩプロセス内に存在するＣＳＩ−ＲＳ資源の数、Ｎｋはｋ番目のＣＳＩ−ＲＳ資源のＣＳＩ−ＲＳポート数を意味することができる。例えば、ＵＥが８つの４−ｐｏｒｔ ＣＳＩ−ＲＳ資源の設定を受けた場合、Ｋは８であり、Ｎｋはｋの値に関係なく４である。
【０２０５】
現在、Ｒｅｌ−１３において、ＣＲＩは特定ＣＳＩ−ＲＳ資源のみを指示するが、今後ＣＲＩは特定ＣＳＩ−ＲＳに特定ポート組み合わせを指示することによりさらに具体化することができる。例えば、ＣＲＩはＣＳＩ手順内８つのＣＳＩ−ＲＳ資源のうち選択された１つのＣＳＩ−ＲＳ資源を指示し、追加的に選択された１つのＣＳＩ−ＲＳ資源が１５、１６番ポートの組み合わせで構成されたことを指示することによりさらに具体化することができる。ここで、ＣＲＩは、各ＣＳＩ−ＲＳ資源別に１５及び１６番ポートの組み合わせ又は１７及び１８番ポートの組み合わせを指示することができるとしたら、ＣＲＩは１６個（＝２＾４）値のうちいずれか１つの値に設定されることができる。
【０２０６】
すなわち、ＣＲＩ＝０に設定される場合、１番目のＣＳＩ−ＲＳ資源の１５及び１６番ポートの組み合わせを指示し、ＣＲＩ＝１に設定される場合、１番目のＣＳＩ−ＲＳ資源の１７及び１８番ポートの組み合わせを指示し、ＣＲＩ＝２に設定される場合、２番目のＣＳＩ−ＲＳ資源の１５及び１６番ポートの組み合わせを指示し、ＣＲＩ＝３に設定される場合、２番目のＣＳＩ−ＲＳ資源の１７及び１８番ポートの組み合わせを指示する方式でＣＲＩ値の昇順によって各ＣＳＩ−ＲＳ別のポート組み合わせを指示することができ、最終的にＣＲＩ＝１５に設定される場合、最後の８番目のＣＳＩ−ＲＳ資源の１７及び１８番ポートの組み合わせを指示する。
【０２０７】
クラスＡの場合、端末がＮ個のアンテナポートを測定し、これを用いてＮ−ｐｏｒｔプリコーダ（precoder）を選択してそれに関連したＣＳＩ（ＰＭＩ、ＣＱＩ、ＲＩなど）を基地局に報告する。しかしながら、Ｎが増加するにつれて、端末のチャネル測定のためのＣＳＩ−ＲＳも増加しなければならず、これに関連したコードブックサイズも増加して、結果的に、フィードバックオーバーヘッド（feedback overhead）も増加する。
【０２０８】
それに対して、クラスＢの場合、ＣＳＩ−ＲＳポート数は基地局のアンテナポート数よりは端末の最大ランク（rank）に関連しており、基地局のアンテナポート数が増加してもＣＳＩ−ＲＳは大きく増加することなく用いることができるという利点がある。ただ、基地局においてビーム選択（selection）を実施しなければならないので、端末の移動性（mobility）が高い環境と基地局のビームが狭い（narrow）環境ではビームフォーミングの強靱性が低下する可能性があるという欠点がある。
【０２０９】
このような２つの技法の欠点を補完して利点を最大化するために、クラスＡとＢを組み合わせて用いるハイブリッド（hybrid）ＣＳＩ−ＲＳベースの技法（scheme）（又は、ＣＳＩ報告技法）が考慮されることができる。
【０２１０】
物理チャネルとの独立的な仮定（Assumptions independent of physical channel）
【０２１１】
ＵＥは、特別に明示されない限り、２つのアンテナポートがＱＣＬされると仮定してはならない。
【０２１２】
ＵＥは、サービングセルのアンテナポート０〜３が遅延拡散、ドップラー拡散、ドップラーシフト、平均利得及び平均遅延に対してＱＣＬされていると仮定することができる。
【０２１３】
ディスカバリ信号ベースの測定目的の場合、ＵＥは、ディスカバリ信号以外の他の信号又は物理チャネルがあると仮定してはならない。
【０２１４】
ＵＥがｄｉｓｃｏｖｅｒｙＳｉｇｎａｌｓＩｎＤｅａｃｔＳＣｅｌｌ−ｒ１２を支援し、ＵＥに同一のキャリア周波数上でセカンダリセルに適用できるキャリア周波数に対するディスカバリ信号ベースのＲＲＭ測定が設定されており、セカンダリセルが非活性化しており、ＵＥが上位層によりセカンダリセルでＭＢＭＳを受信すると設定されていない場合、ＵＥは、（ディスカバリ信号送信を除く）ＰＳＳ、ＳＳＳ、ＰＢＣＨ（Physical Broadcast Channel）、ＣＲＳ、ＰＣＦＩＣＨ、ＰＤＳＣＨ、ＰＤＣＣＨ、ＥＰＤＣＣＨ、ＰＨＩＣＨ、ＤＭＲＳ及びＣＳＩ−ＲＳがセカンダリセルに対して活性化命令が受信されたサブフレームまではセカンダリセルにより送信されないと仮定する。
【０２１５】
新しいＲＡＴのためのＱＣＬ仮定及びシグナリング方法
【０２１６】
ＱＣＬ動作を行う端末において、ＱＣＬタイプＢに設定された場合、スケジューリングされたＰＤＳＣＨと共に送信されるＤＭＲＳのチャネル推定協力を受けるためにスケジューリングＤＣＩで指示する特定のＱＣＬされた（QCLed）ＣＳＩ−ＲＳ資源から推定されたＬＳＰを用いることができる。しかしながら、本発明において考慮するＮｅｗ ＲＡＴ（ＮＲ）環境では、ＣＳＩ−ＲＳの送信自体が従来の周期的な形態を脱して必要な時だけ送信するという観点からの非周期的（aperiodic）ＣＳＩ−ＲＳ送信方式が考慮されているので、ＱＣＬ仮定のためのＣＳＩ−ＲＳとして活用されるＲＳ密度が既存のシステムに比べて著しく不足する可能性があるという問題がある。従って、以下では、このようなＮＲ環境における非周期的ＣＳＩ−ＲＳ送信方式などを考慮した多様なＱＣＬ動作実施形態に対して提案する。提案の前に、ＮＲ環境で定義できるＱＣＬパラメータについて説明する。ただ、以下のＱＣＬパラメータはＮＲ環境に限定されるものではなく、多様な無線通信システムに適用できることは言うまでもない。
【０２１７】
１．ＱＣＬパラメータ
【０２１８】
（ＮＲ環境において）考慮されるＱＣＬパラメータとして次のうち少なくとも１つが定義／設定される：
【０２１９】
−遅延拡散（Delay spread）
【０２２０】
−ドップラー拡散（Doppler spread）
【０２２１】
−ドップラーシフト（Doppler shift）
【０２２２】
−平均利得（Average gain）
【０２２３】
−平均遅延（Average delay）
【０２２４】
−平均角（Average angle：ＡＡ）
【０２２５】
−角度拡散（Angular spread：ＡＳ）
【０２２６】
ＮＲ環境においてはアナログビームフォーミングがＵＥ側で適用されるとき、到着角 （arrival angle）に対する新しいタイプのＱＣＬ特性を考慮する必要があるので、ＡＡ及びＡＳのような受信ビーム関連パラメータが新しいタイプのＱＣＬパラメータとして定義されることができる。
【０２２７】
ＡＡの観点から、ＱＣＬが保証／仮定されるアンテナポート間には受信ビーム方向（及び／又は、受信ビーム幅／スイーピング程度）に対するＱＣＬ仮定が可能である。例えば、端末は、特定アンテナポートから推定されるＡＡと同一であるか、又は（これと関連して）類似するように他のアンテナポートからの送信信号の受信ビーム方向（及び／又は、受信ビーム幅／スイーピング程度）などを設定して送信信号の受信が可能であることを意味することができる。このようにＵＥが動作したとき、受信性能が特定レベル以上に保証されることができる。このようなＡＡは、例えば、「（Ａｌｍｏｓｔ） Ｄｏｍｉｎａｎｔ ａｒｒｉｖａｌ ａｎｇｌｅ」などの名称に代替されることができる。
【０２２８】
つまり、ＡＡの観点からＱＣＬ仮定されるということは、特定アンテナポートから測定される信号の特定ｄｏｍｉｎａｎｔ （ａｒｒｉｖａｌ） ａｎｇｌｅ 「Ｓ」が存在すると仮定すると、これとＱＣＬ仮定される（又は、ＱＣＬ関係を有する）他のアンテナポートから測定される信号の特定ｄｏｍｉｎａｎｔ （ａｒｒｉｖａｌ） ａｎｇｌｅは、前記Ｓと「ほぼ（almost）」同一である／類似するという意味に解釈することができる。すなわち、ＱＣＬ仮定が可能な受信機は、特定の指示されたＱＣＬされた（QCLed）ＲＳ／ＳＳから推定されたＡＡを「ほぼ（almost）」そのまま該当ＲＳ／ＳＳとＱＣＬ関係を有する他のＱＣＬされた（QCLed）ＲＳ／ＳＳの受信処理に活用／適用可能となり、その結果、効率的な受信機の実現／動作が可能であるという利点が存在する。
【０２２９】
ＡＳの観点から、２つのアンテナポート間にＱＣＬ仮定されることは、特定ポートのＡＳは、該当ポートとＱＣＬされた他のポートから推定されたＡＳから誘導／推定／適用できることを意味する。
【０２３０】
ＡＳは、アジマスＡＳ（Azimuth AS）及びゼニスＡＳ（Zenith AS）に区分されることができ、この場合は、区分される次元（dimension）別に、別々に又は共に定義されることもできる。そして／または、ＡＳは、出発ＡＳ（departure AS）及び到着ＡＳ（arrival AS）に区分されることができ、区分されるＡＳ別に、別々に又は共に定義されることもできる。
【０２３１】
ＡＳの観点から、ＱＣＬが保証／仮定されるアンテナポート間には受信ビーム幅／スイーピング程度（及び／又は、受信ビーム方向）に対するＱＣＬ仮定が可能である。例えば、端末は、特定アンテナポートから推定されるＡＳと同一であるか、又は（これと関連して）類似するように他のアンテナポートからの送信信号の受信ビーム幅／スイーピング程度（及び／又は、受信ビーム方向）などを設定して送信信号の受信が可能であることを意味することができる。このように、ＵＥが動作したときに受信性能が特定レベル以上に保証されることができる。
【０２３２】
ＡＡ及びＡＳに関連して、上記内容をまとめると、ＡＡは平均的な、（最も）有効な／ドミナント（dominant）ビーム／空間方向／角度関連パラメータと解析されることができ、ＡＳは（前記ＡＡを中心／基準に）反射体分布などによりビーム方向がどのくらい広がっているかに関するビーム／空間／角度スペクトル／範囲関連パラメータと解析されることができる。
【０２３３】
このようなＡＡ及びＡＳは、結局、受信ビーム／空間／角度運用（management）機能のためのＱＣＬ仮定に用いられるパラメータであるので、例えば、受信ビームパラメータ、受信ビーム関連パラメータ、受信角度パラメータ、受信角度関連パラメータ、受信空間パラメータ、空間ＱＣＬパラメータ、空間パラメータ又は空間受信（Spatial Rx）パラメータなどと称することができる。以下では、説明の便宜上、ＡＡ及びＡＳを「受信ビーム関連パラメータ」と総称する。
【０２３４】
受信ビーム関連パラメータとしては、前述したＡＡ及び／又はＡＳと同一／類似した性質のＡｏＡ（Angle of Arrival）、ドミナントＡｏＡ（Dominant AoA）、平均ＡｏＡ（average AoA）、ＰＡＳ（Power Angular Spectrum ）ｏｆ ＡｏＡ、ＡｏＤ（average Angle of Departure）、ＰＡＳ ｏｆ ＡｏＤ, 送信／受信チャネル相関（transmit/receive channel correlation）、送信／受信ビームフォーミング（transmit/receive beamforming）、空間チャネル相関（spatial channel correlation）などが定義される。
【０２３５】
ＰＡＰ（Power Angle（-of-Arrival） Profile）の観点から、２つのアンテナポート間にＱＣＬ仮定されることは、特定ポートのＰＡＰは該当ポートとＱＣＬされた他のポートから推定されたＰＡＰから誘導／推定／適用できることを意味する（すなわち、２つのポート間のＰＡＰが同一である又は類似するという特性が誘導／推定／適用可能）。ＰＡＰは、アジマス（Azimuth）及び／又はゼニス（Zenith）角度ドメインに対するＰＡＰであり、それぞれの特定の次元別に別々に定義されるか、共に定義されることもできる。そして／またはＰＡＰは、出発（departure）及び／又は到着（arrival）の観点からそれぞれ別々に又は共に定義されることもできる。
【０２３６】
ＰＡＰの観点からＱＣＬ保証／仮定されるということは、例えば、特定アンテナポートから推定されるＰＡＰに基づいてさらに他のアンテナポートからの送信信号を受信しようとする場合の受信ビーム幅／スイーピングの程度（及び／又は受信ビーム方向）などを、該当特定アンテナポートと同一にするか、又は（これに関連するように）類似するように設定して受信可能であることを意味することができる。さらに、ＰＡＰの観点からＱＣＬ保証／仮定されるということは、このように動作したときの受信性能が特定レベル以上に保証されることを意味することができる。
【０２３７】
本明細書においては、前述したＱＣＬパラメータに関連して「部分ＱＣＬ（Partial QCL）（又は、サブＱＣＬ、ｆｒａｃｔｉｏｎａｌ ＱＣＬ、又はＱＳＬ（quasi-sub-location）などのように類似／変形した名称にも称されることができる）」という新しい概念を紹介する。
【０２３８】
前述した少なくとも１つのＱＣＬパラメータに対して特定アンテナポート間には「部分ＱＣＬ（Partial QCL）（又は、サブＱＣＬ、ｆｒａｃｔｉｏｎａｌ ＱＣＬ、又はＱＳＬ（quasi-sub-location）などのように類似／変形した名称にも称される）」のような関係が成立／設定／指示されることができる。例えば、特定アンテナポートグループＡ（例えば、アンテナポートグループＡは１つ又はそれ以上であり得る）から送信される信号（及び／又はそれにより経験する／観察される（無線）チャネル）が特定アンテナポートグループＢ（例えば、アンテナポートグループＢは１つ又はそれ以上でありうる）から送信される信号（及び／又はそれにより経験する／観察される（無線）チャネル）に対して「部分ＱＣＬ」が成立すると仮定／設定／指示されることができる。この場合、アンテナポートグループＡに対するＱＣＬパラメータ／特性（property）は、アンテナポートグループＢから推定されたＱＣＬパラメータ／特性（property）の「部分集合（sub-set）（同一であるか、上位集合に含まれる関係）」であると仮定／適用／活用することができる。これは、これに基づいた関連動作の適用時に性能が一定のレベル以上に保証されることを意味することができる。
【０２３９】
このような「部分ＱＣＬ」は様々な環境で意味を有するが、代表的な例示として、複数の物理的アンテナがＳＦＮ（Single Frequency Network）を構成して論理的アンテナポートグループＡを形成し、論理的アンテナグループＢは個別の物理的アンテナにマッピングされた場合が考慮される。すなわち、代表的な例示として、論理的アンテナポートグループＡのアンテナポートは複数の物理的アンテナ（特に、各物理アンテナ別にＬＳＰが異なる場合）にマッピングされて同時に前記複数のアンテナを介して該当アンテナポートの信号が送信されるが、論理的アンテナポートグループＢのアンテナポートは、論理的アンテナポートグループＡがマッピングされた複数の物理的アンテナのうちいずれか１つのアンテナにマッピングされて前記１つのアンテナを介して該当ポートの信号が送信される場合を挙げることができる。このような実施形態において受信端は、論理的アンテナポートグループＡを通じて送信された信号から取得したチャネルのＬＳＰから論理的アンテナポートグループＢを通じて送信された信号が体験する／送信されるチャネルのＬＳＰを誘導することができる（すなわち、部分ＱＣＬ関係／仮定成立）。
【０２４０】
例えば、マルチパスフェージングパネル環境において論理的アンテナポートグループＡに対して論理的アンテナポートグループＢが部分ＱＣＬ関係を有すると、論理的アンテナポートグループＢを通じて送信された信号に対する／影響を与えるチャネル遅延値は、論理的アンテナポートグループＡを通じて送信された信号に対する／影響を与えるチャネル遅延値の一部である関係が成立／仮定されることができる。そして／または、例えば、マルチパスフェージングパネル環境において論理的アンテナポートグループＡに対して論理的アンテナポートグループＢが部分ＱＣＬ関係を有すると、論理的アンテナポートグループＢを通じて送信された信号に対する／影響を与えるチャネルドップラー値は、論理的アンテナポートグループＡを通じて送信された信号に対する／影響を与えるチャネルドップラー値の一部である関係が成立／仮定されることができる。このような関係を用いて受信端は、論理的アンテナポートグループＡの信号から取得したＬＳＰを用いて／基礎にして論理的アンテナポートグループＢを通じて受信した信号のチャネル推定器（channel estimator）に対するパラメータ／ＬＳＰ設定を行うことができる。そして／または、例えば、マルチパスフェージングパネル環境において論理的アンテナポートグループＡに対して論理的アンテナポートグループＢが部分ＱＣＬ関係を有すると、論理的アンテナポートグループＢを通じて送信された信号を受信するための受信ビーム方向（又は、角度／範囲）は、論理的アンテナポートグループＡを通じて送信された信号を受信するための受信ビーム方向（又は、角度／範囲）に属する／含まれる関係が成立／仮定されることができる。このような関係を用いて受信端は、論理的アンテナポートグループＡを通じて送信された信号を受信するための受信ビーム方向（又は、角度／範囲）のうち論理的アンテナポートグループＢを通じて送信された信号を受信するための受信ビーム方向（又は、角度／範囲）を検索することができる。これにより、受信端は受信ビーム方向の検索速度を改善することができ、そして／または受信処理の複雑度も減少させることができる。
【０２４１】
２．Ｉｎｔｅｒ／Ｉｎｔｒａ−ＲＳ／ＳＳ  ＱＣＬ関係
【０２４２】
（ＮＲ環境において）前述したＱＣＬパラメータ／特性（property）の少なくとも１つが、以下の特定ＲＳ／ＳＳ間（例えば、後述するＲＳ／ＳＳのうち異なる種類のＲＳ／ＳＳ間又は同一種類のＲＳ／ＳＳ間）に定義／設定されて端末動作に用いられるように支援することができる。
【０２４３】
−ＰＳＳ及び／又はＳＳＳ（「ＳＳ（synchronization sequence/signal）ブロック」と総称できる。）
【０２４４】
−ＢＲＳ
【０２４５】
−ＢＲＲＳ
【０２４６】
−ＣＳＩ−ＲＳ
【０２４７】
−ＰＣＲＳ（Phase noise Compensation Reference Signal）
【０２４８】
−ＤＭＲＳ
【０２４９】
３．ＢＲＲＳ（Beam Refinement Reference Signal） ＱＣＬ
【０２５０】
ＢＲＲＳベースのビーム改良（beam refinement）動作において、ＢＲＲＳ自体に対するチャネル推定などのために（ＮＲでのＢＲＲＳ送信が非周期的特性を有することができることを考慮するとき）ＲＳ密度（density）がさらに高いＢＲＳなどから特定ＱＣＬパラメータ／特性（例えば、｛ドップラー拡散及びドップラーシフト｝）に対するＱＣＬ仮定が可能となるように支援される必要がある。
【０２５１】
このようにＢＲＲＳとＱＣＬされた（QCLed）ＲＳ／ＳＳは、該当ＢＲＲＳのＲＲＣ設定時に共に提供されることができ、これはＢＲＲＳのための半静的ＱＣＬ設定（semi-static QCL configuration for BRRS）が支援されるとみなすことができる。または、より動的なＱＣＬ設定を提供するためにＭＡＣ（medium access control） ＣＥ（control element）（及び／又は、ＤＣＩ）などによるＬ２レベル（及び／又は、Ｌ１レベル）のＱＣＬ設定が各ＢＲＲＳに対して設定／提供されることもできる。例えば、ｆｕｌｌ ｆｌｅｘｉｂｉｌｉｔｙを有してＬ２レベル（及び／又は、Ｌ１レベル）で全てのＱＣＬ設定情報が端末に（リアルタイムで）提供されるか、ＲＲＣ設定により複数の候補（candidate）ＱＣＬ設定パラメータセットを設定し、このうちいずれを選択／適用／使用するかはＬ２レベル（及び／又は、Ｌ１レベル）シグナリングを通じて端末が指示を受ける形態で支援されることもできる。
【０２５２】
ＱＣＬ設定指示／シグナリングをより階層化した例として、基地局は、ＲＲＣ設定により複数の候補ＱＣＬ設定パラメータセットを端末に設定しておき、このうち２＾Ｍ（Ｍ＞＝１）個のパラメータセットをＭＡＣ ＣＥなどのＬ２レベルシグナリングを通じて一次的にフィルタリングした後、１次でフィルタリングしたパラメータセットのうちどのパラメータセットを最終的に選択／適用／使用するかをＮ−ｂｉｔフィールドの特定ＤＣＩなどによるＬ１レベルシグナリングを通じて端末に指示する方式も適用することができる。すなわち、ＱＣＬ設定が階層化して（例えば、合計３次にわたって）（又は、複数回にわたって）端末に指示／提供されることができ、一次的にはＲＲＣ設定により、二次的にはＬ２レベルのシグナリング（例えば、ＭＡＣ ＣＥなど）により、三次的にはＬ１レベルのシグナリング（例えば、ＤＣＩなど）により指示されることができる。このように階層化したＱＣＬ設定指示方式は、ＢＲＲＳに対するＱＣＬ設定だけでなく、他のＲＳ／ＳＳに対するＱＣＬ設定にも同様に／類似するように適用されることができる。
【０２５３】
このようにＢＲＲＳのチャネル推定／測定目的などとして提供される（ＢＲＲＳと）ＱＣＬされたＲＳ／ＳＳ（例えば、ＢＲＳ及び／又はＰＳＳ／ＳＳＳ）情報をＬ１（及び／又はＬ２）レベルの動的指示（dynamic indication）を通じてシグナリングする方式は、「非周期的又はｏｎ−ｄｅｍａｎｄ」ＢＲＲＳ送信を考慮する無線通信システムにおいて非常に効率的である。
【０２５４】
より具体的には、送信機は、受信機に事前に少なくとも１つのＢＲＲＳ（資源）を設定しておくことができ、送信機（又は、基地局）は、受信機が各ＢＲＲＳを受信するための情報をＬ２レベル（例えば、ＭＡＣ ＣＥ）及び／又はＬ１レベル（例えば、ＤＣＩ）を通じて動的指示することができる。ここで、各ＢＲＲＳを受信するための情報は、（ＢＲＲＳと）ＱＣＬされたＲＳ／ＳＳ情報を含み、例えば特定ＢＲＳポート及び／又は特定ＰＳＳ／ＳＳＳなどに関する情報を含むことができる。その結果、送信機（又は、基地局）は、端末に予め設定しておいたＢＲＲＳ送信資源を用いて端末のローディング（loading）及びトラヒック／チャネルコンディションなど瞬時的な状況を考慮して非常に柔軟に適切な（非周期的／ｏｎ−ｄｅｍａｎｄ）ＢＲＲＳ送信を行うことができるという利点がある。
【０２５５】
前述した動作を効果的に支援するために、各ＢＲＲＳ（又は、ＢＲＲＳ資源）別に及び／又はＢＲＲＳポート別に特定ＩＤを付与されることができ、そして／又は各ＢＲＳ（又は、ＢＲＳ資源）別に及び／又はＢＲＳポート別に特定ＩＤが付与されることができる。このような特定ＩＤは、前述した端末にＱＣＬ設定を提供するためのＱＣＬシグナリングを通じて端末に指示されることができる。
【０２５６】
基地局が特定ＢＲＲＳに対してＱＣＬされたＲＳ／ＳＳ（例えば、特定ＢＲＳポート）情報を端末に（動的）指示するときに、ＱＣＬ仮定が適用されるＱＣＬパラメータ／特性を前記列挙したＱＣＬパラメータ／特性のうちの一部に制限することができる。
【０２５７】
例えば、端末は｛ドップラー拡散、及び／又はドップラーシフト｝パラメータ／特性に対してのみＱＣＬ仮定が可能であることに制限されることができる。これは、ＢＲＲＳ自体だけでは周波数の同期を安定的に取得することに限界がある場合などの理由に起因する。特に、例えば、ＢＲＲＳと特定ＢＲＳ間のＱＣＬ仮定はＢＲＲＳとＢＲＳが同一の発振器（oscillator）から生成される場合などの実現方式により支援されることができる。
【０２５８】
そして／または、端末は｛ドップラー拡散、及び／又は平均遅延｝パラメータ／特性に対して（も）ＱＣＬ仮定が可能であることに制限されることができる。例えば、ＢＲＲＳとＱＣＬされたＢＲＳの前記ＬＳＰは（同一のパネルアンテナから送信されるなど）ＢＲＲＳとＢＲＳとの間に暗示（infer）できることが保証される場合に基地局が端末に設定／支援することにより効果的な受信機の実現を支援することができる。
【０２５９】
そして／または、端末は｛平均角及び／又は角度拡散｝パラメータ／特性（すなわち、受信ビーム関連パラメータ）に対して（も）ＱＣＬ仮定できることに制限されることができる。これは、ＢＲＲＳの受信のための受信（アナログ）ビーム係数生成（beam coefficients generation）をＢＲＳ受信時に適用したビーム係数生成から暗示して適用できるようにすることにより効率的な受信機の実現を支援できるという利点がある。あるいは、ＢＲＲＳのＡＡは特定レベル以上にＢＲＳのＡＡと異なる角度で外れることができることを考慮する場合は、「ＡＳ」のみを（追加）反映（すなわち、ＱＣＬ仮定）するよう端末に設定することもできる。
【０２６０】
４．ＣＳＩ−ＲＳ ＱＣＬ
【０２６１】
ＣＳＩ−ＲＳベースのＣＳＩ測定及び報告動作において、ＣＳＩ−ＲＳ自体に対するチャネル測定時、（ＮＲにおけるＣＳＩ−ＲＳ送信が非周期的特性を有することができることを考慮すると）ＲＳ密度がさらに高いＢＲＳやＢＲＲＳなどから特定ＱＣＬパラメータ／特性（例えば、｛ドップラー拡散及びドップラーシフト｝）に対するＱＣＬ仮定が可能であるように支援される必要がある。（ＣＳＩ−ＲＳと）ＱＣＬされたＲＳ／ＳＳに関する情報は該当ＣＳＩ−ＲＳのＲＲＣ設定時に共に提供されることができ、これはＣＳＩ−ＲＳのための半静的ＱＣＬ設定（semi-static QCL configuration for CSI-RS）が支援されることとみなすことができる。
【０２６２】
または、より動的なＱＣＬ設定を提供するためにＭＡＣ ＣＥ（及び／又は、ＤＣＩ）などによるＬ２レベル（及び／又は、Ｌ１レベル）のＱＣＬ設定が各ＣＳＩ−ＲＳ（資源）に対して設定／提供されることもできる。例えば、ｆｕｌｌ ｆｌｅｘｉｂｉｌｉｔｙを有してＬ２レベル（及び／又は、Ｌ１レベル）で全てのＱＣＬ設定情報が端末に（リアルタイムで）提供されるか、ＲＲＣ設定により複数の候補（candidate）ＱＣＬ設定パラメータセットを設定しておいてこのうちいずれを選択／適用／使用するかはＬ２レベル（及び／又は、Ｌ１レベル）シグナリングを通じて端末が指示を受ける形態で支援されることもできる。
【０２６３】
ＱＣＬ設定指示／シグナリングをさらに階層化した例として、基地局はＲＲＣ設定により複数の候補ＱＣＬ設定パラメータセットを端末に設定しておき、このうち２＾Ｍ（Ｍ＞＝１）個のパラメータセットをＭＡＣ ＣＥなどのＬ２レベルシグナリングを通じて一次的にフィルタリングした後、１次でフィルタリングしたパラメータセットのうちいずれのパラメータセットを最終的に選択／適用／使用するかをＮ−ｂｉｔフィールドの特定ＤＣＩなどによるＬ１レベルシグナリングを通じて端末に指示する方式も適用できる。すなわち、ＱＣＬ設定が階層化して（例えば、合計３次にわたって）（又は、複数回にわたって）端末に指示／提供されることができ、一次的にはＲＲＣ設定により、二次的にはＬ２レベルのシグナリング（例えば、ＭＡＣ ＣＥなど）を通じて、三次的にはＬ１レベルのシグナリング（例えば、ＤＣＩなど）を通じて指示されることができる。このように、階層化したＱＣＬ設定指示方式は、ＣＳＩ−ＲＳに対するＱＣＬ設定だけでなく、他のＲＳ／ＳＳに対するＱＣＬ設定にも同一／類似するように適用できる。
【０２６４】
このようにＣＳＩ−ＲＳのチャネル推定／測定目的などとして提供される（ＣＳＩ−ＲＳと）ＱＣＬされたＲＳ／ＳＳ（例えば、ＢＲＳ、ＢＲＲＳ及び／又はＰＳＳ／ＳＳＳ）情報をＬ１（及び／又はＬ２）レベルの動的指示（dynamic indication）を通じてシグナリングする方式は、「非周期的又はｏｎ‐ｄｅｍａｎｄ」ＣＳＩ−ＲＳ送信を考慮する無線通信システムにおいて非常に効率的でありうる。
【０２６５】
より詳細には、送信機は、受信機に事前に少なくとも１つのＣＳＩ−ＲＳ（資源）を設定しておくことができ、各ＣＳＩ−ＲＳ ＩＤ（又はＣＳＩ−ＲＳ資源構成）別にＣＳＩ−ＲＳ測定のための全ての設定情報（例えば、ポート数／ナンバー（#of ports）、スクランブリングＩＤ、時間／周波数ＲＥパターン、ポートサブセット（実際に、割り当てられたポート）、（ＣＳＩ−ＲＳと）ＱＣＬされたＲＳ／ＳＳ情報、及び／又はサブフレーム周期／オフセット）を半静的に設定することではなくこのうちの一部の情報要素（例えば、｛ポート数／ナンバー（#of ports）、スクランブリングＩＤ及び／又は時間／周波数ＲＥパターン｝）のみを半静的に設定（例えば、ＲＲＣを通じて）することができる。この場合、送信機は、半静的に設定された情報要素を除いた残りの情報要素はＬ２レベル（例えば、ＭＡＣ ＣＥ）及び／又はＬ１レベル（例えば、ＤＣＩ）を通じて動的指示することができる。残りの情報要素は、（ＣＳＩ−ＲＳと）ＱＣＬされたＲＳ／ＳＳに関する情報を含むことができ、例えば、特定ＢＲＳ／ＢＲＲＳポート及び／又は特定ＰＳＳ／ＳＳＳなどに関する情報を含むことができる。ここで、半静的に設定することは、予め設定されている候補パラメータセットのうち特定セットが動的に選択される方式が適用されることを意味することができる。
【０２６６】
その結果、送信機（又は、基地局）は、端末に予め設定しておいたＣＳＩ−ＲＳ資源を用いて端末のローディング（loading）及びトラヒック／チャネルコンディションなど瞬時的な状況を考慮して非常に柔軟に適切な（非周期的／ｏｎ‐ｄｅｍａｎｄ）ＣＳＩ−ＲＳ送信を行うことができるという利点がある。
【０２６７】
このような実施形態において、端末に半静的に設定しておく少なくとも１つのＣＳＩ−ＲＳ（資源）は、それぞれ対応するＩＤを有する少なくとも１つの「ＣＳＩ−ＲＳコンテナ（「CSI-RS container（s） each with corresponding ID」）と解析されることができる。このように各「ＣＳＩ−ＲＳコンテナ」に非周期的／「ｏｎ‐ｄｅｍａｎｄ」ＣＳＩ−ＲＳを格納して送信することは、基地局が送信時点毎に最適なビームフォーミング及び該当ＣＳＩ−ＲＳに関連するＱＣＬされたＲＳ／ＳＳを動的指示することによりＣＳＩ−ＲＳ送信資源の使用効率を最大化できるという利点を有する。
【０２６８】
受信機（又は、端末）に設定される少なくとも１つのＣＳＩ−ＲＳ資源は、各ＣＳＩ−ＲＳ資源別に独立的に異なるＲＳ／ＳＳとのＱＣＬ仮定が設定／指示されることができる。例えば、端末にＣＳＩ−ＲＳ♯１及び＃２が設定されたと仮定するとき、ＣＳＩ−ＲＳ♯１は特定ＢＲＳとＱＣＬ仮定され、ＣＳＩ−ＲＳ資源#２は特定ＢＲＲＳとＱＣＬ仮定される形態で設定／指示することができる。ここで、ＣＳＩ−ＲＳ♯１は、プリコーディングされない（non-precoded）ＣＳＩ−ＲＳ、及び／又はＣＳＩ−ＲＳ測定初期段階のためのＣＳＩ−ＲＳ（例えば、ＣＳＩ−ＲＳ♯１及び＃２に基づいたハイブリッドＣＳＩ報告におけるＣＳＩ−ＲＳ#１）に該当することができ、この場合、ＣＳＩ−ＲＳ♯１は特定ＢＲＳとＱＣＬされると設定／指示されることができる。それに対して、ＣＳＩ−ＲＳ♯２はビームフォーミングされた（beamformed）ＣＳＩ−ＲＳ、及び／又は端末が特定ＢＲＳをサービングビームとして接続して（後続する）ＢＲＲＳを通じて既にビーム改良（beam refinement）を十分に進行した状態で基地局が送信効率を向上させるためのリンク適応（link adaptation）を目的に設定したＣＳＩ−ＲＳ♯２に該当し、この場合、ＣＳＩ−ＲＳ♯２はＢＲＳではないＢＲＲＳとＱＣＬ設定／指示されることができる。
【０２６９】
そして／または、受信機（又は、端末）に複数のＣＳＩ−ＲＳ資源が設定される場合、複数のＣＳＩ−ＲＳ資源間の（少なくとも受信ビーム関連パラメータに対する）ＱＣＬ仮定が設定／指示されることもできる。例えば、端末にＣＳＩ−ＲＳ♯１及び#２が設定された場合、端末は（少なくとも受信ビーム関連パラメータに対して）ＣＳＩ−ＲＳ♯１及び＃２のアンテナポート間のＱＣＬ関係を仮定することができる。
【０２７０】
そして／または、受信機（又は、端末）は、１つのＣＳＩ−ＲＳ資源内のアンテナポートの間のＱＣＬ仮定が設定／指示されることもできる。例えば、端末にＣＳＩ−ＲＳ♯１が設定された場合、端末はＣＳＩ−ＲＳ♯１に対応するアンテナポートの間のＱＣＬ関係を仮定することができる。
【０２７１】
このように多様な動作を円滑に支援するために、ＣＳＩ−ＲＳはＢＲＳ又はＢＲＲＳのいずれか１つとのＱＣＬ仮定を選択的に設定／指示されることができる。ただ、これに限定されるものではなく、実施形態によってＣＳＩ−ＲＳはＢＲＳ及びＢＲＲＳ全てに対するＱＣＬ仮定を設定／指示されることによりＱＣＬ ＲＳ密度を最大化する方法も共に支援されることができる。
【０２７２】
基地局が特定ＣＳＩ−ＲＳに対してＱＣＬされたＲＳ／ＳＳ（例えば、特定ＢＲＳポート）情報を端末に（動的）指示するとき、ＱＣＬ仮定が適用されるＱＣＬパラメータ／特性を前記列挙したＱＣＬパラメータ／特性のうちの一部に制限することができる。
【０２７３】
例えば、端末は｛ドップラー拡散、及び／又はドップラーシフト｝パラメータ／特性に対してのみＱＣＬ仮定が可能であることに制限することができる。これは、ＣＳＩ−ＲＳ自体だけで周波数の同期を安定的に取得することに限界がある場合などの理由に起因する。
【０２７４】
そして／または、端末は｛平均角及び／又は角度拡散｝パラメータ／特性（すなわち、受信ビーム関連パラメータ）に対して（も）ＱＣＬ仮定が可能であることに制限することができる。これは、さらに安定的なビーム幅をＣＳＩ−ＲＳ受信処理に反映することが有利であるためである。さらに、ＣＳＩ−ＲＳのビーム幅が狭い（narrow）とすると、「ＡＳ」のみを（追加）反映（すなわち、ＱＣＬ仮定）するよう端末に設定することもできる。
【０２７５】
そして／または、端末は｛遅延拡散、及び／又は平均遅延｝パラメータ／特性に対して（も）ＱＣＬ仮定が可能であることに制限することができる。これは、ＣＳＩ−ＲＳ送信帯域幅が一部帯域に限定されて送信されるなどの場合を考慮するとき、ＣＳＩ−ＲＳ送信帯域幅よりさらに広い帯域で送信されるＢＲＳなどの前記ＱＣＬパラメータをＣＳＩ−ＲＳ受信処理に反映することが有利であるためである。
【０２７６】
５．ＤＭＲＳ ＱＣＬ
【０２７７】
ＤＭＲＳベースのＰＤＳＣＨ／ＥＰＤＣＣＨなどを端末が受信しようとするとき、ＤＭＲＳに対するチャネル推定が必要であり、このようなＤＭＲＳに対する特定ＣＳＩ−ＲＳ、ＢＲＲＳ、及び／又はＢＲＳとのＱＣＬ仮定／シグナリングが支援されることができる。
【０２７８】
例えば、ＣＳＩ−ＲＳの密度が十分であると（基地局により）判断される環境では、ただＤＭＲＳと特定ＣＳＩ−ＲＳ資源間のＱＣＬのみを適用するように設定／指示されることができる。あるいは、ＮＲ環境においてのようにＣＳＩ−ＲＳ送信が非周期的特性を有することによりＣＳＩ−ＲＳ密度が不十分である可能性があることを考慮すると、ＤＭＲＳはＣＳＩ−ＲＳよりＲＳ密度が安定的に保証される他のＲＳのＱＣＬ支援を受けなければならないこともある。この場合、ＤＭＲＳは特定ＢＲＳ、ＢＲＲＳ及び／又はＰＣＲＳとＱＣＬされることができ、このようなＱＣＬ設定を指示するダイレクト（direct）ＱＣＬシグナリングが端末に提供されることができる。ここで、ダイレクトＱＣＬシグナリングはＤＭＲＳとのＱＣＬ設定を前記ＲＳだけでなく、特定のＣＳＩ−ＲＳ資源、ＰＳＳ及び／又はＳＳＳに対しても共に／追加に端末に指示することもできる。
【０２７９】
前述したようなｉｎｔｅｒ−ＲＳ／ＳＳ間の特定のＱＣＬ設定／指示が提供されるとき、特定／個別ＱＣＬパラメータ別に独立的な／分離された／異なるＲＳと／又はＳＳ間のＱＣＬ適用が可能である形態でｉｎｔｅｒ−ＲＳ／ＳＳ ＱＣＬ関係（relationship）が定義／設定されることができる。すなわち、端末はＱＣＬ仮定／適用するとき、ＤＭＲＳとＱＣＬされるＲＳ／ＳＳ種類によって適用するＱＣＬパラメータを区分する／異ならせることができる。
【０２８０】
一例として、ＤＭＲＳが特定ＣＳＩ−ＲＳ資源とＱＣＬされる場合、端末は｛遅延拡散、平均遅延、平均角、角度拡散、及び／又は平均利得｝パラメータ／特性に対してのみ制限的にＱＣＬを仮定／適用するように設定／指示されることができる。また、ＤＭＲＳが特定ＢＲＳ、ＢＲＲＳ、ＰＣＲＳ、及び／又はＰＳＳ／ＳＳＳとＱＣＬされる場合、端末は｛ドップラー拡散、及び／又はドップラーシフト｝に対して制限的にＱＣＬを仮定／適用するように設定／指示されることができる。これは、｛ドップラー拡散、及び／又はドップラーシフト｝パラメータ／特性をＣＳＩ−ＲＳのみに基づいて推定／適用することに限界があるためである。
【０２８１】
他の例として、ＤＭＲＳが特定ＢＲＳ、ＢＲＲＳ、ＰＣＲＳ、及び／又はＣＳＩ−ＲＳ資源とＱＣＬされる場合、端末は｛遅延拡散、平均遅延、平均角、角度拡散、及び／又は平均利得｝パラメータ／特性に対してのみ制限的にＱＣＬを仮定／適用するように設定／指示されることができる。また、ＤＭＲＳが特定ＰＳＳ及び／又はＳＳＳとＱＣＬされる場合、端末は｛ドップラー拡散、及び／又はドップラーシフト｝に対してのみ制限的にＱＣＬを仮定／適用するように設定／指示されることができる。本実施形態は、ＤＭＲＳの｛ドップラー拡散、及び／又はドップラーシフト｝パラメータ／特性をＰＳＳ／ＳＳＳから推定／適用することがさらに安定した性能を保証する場合などに適用できる。
【０２８２】
他の例として、ＤＭＲＳが特定ＢＲＳ、ＢＲＲＳ、ＰＣＲＳ、及び／又はＣＳＩ−ＲＳ資源とＱＣＬされる場合、端末は｛遅延拡散、平均遅延、平均角、角度拡散、及び／又は平均利得｝パラメータ／特性に対してのみ制限的にＱＣＬを仮定／適用するように設定／指示されることができる。また、ＤＭＲＳが特定ＢＲＳ、ＢＲＲＳ、ＰＣＲＳ、及び／又はＰＳＳ／ＳＳＳとＱＣＬされる場合、端末は｛ドップラー拡散、及び／又はドップラーシフト｝パラメータ／特性に対してのみ制限的にＱＣＬを仮定／適用するように設定／指示されることができる。本実施形態によれば、特定ＢＲＳ及び／又はＢＲＲＳの場合、全ての（又は、大部分の）ＱＣＬパラメータ／特性に対してＱＣＬ仮定が適用できるようにすると同時に、特定ＣＳＩ−ＲＳ資源の場合、一部制限的なＱＣＬパラメータ／特性に対してのみ（例えば、｛ドップラー拡散、及び／又はドップラーシフト｝を除いて）ＱＣＬ仮定が可能になるようにすることができる。このように、基地局は各ＲＳ／ＳＳ別にＱＣＬパラメータ／特性の適用可能範囲を異なるように設定／指示することができ、このうち一部の複数のＲＳ／ＳＳに対しては同一のＱＣＬパラメータ／特性に対して共にＱＣＬ仮定できるように設定／指示することにより、利用可能なＲＳサンプル数をさらに増加させることができる。この場合、最も直接的なＱＣＬ適用は、特定のＲＳ（例えば、ＣＳＩ−ＲＳ）に優先順位を付与するが、加重値平均（weighted average）などを通じて他のＲＳ（例えば、ＢＲＳ、ＢＲＲＳ、及び／又はＰＣＲＳ）からのＱＣＬ適用も一部共に考慮できるようにする形態で実現されることができる。
【０２８３】
ＤＭＲＳ ＱＣＬ仮定／シグナリング時に（ｎｏｎ−ｃｏｈｅｒｅｎｔ ｊｏｉｎｔ送信を支援する目的などで）特定ＤＭＲＳポート別に異なるＱＣＬ設定／指示が適用されることができる。例えば（ＤＬスケジューリング承認（grant）を通じて）ＤＭＲＳポート７〜１０の指示を受けた場合、端末はこのうちＤＭＲＳポート７及び８に対しては特定の｛ＢＲＳ、ＢＲＲＳ、ＰＣＲＳ、及び／又はＣＳＩ−ＲＳ｝とＱＣＬ仮定するように、ＤＭＲＳポート９及び１０に対してはまた他の特定の｛ＢＲＳ、ＢＲＲＳ、ＰＣＲＳ、及び／又はＣＳＩ−ＲＳ｝とＱＣＬ仮定が可能であるように指示することができる。これにより、事実上ＤＭＲＳポート｛７及び８｝と｛９及び１０｝は異なるＴＲＰ（Transmission Reception Point）から送信されるか、又は同一のＴＲＰ内においてでも異なるアンテナパネルから送信されるなどの実施形態に適用できる。これにより、多様な形態の（ｎｏｎ−ｃｏｈｅｒｅｎｔｊｏｉｎｔ）送信が効果的に支援できる。
【０２８４】
特定ＤＭＲＳが特定ＣＳＩ−ＲＳとＱＣＬされ、該当ＣＳＩ−ＲＳは特定ＢＲＳとＱＣＬされ、このようなＤＭＲＳ ＱＣＬとＣＳＩ−ＲＳ ＱＣＬが全てそれぞれ（別途の）Ｌ１レベルシグナリング（例えば、ＤＣＩによるシグナリング）で動的指示されれる場合を仮定することができる。この場合、ＤＭＲＳをどの時点に送信されたＣＳＩ−ＲＳとＱＣＬを仮定すべきかに関するタイムライン問題が発生することがある。すなわち、ＤＭＲＳ受信／測定にどの時点に送信されたＣＳＩ−ＲＳとのＱＣＬを反映しなければならないかなどに関するタイムライン問題が発生することがある。
【０２８５】
これを解決するために、特定ＤＭＲＳ（ポート）が特定ＣＳＩ−ＲＳ ＩＤ＃ｋとＱＣＬされるというシグナリングが例えば♯ｎ ＳＦに受信された場合、端末は♯ｎ ＳＦ時点又はそれ以前のＳＦ時点のうち最も新しく（正常に）受信された該当ＣＳＩ−ＲＳ ＩＤ♯ｋの
【０２８６】
−単一ＳＦ時点で受信されるＣＳＩ−ＲＳ ＩＤ♯ｋの測定サンプルにのみ基づいてＱＣＬ仮定を適用するか（本実施形態は該当ＣＳＩ−ＲＳ ＩＤ♯ｋに関して測定制限（measurement restriction：ＭＲ）がＯＮに設定された場合にのみ適用するように限定されることもできる）、
【０２８７】
−単一ＳＦ時点で受信されるＣＳＩ−ＲＳ ＩＤ♯ｋの測定サンプルだけでなく、（該当時点のＣＳＩ−ＲＳ ＩＤ♯ｋ自体の受信／測定のために（ＤＣＩトリガリングにより）提供されたＱＣＬされたＲＳ／ＳＳ（例えば、ＢＲＳ及び／又はＢＲＲＳ）と同一の情報がＱＣＬシグナリングで提供された）もっと以前の時点のＣＳＩ−ＲＳ ＩＤ♯ｋの測定サンプルを共に結合／平均化（combining/averaging）などによるＱＣＬ仮定を適用することができる。
【０２８８】
６．ＰＣＲＳ ＱＣＬ
【０２８９】
ＰＣＲＳは位相ドリフト（phase drift）補正／位相｛いそう｝トラッキング（phase tracking）などのための目的で定義されたＲＳであり、ＤＭＲＳと共に送信することができる。複数のＤＭＲＳポートが含まれる各ＤＭＲＳポートグループ当たり１つのＤＭＲＳは１つのＰＣＲＳと互いに連携（例えば、ＱＣＬ／ＧＣＬ関係を有する）される。ＰＣＲＳはＰＴ（Phase Tracking）−ＲＳと称されることもできる。または、以下に後述するＧＣＬの観点でＰＣＲＳがＤＭＲＳとＧＣＬされる場合、ＤＭＲＳは第１（Primary）ＤＭＲＳ又は第２（Secondary）ＰＣＲＳ（又はＰＴ−ＲＳ）と、ＰＣＲＳ（又はＰＴ−ＲＳ）は第２（Secondary）ＤＭＲＳ又は第１（Primary）ＰＣＲＳ（又はＰＴ−ＲＳ）と称されることもできる。
【０２９０】
ＰＣＲＳを受信／測定するために必要なＱＣＬは、共に送信／スケジューリングされるＤＭＲＳの受信／測定のために適用するように設定／指示されるＱＣＬ動作をそのまま／同一に適用するように定義／設定されることができる。本明細書においては、このような関係を「ＧＣＬ（genuine co-location）」関係と称する。すなわち、ＧＣＬとは、「ＧＣＬされたアンテナポート間に互いにｌａｒｇｅ−ｓｃａｌｅパラメータのみを暗示（infer）できることでなくそれ以上も（例えば、ｓｍａｌｌ−ｓｃａｌｅパラメータなど）暗示できるＱＣＬ関係を意味する。これを一般化すると、端末は「ＧＣＬされる（又は、ＧＣＬ関係を有する）ポートを事実上同一ポートとして取り扱って特定の時間バンドリング（bundling）及び／又は周波数バンドリングが可能」であると解析することができる。すなわち、端末はＧＣＬ関係にあるポートは事実上同一のポートと取り扱って同一のプリコーディングの仮定が可能である。
【０２９１】
例えば、ＰＣＲＳはＤＭＲＳとＧＣＬ仮定が可能であるように定義／設定／指示されることができ、この場合は、端末はＰＣＲＳポートとＤＭＲＳポートを同一ポートと取り扱って／みなして２つのアンテナポートに同一のプリコーディングが適用されたと仮定することができる。
【０２９２】
このようなＧＣＬの概念は、送信ビーム調整（coordination）及びＱＣＬに関連して以下でより詳細に後述する。
【０２９３】
そして／又は、ＰＣＲＳを受信／測定するために必要なＱＣＬを共に送信／スケジューリングされるＤＭＲＳのＱＣＬと分離して別途に／独立的なＱＣＬシグナリングが提供される方式も適用できる。ここで、別途の分離されたＱＣＬシグナリングはＤＣＩを通じてそれぞれＲＳ別に別途に提供されることができる。または、加重されるＤＣＩオーバーヘッド問題を防止するために、ＰＣＲＳのためのＱＣＬシグナリングをＤＭＲＳのためのＱＣＬシグナリングより相対的に半静的方式で提供されるように分離することもできる。例えば、ＰＣＲＳのためのＱＣＬシグナリングは、ＭＡＣ ＣＥなどによるＬ２レベルのシグナリング及び／又はＲＲＣシグナリングなどを通じて提供されることができる。例えば、ＤＭＲＳは特定のＣＳＩ−ＲＳ（及び／又はＢＲＳ及び／又はＢＲＲＳ）とＱＣＬ仮定が可能であるように設定／指示されるか、ＰＣＲＳは特定の（サービング）ＢＲＳ（及び／又はＢＲＲＳ）とＱＣＬ仮定が可能であるように設定／指示されることができる。
【０２９４】
本明細書において、（ＱＣＬされた／ＧＣＬされた）（特定の）ＲＳ／ＳＳは、特別にサービングセル／ＴＰ／ビームに対するＲＳ／ＳＳであることが暗示的に指示（implicitly indication）される。すなわち、端末は前記（ＱＣＬされた／ＧＣＬされた）（特定の）ＲＳ／ＳＳはサービングセル／ＴＰ／ビームに対するＲＳ／ＳＳであると認識するように定義／設定され、これらに対するＱＣＬ仮定を適用することができる。
【０２９５】
７．ＱＣＬタイプ
【０２９６】
ＬＴＥ−Ａ標準におけるＱＣＬタイプの場合、基地局はＣｏＭＰ動作のためにＱＣＬタイプＢにＲＲＣ設定して端末がＤＰＳ（dynamic point selection）動作を行うことができるようにするか、ｎｏｎ−ＣｏＭＰ動作のためにＱＣＬタイプＡにＲＲＣ設定して端末がサービングセルの全てのＲＳの相互間にＱＣＬ適用するようにした。
【０２９７】
ＮＲ環境においては、ｃｅｌｌ／ＴＰだけでなく、特定ビーム方向に形成された仮想セル／セクター（virtual sector）に対してサービスを受ける動作が可能である（例えば、アナログビームフォーミングにより）。このような仮想セル／セクターを便宜上、「ビーム」と総称すると、動的「ビーム」選択（Dynamic beam selection：ＤＢＳ）などのビーム間ＣｏＭＰ動作も可能であるように支援される必要がある。これに対する具体的例示は、以下、図１０を参照して後述する。
【０２９８】
図１０は、本発明が適用されるパネル別にアナログビームフォーミングが適用されたアンテナパネルモデルを例示する。
【０２９９】
図１０の例示のように、「マルチパネルアンテナ」構造を有する送信アンテナ構成により、各パネル別に特定アナログビームフォーミングが適用されてそれぞれ「仮想セル／セクター／ビーム」を形成している状況を仮定することができる。このような送信機から特定受信機に信号を送信するとき、特定ビーム方向（例えば、特定パネルからの（from a particular panel））の信号が優勢（dominant）でなく、隣接の２つ以上のビーム方向の信号品質が特定レベル以内の差を示す状況などにおいては前述したＤＢＳによる性能向上を期待することができる。
【０３００】
従って、本明細書においては、受信機のこのような動作を支援できる特定のＱＣＬタイプＢ’を定義／設定することにより、受信機がＤＢＳなどのビームベースのＣｏＭＰ動作を円滑に行うことができるように支援することを提案する。また、ＱＣＬタイプＡ’は、サービングセル／ＴＰ／ビームに該当するＲＳ間に互いにＱＣＬ仮定が適用できるようにするモードとして支援されることができる。
【０３０１】
前述した提案内容をまとめると、次のような形態でＱＣＬタイプスイッチングが定義／設定されることができる：
【０３０２】
サービングセル／ＴＰ／ビームのための送信モードＸが設定された（又は、Ｎｅｗ ＲＡＴ動作のために設定された）ＵＥは、ＤＭＲＳに関連したアンテナポート（例えば、ポート７〜１４）に関連した送信方式によってＰＤＳＣＨをデコーディングするために、上位層パラメータによりサービングセル／ＴＰ／ビームに対して次のようなＱＣＬタイプのうち１つが設定されることができる。
【０３０３】
−タイプＡ’：ＵＥにおいて、サービングセル／ＴＰ／ビームのＢＲＳ（及び／又はＢＲＲＳ及び／又はＰＳＳ／ＳＳＳ）に関連したアンテナポートは前述したＱＣＬパラメータ／特性の少なくとも１つに対してＱＣＬされる。
【０３０４】
−タイプＢ’：ＵＥにおいて、上位層パラメータにより識別されるＣＳＩ−ＲＳ資源（及び／又はＢＲＳ／ＢＲＲＳ）構成に該当するアンテナポートＸＸ〜ＹＹとＰＤＳＣＨに関連したＤＭＲＳに関連するアンテナポート（例えば、７〜１４）は前述したＱＣＬパラメータ／特性の少なくとも１つに対してＱＣＬされる。
【０３０５】
前記設定可能なＱＣＬタイプのうち、ＱＣＬタイプＢ’を後述するＱＣＬタイプＣ’に代替して、ただＱＣＬタイプＡ’とＱＣＬタイプＣ’間の半静的スイッチングのみが可能であるように限定定義するか、あるいはＱＣＬタイプＡ’〜Ｃ’を全て定義してＲＲＣシグナリングなどにより選択的にいずれか１つのタイプが設定される方式も適用できる。
【０３０６】
−タイプＣ’：ＵＥは指示されたＢＲＳ／ＢＲＲＳ構成に対応する特定ビームのＢＲＳ／ＢＲＲＳ（及び／又はＰＣＲＳ）に関連したアンテナポート及びＰＤＳＣＨに関するＤＭＲＳに関連したアンテナポート（例えば、ポート７〜１４）は前述したＱＣＬパラメータ／特性の少なくとも１つに対してＱＣＬされる。
【０３０７】
ただ、このようなＱＣＬタイプＡ−Ｃ関連説明は本発明で提案されたＱＣＬ関連の提案要素が多様に反映されて変更／定義できることは言うまでもない。すなわち、ＱＣＬタイプをＡ’とＢ’にしてスイッチングするか、ＱＣＬタイプＡ’及びＢ’以外に特定ＢＲＳとののダイレクトＱＣＬを指示するＱＣＬタイプＣも（共に／追加で）支援されるようにするとき、これに対して適用できるＱＣＬタイプ／特性を含む細部説明には本発明で提案された技術要素が反映／代替されて定義／変更／適用されることができる。
【０３０８】
本明細書において、説明の便宜上、様々なＲＳをＢＲＳ、ＢＲＲＳ、ＰＣＲＳなどの用語で称しているが、本発明の適用がこれらに限定されるものではなく、該当ＲＳと同一の／類似した形態／機能／目的を有する他の名称のＲＳなどに対しても本発明が適用できることは言うまでもない。
【０３０９】
また、本明細書において、端末／受信機に設定／指示される制御情報はＲＲＣ、ＭＡＣ ＣＥ、及び／又はＤＣＩにより伝達されることができ、このようなＬ１及び／又はＬ２レベルなどのシグナリングのうちどのような形態のシグナリングを通じて該当設定／指示が提供されるかは個別の制御情報別に異なるように／独立的に定義／設定されることができる。
【０３１０】
ＮＲのための送信ビーム調整（transmission beam coordination）及びＱＣＬ
【０３１１】
ＮＲ環境においてＤＬ ＭＩＭＯ及びＵＬ ＭＩＭＯ全てに対して単一／複数（single/multi）ポイント送信を支援することができる。また、ＮＲ環境において、ＱＣＬ仮定とアンテナポートのための測定の仮定が行われることができる。これに基づいて、以下、特定のＲＳ間でＱＣＬが仮定されたｉｎｔｒａ／ｉｎｔｅｒ−ＴＲＰ調整（coordinated）送信について後述する。
【０３１２】
１．Ｉｎｔｒａ−ＴＲＰ調整送信
【０３１３】
多様なアンテナパネル配列構造がＮＲ環境／システムにおいて考慮されている。第１パネルモデルは均一な１Ｄ／２Ｄ長方形パネル配列として識別されることができる。適切なＣＳＩ−ＲＳ資源／ポートはこのようなアンテナアレイを通じてＵＥに構成しなければならないので、効率的な閉ループ（closed-loop）ＭＩＭＯ送信がＵＥのＣＳＩ測定及びフィードバックに基づいて適用されることができる。ＣＳＩ−ＲＳポート及びアンテナ配列マッピングは、ｅＮＢ実現にかかっていて多様なマッピング方式が存在することができ、例えば、（１）パネル当たり１つのＣＳＩ−ＲＳ資源、（２）パネル当たり複数のＣＳＩ−ＲＳ資源、及び（３）複数のパネルにマッピングされたＣＳＩ−ＲＳ資源がマッピングされる方式などが存在する。
【０３１４】
図１１は、本発明の一実施形態によってパネル当たり１つのＣＳＩ−ＲＳ資源がマッピングされる方式を例示する。
【０３１５】
図１１の実施形態は、１つのＣＳＩ−ＲＳ資源が（a/one）パネルから送信されてＣＳＩ−ＲＳ資源内のＣＳＩ−ＲＳポートがＱＣＬ保証／仮定できるＣＳＩ−ＲＳマッピングの最も簡単な方法である。すなわち、本実施形態によれば、１つのＣＳＩ−ＲＳ資源内の（一部又は全ての）ＣＳＩ−ＲＳポート間に前述したＱＣＬパラメータ／特性の少なくとも一部（例えば、平均利得、遅延拡散、ドップラー拡散、ドップラーシフト、平均遅延及び／又は受信ビーム関連パラメータ）に対するＱＣＬが仮定／保証されることができる。このようなＱＣＬ仮定／保証は、（１つのＣＳＩ−ＲＳ資源に含まれる又は１つのパネルにマッピングされる）ＣＳＩ−ＲＳポートで信号を生成するために、（関連構成要素（component）を有する）同一の発振器が用いられた場合に行われる。
【０３１６】
これは、従来の単一（仮想）セル動作と解析されることができ、単一仮想セルは、ＲＲＭ（Radio resource management）（便宜上、以下、「ＲＲＭ−ＲＳ」という）に対応するＲＳポートを測定することによりＵＥに関連されることができる。ＲＲＭ−ＲＳ及び潜在的に非周期的な／サブバンドＣＳＩ−ＲＳに対する詳細なＲＳ設計によって、ＵＥ実現を支援するために、ＣＳＩ−ＲＳ資源と特定ＲＲＭ−ＲＳ間の適切なＱＣＬ仮定が必要である。
【０３１７】
図１２は、本発明の一実施形態によってパネル当たり複数のＣＳＩ−ＲＳ資源がマッピングされる方式を例示する。
【０３１８】
図１２の実施形態は、複数のＢＦ（Beamformed）ＣＳＩ−ＲＳ資源を有するＦＤ（Full Dimension）−ＭＩＭＯクラスＢと類似して複数のビームフォーミングされたＣＳＩ−ＲＳベースの動作として解析されることができる。単一のパネルから送信されたこれら複数のＣＳＩ−ＲＳは異なるビーム方向を目標とするため、それぞれのＣＳＩ−ＲＳとそれに対応するＲＲＭ−ＲＳ間に全てのＱＣＬ特性／パラメータに対して常にＱＣＬされるということはできない。ＬＴＥ ｓｐｅｃにおいて定義されたものと類似して、この場合に対するＣＳＩ−ＲＳとＲＲＭ−ＲＳ間のＱＣＬ仮定には、例えば、ドップラーシフト及びドップラー拡散のような一部の特性／パラメータのみが利用でき、これは明示的に指示されることができる。図１１の実施形態とのこのような相違点は、アンテナアレイに対する異なるＣＳＩ−ＲＳマッピング方式から始まったものであるので、ＮＲ ｓｐｅｃは異なる目的のＣＳＩ−ＲＳアンテナポートマッピングの多様な実現方式を適切に支援しなければならない。
【０３１９】
図１３は、本発明の一実施形態によって複数のパネルに対して共有される（shared）ＣＳＩ−ＲＳ資源がマッピングされる方式を例示する。
【０３２０】
図１３の実施形態は、複数のパネルアンテナからの協力（cooperative）送信により送信されたＣＳＩ−ＲＳにさらに多くのビームフォーミング利得を有するように複数のパネルにマッピングされた共有されるＣＳＩ−ＲＳ資源として解釈されることができる。このように複数のパネルにＣＳＩ−ＲＳポートがマッピングされる方式は、例えば、トラヒック負荷が少ない特定ＵＥに対するＳＵ−ＭＩＭＯ送信を支援する場合に特に有用でありうる。ＣＳＩ−ＲＳは、ネットワークがターゲットＵＥに対するビームフォーミング方向の十分な情報を取得すると仮定すると、ＵＥ専用のＵＥ固有（specific）ビームフォーミングされた（beamformed）ＣＳＩ−ＲＳとして利用されることができる。使用シナリオを適切に支援するためには、ＱＣＬ仮定が必要である場合、ＣＳＩ−ＲＳとＲＲＭ−ＲＳ間のＱＣＬ仮定とシグナリングがＮＲ動作に対してどのように定義されて支援されているかが調査される必要がある。
【０３２１】
前述した内容をまとめると、複数のパネルＴＰ（Transmission Point）に対するＣＳＩ−ＲＳ資源マッピング方法によって、様々なｉｎｔｒａ−ＴＲＰ調整送信方式がＮＲにおいて考慮されることができる。また、ＲＲＭに対するＲＳとＵＥに設定されたＣＳＩ−ＲＳ間の適切なＱＣＬ仮定がｉｎｔｒａ−ＴＲＰ調整送信を支援するために必要となることがある。
【０３２２】
２．ＱＣＬタイプ及びシグナリング
【０３２３】
チャネル推定性能を向上させるために、異なるアンテナポート間のＱＣＬ仮定がＮＲにおいて必要である場合、図１１ないし図１３において示された実施形態にはＬＴＥ ｓｐｅｃに定義されたこと（ＴＭ １０のＵＥがＲＲＣシグナリングによりＱＣＬタイプＡ又はＢに設定される）のような異なるＱＣＬタイプに類似した半静的設定が支援されることができる。
【０３２４】
しかしながら、ＮＲコンテキストにおいて、考慮されている非周期的なタイプのＣＳＩ−ＲＳ送信（Ｒｅｌ−１４ ｅＦＤ−ＭＩＭＯにおいて活発に論議される）と共に、ＵＥ側受信動作に効率的に用いるために、より動的に設定可能なＱＣＬタイプ及び対応するＱＣＬ仮定を研究することが好ましい。すなわち、それぞれのＵＥは複数の必須ＲＲＣパラメータを有する特定のＣＳＩ−ＲＳ資源の設定を受けることができるが、実際のＣＳＩ−ＲＳ送信はＬ１シグナリングを通じてｅＮＢにより制御されることができる。ここで、制御可能なコンポーネントは、実際の送信時点（instance）、時間／周波数ＲＥパターン、ポート数、適用されたポートナンバリング及び／又はスクランブリングシードを含むことができる。このような動的ＣＳＩ−ＲＳ割り当て及び送信は、より動的な方式でＲＲＭ−ＲＳを含む他のＲＳとのより柔軟なＱＣＬシグナリングの支援をさらに要求することができる。すなわち、ＮＲに対する動的ＣＳＩ−ＲＳ割り当て及び送信はＲＲＭ−ＲＳを含む他のＲＳに対するより柔軟なＱＣＬシグナリング支援をさらに要求することができる。
【０３２５】
３．その他のＱＣＬパラメータ／特性
【０３２６】
現在のＬＴＥ ｓｐｅｃにおいては、アンテナポート間のＱＣＬに対する５種類のＬＳＰ、すなわち、遅延拡散、ドップラー拡散、ドップラーシフト、平均利得、及び平均遅延が定義されている。このような既存のＱＣＬパラメータ以外にも、特にアナログビームフォーミングがＵＥ側で適用されるとき、ＮＲ研究のために新しいタイプのａｒｒｉｖａｌ ａｎｇｌｅ／ｂｅａｍに関する特性が考慮される必要がある。
【０３２７】
ビームスキャニング／トラッキングの手順中に、ＵＥは特定のＤＬ ＲＳ（便宜上、‘ＲＲＭ−ＲＳ’と称する）の品質を測定及び比較することにより様々なＴＸ−ＲＸアナログビーム対を選択することができる。ｅＮＢ（又はｇＮＢと称することもできる）はビームフォーミングされたＣＳＩ−ＲＳ又はＤＭＲＳポートを送信するために、ＵＥ選好ＴＸ（送信）ビームのうち１つを選択することができる。この場合、ＵＥは、ＲＲＭ−ＲＳポートに対応するＴＸビームＩＤがＵＥにシグナリングできるように、候補ＲＸビームのうちどのＲＸ（受信）ビームがこれらアンテナポートを受信するように設定されるべきかを知っていなければならない。この状況において、ＲＲＭ−ＲＳポートとＣＳＩ−ＲＳ／ＤＭＲＳポートが以下のようなＱＣＬ定義によってｄｏｍｉｎａｎｔ ａｒｒｉｖａｌ ａｎｇｌｅの観点でＱＣＬされるということができる：
【０３２８】
−１つのアンテナポートのシンボルが伝達されるチャネルのＬＳＰが他のアンテナポートのシンボルが送信されるチャネルから暗示／推論（infer）できる場合、２つのアンテナポートがＱＣＬされたということができる。
【０３２９】
Ｄｏｍｉｎａｎｔ ａｒｒｉｖａｌ ａｎｇｌｅはＲＸビーム形成係数を決定することができる。また、アナログビームがデジタルビームに比べて動的に変更されないことがあるので、Ｄｏｍｉｎａｎｔ ａｒｒｉｖａｌ ａｎｇｌｅは相対的にＬＳＰとみなされることができる。ＱＣＬ仮定無しに、ＵＥは複数のＲＸビーム候補を探索しなければならないが、これはエネルギー及び時間の面で消耗的である。
【０３３０】
従って、ＮＲ環境においては、ＵＥ側でアナログビームフォーミングが適用されるとき、ａｒｒｉｖａｌ ａｎｇｌｅに対する新しいタイプのＱＣＬ特性を考慮する必要があるので、前述したような受信ビーム関連パラメータが新しいタイプのＱＣＬパラメータとして定義されることができる。
【０３３１】
４．Ｉｎｔｅｒ−ＲＳ ＱＣＬ及びＴＲＰ間の送信調整
【０３３２】
ＲＲＭ−ＲＳ設計において、ＲＲＭ−ＲＳ測定を補助するために同期信号から取得されたＱＣＬパラメータ／特性のうちの一部（例えば、ドップラーシフト及び平均遅延）がＲＲＭ−ＲＳに対してＱＣＬが仮定されるか否かを考慮すべきである。ＵＥがこのようなＲＲＭ−ＲＳを一度トラッキングすると、これはＵＥに対してＵＥ固有に（specifically）ビームフォーミングできるより微細なビーム生成のためにＲＲＭ−ＲＳの第２レベルのＱＣＬ連結（linkage）のために用いられることができる。前述したように、ＣＳＩ−ＲＳは第１（primary）又は第２（secondary）ＲＲＭ−ＲＳに対するＱＣＬ連結に従うように指示される必要がある。サブバンドＣＳＩ−ＲＳがＵＥに設定されると、例えば、広帯域で送信される他のＣＳＩ−ＲＳに対するＱＣＬに従うことが有利でありうる。
【０３３３】
現在のＬＴＥ ｓｐｅｃにおいて、ＱＣＬタイプＢを有するＴＭ１０が設定されたＵＥは、ＣｏＭＰ動的ポイント選択（Dynamic point selection：ＤＰＳ）動作として非サービングセル／ＴＰから送信されるＰＤＳＣＨを受信するためにスケジューリングされることができる。ここで、ＰＤＳＣＨのためのＤＭＲＳは、ＤＣＩ内のＰＱＩフィールドにより設定されたＣＳＩ−ＲＳのうち少なくとも１つとＱＣＬに従うように指示されることができる。すなわち、ＰＤＳＣＨのためのＤＭＲＳは、ＰＱＩフィールドにより指示されたＣＳＩ−ＲＳのうち少なくとも１つとＱＣＬ関係を有するように設定される。このようなＤＰＳ動作は、設定されたＣＳＩ−ＲＳ資源（例えば、ＴＲＰ毎に設定された各ＣＳＩ−ＲＳ資源）によって実際に動的ＴＲＰ選択が行われるか、又は単一ＴＲＰ内で動的ビーム選択（ＤＢＳ）が実行できるという点から、ＮＲ−ＭＩＭＯにおいて前記ＤＰＳ動作に類似した動作が考慮されることができる。これは、ビーム調整の観点でｉｎｔｒａ−ＴＲＰ ＣｏＭＰとして解析されることができる。
【０３３４】
ＮＲにおいてこのような種類の多様な送信戦略を適切に支援するために、ＮＲ研究のためのＤＭＲＳ設計がどのような他のＱＣＬ支援を要求せず、スケジューリングされた帯域内で十分なＲＳ密度が保証されない限り、ＰＤＳＣＨに対するＤＭＲＳは他のＲＳ（例えば、ＣＳＩ−ＲＳ及び／又はＲＲＭ−ＲＳ）とのＱＣＬに従うように明示的に指示されることができる（In order to properly support these kinds of various transmission strategies in NR, the DMRS for PDSCH should also be explicitly indicated to follow QCL to other RS、ｅ.g., CSI-RS or RRM-RS, unless DMRS design for NR study is done without requiring any other QCL supports and by guaranteeing sufficient RS density within the scheduled band）。
【０３３５】
特に、位相雑音効果によるＵＥ側の位相補償を支援するために、同一の副搬送波の様々なシンボルのように時間領域にわたって分散されることを希望するスケジューリングされたＰＤＳＣＨにＤＭＲＳの第２のレベル（すなわち、第２（secondary）ＤＭＲＳ）が送信されることができる。このような第２ＤＭＲＳはＵＥ側の位相補償を支援するために送信されるＲＳであるので、前述したＰＣＲＳ（又は、ＰＴ−ＲＳ）に対応する概念でありうる。従って、第２ＤＭＲＳはＰＣＲＳ（又は、ＰＴ−ＲＳ）と称されるか、ＰＣＲＳ（又は、ＰＴ−ＲＳ）に代替されることができる。
【０３３６】
第２ＤＭＲＳは全てのＱＣＬパラメータ／特性に対して第１ＤＭＲＳとＱＣＬされていると仮定することができるが、このときのＱＣＬは前述したＧＣＬと解析されることができる。ここで、ＧＣＬは、前述したように、アンテナポート間の時間／周波数バンドリングが可能であるため、効果的に同一のポートであると指示する。その結果、端末はＧＣＬされたアンテナポート間に同一のプリコーディングを仮定してＤＭＲＳを受信することができる。
【０３３７】
前述した内容をまとめると、同一の副搬送波領域（すなわち、同一の周波数領域）から複数のシンボル領域（すなわち、様々な時間領域、例えば、連続した時間領域）にわたって／分散されて第１及び第２ＤＭＲＳが送信されることができ、ここで、第１及び第２ＤＭＲＳ間にはＧＣＬ関係が指示／設定されることができる。端末は、第１及び第２ＤＭＲＳのＧＣＬ関係が指示／設定されると、第１及び第２ＤＭＲＳポートに同一のプリコーディングを仮定してＤＭＲＳを受信することができる。
【０３３８】
前述した実施形態におけるＧＣＬ関係は、ＤＭＲＳ（又は、データ復調）の観点を中心に解析されたが、ＰＣＲＳ（又は、位相補償）の観点を中心に解析／記述されることもできる。すなわち、前述した実施形態において、第２ＤＭＲＳ（又は、ＰＣＲＳ／ＰＴ−ＲＳ）がＤＭＲＳ密度を向上させてＤＭＲＳを安定的に受信しようとする目的／効果として用いられたが、逆に第１ＤＭＲＳがＰＣＲＳ（又はＰＴ−ＲＳ）密度を向上させてＰＣＲＳを安定的に受信しようとする目的／効果として用いられることもできる。
【０３３９】
このような観点で前述した実施形態を再び記述すると、同一の副搬送波領域（すなわち、同一の周波数領域）から複数のシンボル領域（すなわち、様々な時間領域、例えば、連続した時間領域）にわたって／分散されて第１及び第２ＰＣＲＳ（又はＰＴ−ＲＳ）（前述した実施形態の第１及び第２ＤＭＲＳに対応）が送信されることができ、ここで、第１と第２ＰＣＲＳ（又はＰＴ−ＲＳ）間にはＧＣＬ関係が指示／設定されることができる。端末は、第１及び第２ＰＣＲＳ（又はＰＴ−ＲＳ）のＧＣＬ関係が指示／設定されると、第１及び第２ＰＣＲＳ（又はＰＴ−ＲＳ）ポートに同一のプリコーディングを仮定してＰＣＲＳ（又はＰＴ−ＲＳ）を受信することができる。
【０３４０】
前述した実施形態を一般化すると、結局、ＧＣＬ関係を有するＤＭＲＳ及びＰＣＲＳ（又はＰＴ−ＲＳ）が同一の周波数領域から時間領域に分散して端末に送信することができ、端末はＤＭＲＳポートとＰＣＲＳ（又はＰＴ−ＲＳ）ポート間のＧＣＬ関係を仮定し、同一のプリコーディングを仮定してＤＭＲＳ及びＰＣＲＳ（又はＰＴ−ＲＳ）を受信することができる。ここで、ＧＣＬされるＤＭＲＳ及びＰＣＲＳ（又はＰＴ−ＲＳ）は、ＧＣＬの目的（例えば、データ復調の目的又は位相補償の目的）によって名付けられることができ、データ復調が目的である場合はＤＭＲＳ及びＰＣＲＳ（又はＰＴ−ＲＳ）は第１及び第２ＤＭＲＳと称され、位相補償が目的である場合は第１及び第２ＰＣＲＳ（又はＰＴ−ＲＳ）と称されることができる。ただ、これらに限定されるものではなく、同一の目的／機能／効果を有するＲＳ（又はＲＳ名称）に代替することは言うまでもない。
【０３４１】
結論として、様々なｉｎｔｒａ/ｉｎｔｅｒ−ＴＲＰ調整（coordinated）送信を適切に支援するために、ＮＲに対するＤＭＲＳ設計がＱＣＬ支援を要求せずに十分なＲＳ密度を保証しない限り、ＣＳＩ−ＲＳ又はＲＲＭ−ＲＳに対するＤＭＲＳ ＱＣＬが動的に指示される必要がある（To properly support various intra/inter-TRP coordinated transmissions, DMRS QCL to CSI-RS or RRM-RS may need to be dynamically indicated, unless DMRS design for NR is done without requiring any QCL supports and by guaranteeing sufficient RS density）。
【０３４２】
前述したＧＣＬの概念は、特定「｛周波数、時間、空間、及び／又はコード｝ドメインバンドリング／併合」を設定／指示することができることを意味し、
【０３４３】
−周波数ドメインバンドリングの場合、送信機（例えば、基地局）は受信機（例えば、端末）に副搬送波レベル、ＲＢレベル、ＲＢグループ（例えば、ＲＢＧ）レベル及び／又はサブバンドレベルなどでバンドリングを指示することができる。
【０３４４】
−時間ドメインバンドリングの場合、送信機（例えば、基地局）は受信機（例えば、端末）にシンボルレベル、スロットレベル、（ミニ−）サブフレームレベル、又はサブフレームグループ（例えば、ＴＴＩバンドリング）レベルなどでバンドリングを指示することができる。
【０３４５】
−空間ドメインバンドリングの場合、送信機（例えば、基地局）は受信機（例えば、端末）にポート／ビームレベルなどにバンドリングを指示することができ、このときのポート／ビームは対応している特定のＲＳ及び／又はチャネルに該当することができる（例えば、同一のプリコーダが送信機で区分されるｎｏｍｉｎａｌポート／ビームに用いられなければならない場合）。
【０３４６】
−コードドメインバンドリングの場合、送信機（例えば、基地局）は受信機（例えば、端末）に特定の他のシーケンス（例えば、異なるスクランブリングパラメータにより生成された）又は他のカバーコード（例えば、ＯＣＣ）間にバンドリングを指示することができる。
【０３４７】
このように、ＲＳ、ＳＳ及び／又はチャネル間に特定の（｛周波数、時間、空間及び／又はコード｝ドメインバンドリングを適用できるようにする）ＧＣＬ仮定が可能であるという設定／指示を受けると、受信者は該当ＲＳ、ＳＳ、及び／又はチャネル間にＧＣＬ仮定を適用して｛周波数、時間、空間及び／又はコード｝ドメインバンドリングによる受信性能を向上させることができる。このような動作は、ＲＳ、ＳＳ、及び／又はチャネル間に通常の動作は異なるが、送信者の意図によって受信者に特定の場合に（一時的に）上記のようなＧＣＬ仮定の設定／指示を可能にすることにより様々な送信の柔軟性（flexibility）を提供し、受信性能を向上させることができるという利点がある。
【０３４８】
一例として、前記例示のように、ＰＣＲＳとＤＭＲＳは（異なるアンテナポートナンバーが付与されることができ）基本的に意図する動作が異なることがあるが（例えば、ＰＣＲＳは位相補償の目的、ＤＭＲＳはデータ復調の目的）、もしＧＣＬ仮定が可能であるという設定／指示が提供されると、データ復調の目的でも（ＤＭＲＳと）ＧＣＬされたＰＣＲＳを共にＤＭＲＳ受信処理に活用することにより受信性能を向上させることができる。
【０３４９】
また他の例として、このような特定のＲＳ間の動作だけでなく、「ＰＳＳ／ＳＳＳ／ＥＳＳ（Extended Synchronization Signal）及び／又はＢＲＳ」の関係を考慮して特定の設定／指示されるＧＣＬ関係によって、ＰＳＳがＳＳＳのチャネル推定参照信号として活用できるようにすることによりＳＳＳ受信性能を向上させることができる。これと類似して、ＢＲＳも特定のＰＳＳ／ＳＳＳ／ＥＳＳとＧＣＬ仮定ができるように設定されると、これにより、ＢＲＳの受信性能も向上させることができる。
【０３５０】
また、ＧＣＬ仮定は、同一のＲＳ、ＳＳ、又はチャネル内でも特定の異なる（｛周波数、時間、空間及び／又はコード｝ドメイン）に対して端末がＧＣＬ仮定適用によるバンドリングを行うことができるように設定／指示されることもできる。
【０３５１】
例えば、特定のＣＳＩ−ＲＳ（資源及び／又はポート）に対して特定の時点（time instance）に対してＧＣＬ仮定が設定／指示されると、実際の各ＣＳＩ−ＲＳ送信がＤＣＩにより（1−ｓｈｏｔ）動的指示された場合であっても、端末はこのような１−ｓｈｏｔ ＣＳＩ−ＲＳ測定間の測定サンプルを前記ＧＣＬされた（又はＧＣＬ仮定が設定／示された）時点（time instance）にわたって平均化／結合（averaging/combining）することができる。送信者の側面でこれは、前記ＧＣＬされた時点（time instances）に対しては、例えば、各ＣＳＩ−ＲＳ送信時に適用するビームフォーミング係数を変化させてはならないことを意味する。結局、各ビームフォーミングされたＣＳＩ−ＲＳ送信時に適用されるプリコーダは、受信機−トランスペアレントに（transparent）送信できるが、少なくとも前記ＧＣＬされた時点（time instances）内では同一プリコーダが維持／適用されたＣＳＩ−ＲＳが送信されることを送信機が保証することができる。これにより、受信機がＧＣＬされた（非周期的）ＣＳＩ−ＲＳを測定及び結合（combining）して十分な測定サンプルを確保し、これにより、特定ＬＳＰを推定することができるという効果がある。このように推定されたＬＳＰを持って他のＲＳ（例えば、ＤＭＲＳ）と前述したＱＣＬ設定／指示などが可能であり、これによりＤＭＲＳベースのデータ復調性能を向上させることができる。
【０３５２】
前述したように、ＧＣＬを設定／指示するＧＣＬインジケータ（例えば、ＤＣＩ内に定義されたＧＣＬ指示フィールド）は、１−ｂｉｔフィールドなどから構成されて「トグリング」形態で実現できる。例えば、非周期的ＣＳＩ−ＲＳ送信がトリガリングされながら、送信されたＧＣＬインジケータが「０」で、最も新しく送信／測定された（該当ＣＳＩ−ＲＳと同一のＩＤの）ＣＳＩ−ＲＳ送信のＧＣＬインジケータも「０」であった場合（すなわち、ＧＣＬインジケータがトグリングされた場合）、端末はこの２種類のＣＳＩ−ＲＳ送信の間にＧＣＬ仮定を適用してバンドリング／結合／平均化（bundling/combining/averaging）動作を行うことができる。このような方式で、端末は、後続するＣＳＩ−ＲＳに対するＧＣＬインジケータもトグリングされない形態で送信された場合、後続するＣＳＩ−ＲＳに対しても継続して共にバンドリングすることができる。もし、後続するＣＳＩ−ＲＳ送信に対するＧＣＬインジケータがトグリングされて送信された場合、端末は該当ＣＳＩ−ＲＳに対してこれ以上バンドリングしないことができる。
【０３５３】
このように、最も新しく送信されたＣＳＩ−ＲＳに対して指示されたＧＣＬインジケータ値（例えば、トグリング可否）によって端末がバンドリング実行／適用可否を決定する動作は、（同一のＣＳＩ−ＲＳ ＩＤであっても）該当ＣＳＩ−ＲＳの他のＲＳ（例えば、ＢＲＳ及び／又はＢＲＲＳ）とのＱＣＬと同一のＱＣＬとして指示されたＣＳＩ−ＲＳ送信時点（instance）のみを集めたセット内での最も新しい時点と比較して（トグリング可否により）ＧＣＬ仮定を適用するか否かを決定する形態に限定される。これは、同一のＣＳＩ−ＲＳ ＩＤによる送信であっても、前述したように、資源を共有する状態で他のＲＳ（例えば、ＢＲＳ及び／又はＢＲＲＳ）とＱＣＬされたＣＳＩ−ＲＳ送信が非周期的に柔軟に送信されることができるためである。つまり、端末は、このように同一の「ＣＳＩ−ＲＳ ｔｏ 他のＲＳ（例えば、ＢＲＳ及び／又はＢＲＲＳ）ＱＣＬ」に従うＣＳＩ−ＲＳ送信時点内で前記ＧＣＬ仮定可否を適用する形態に制限されることができる。
【０３５４】
このような制限動作は、前記「ＣＳＩ−ＲＳ ｔｏ 他のＲＳ（例えば、ＢＲＳ及び／又はＢＲＲＳ） ＱＣＬ」のようなＣＳＩ−ＲＳ送信時点のみを集めて適用するようにする方法以外にも、以下のような形態でＤＣＩフィールドが構成される場合などにおいては該当ＤＣＩフィールドを通じて指示されるＣＳＩ ｐｒｏｃｅｓｓ ＩＤが同一のＣＳＩ−ＲＳ送信時点のみを集めてバンドリングを適用するようにするなどで端末に多様にシグナリング指示されることができる。また、以下の表のように、どのように前記制限されたセットを決定することができるかどうかは、適用されるＤＣＩフィールドにより様々な実施形態として実現できる。
【０３５５】
【表４】
0006844006.tif 000019
【０３５６】
本明細書においては一部の例示のみに言及したが、前記ＧＣＬ関連動作は、本発明で言及された全てのＱＣＬ関連の提案動作に対してもＱＣＬの代わりにＧＣＬ（及び、その関連定義／属性）に代替されて適用できる（ＱＣＬより強化された特性を適用できるようにすることがＧＣＬの概念であるので）。
【０３５７】
ＳＳ関連ＱＣＬ定義／概念
【０３５８】
ＰＳＳ、ＳＳＳ及び／又はＰＢＣＨは「ＳＳブロック（ＳＳＢ）」で送信されることができる。他の信号を排除することはＳＳブロックで排除されない。１つ又は複数のＳＳブロックが「ＳＳバースト（burst）」を構成することができる。１つ又は複数のＳＳバーストは「ＳＳバーストセット」を構成することができる。ＳＳバーストセット内のＳＳバースト数は有限（finite）である。以下では、このようなＳＳブロック及びＳＳバーストをどのように構成するかについてより詳細に説明する。
【０３５９】
ＮＲにおいては、初期アクセス関連情報（例えば、シンボルタイミング、セルＩＤ、必須システム情報及び／又は初期ＵＬ送信のための情報など）を送信するためのＰＳＳ、ＳＳＳ及び／又はＰＢＣＨが定義されることができる。さらに、ＮＲにおいては、必須システム情報送信又はセル／ＴＲＰ／ビーム測定のための他の新しい信号／チャネルを定義するためにより多くの議論が進行されている。従って、ＮＲにおいては初期アクセスのための様々な信号／チャネル（例えば、ＮＲ−ＳＳ、ＮＲ−ＰＢＣＨ、制御チャネル、測定ＲＳなど）が定義されることができる。この場合、ＳＳブロック内で構成／合成される（composed）信号／チャネルは、初期アクセスのための各信号／チャネルの周期性（periodicity）が異なると、送信時間（transmission occasion）によって変更されることができる。すなわち、初期アクセス関連信号／チャネルの他のセットがＳＳブロック内で構成／合成（compose）されることができる。このような側面から、ＳＳブロックの様々なタイプはＳＳブロック内での一種の構成／合成（composed）信号／チャネルによって次のように定義されることができる：
【０３６０】
−タイプ１：ＮＲ−ＳＳ（ＰＳＳ及びＳＳＳ）
【０３６１】
−タイプ２：ＮＲ−ＳＳ及びＮＲ−ＰＢＣＨ
【０３６２】
−タイプ３：ＮＲ−ＳＳ及びＭＲＳ
【０３６３】
−タイプ４：ＮＲ−ＳＳ及び制御チャネル
【０３６４】
信号／チャネルはＳＳブロック内で多重化できる。ＳＳブロック内で合成される信号／チャネルの種類によって、ＳＳブロックの持続時間（duration）が変更されることができる。例えば、ＴＤＭされた場合、前述したタイプ１（NR-SS only）及びタイプ２（ＮＲ−ＳＳ及びＮＲ−ＰＲＢＣＨの多重化）は異なるＳＳブロックの持続時間を有することができる。しかしながら、ＳＳブロック内で合成された信号／チャネルの種類に関係なくＳＳブロックの持続時間を維持することが好ましいこともある。さらに、「ＳＳバースト」の持続時間が「ＳＳブロック」の持続時間により決定されるということを考慮すると、ＳＳバーストの固定された持続時間も考慮すべきである。
【０３６５】
図１４は、本発明に適用できるＳＳブロック及びＳＳバーストの持続時間を例示した図である。
【０３６６】
図１４に示すように、「ＳＳバースト」の持続時間が「ＳＳブロック」の持続時間により決定されるということを考慮すると、ＳＳバーストの固定された持続時間は、ＳＳブロック内の合成信号／チャネルの種類に関係なく好まれる（preferred）。従って、ＳＳブロック内の全ての種類の合成信号／チャネルに関係なくＳＳブロックの各タイプは同一の持続時間を有すると仮定されることができる。
【０３６７】
ＤＬ制御シグナリングはスロット及び／又はミニスロットの１番目のＯＦＤＭシンボルに位置する。また、ＵＬ制御チャネルはスロットで最後に送信されたＵＬシンボルの周辺に位置する。従って、ＤＬ制御チャネル及びＤＭＲＳは最初のＮ個のＯＦＤＭシンボルに位置し、ＵＬ制御チャネルはスロット内で最後のＮ個のＯＦＤＭシンボルに位置するといえる。「ＳＳブロック」とＤＬ／ＵＬ制御チャネルの衝突を避けるために、ＳＳブロックはスロットの中間に位置することができる。スロット内で連続的な（consecutive）ＳＳブロックは「ＳＳバースト」を構成するために用いられる。また、ＳＳバーストのための複数のＳＳブロックが複数のスロットにわたって拡散される場合、「ＳＳバースト」を構成するために非連続的な（inconsecutive）「ＳＳブロック」が必要であり得る。
【０３６８】
図１５は、本発明に適用できるＴＤＤケースに対するＳＳバースト構成を例示した図である。
【０３６９】
前述したように、連続的であるか又は非連続的な「ＳＳブロック」は全て「ＳＳバースト」を構成するために用いられる必要がある。従って、連続的な「ＳＳブロック」及び非連続的な「ＳＳブロック」の全てが「ＳＳバースト」を構成するために用いられることができる。すなわち、ＳＳバーストを構成するＳＳブロックは（時間ドメインで）連続的に位置するか、及び／又は非連続的に位置する。
【０３７０】
図１４及び図１５に関連して上記内容をまとめると、以下のような結論／提案を導出することができる：
【０３７１】
−「ＳＳバースト」の持続時間が「ＳＳブロック」の持続時間によって決定されるという点を考慮すると、ＳＳバーストの固定された持続時間はＳＳブロック内の合成信号／チャネルの種類に関係なく好まれる。従って、ＳＳブロック内の合成信号／チャネル種類に関係なくＳＳブロックの各タイプは同一の持続時間を有すると仮定されることができる。
【０３７２】
−「ＳＳバースト」を構成するために連続的及び非連続的な「ＳＳブロック」の全てが必要であり得る。従って、連続的及び非連続的な「ＳＳブロック」全ては「ＳＳバースト」を構成するために用いられることができる。
【０３７３】
−以下、前述したＳＳブロックなどの同期手順関連の信号（領域／ブロック）受信を通じて取得した特定のＱＣＬパラメータ／特性を、該当信号（領域／ブロック）とＱＣＬ及び／又は部分ＱＣＬが成立すると仮定／設定／指示される他のＲＳ（グループ）に対して（例えば、ビーム運営（beam management）のために）適用することにより、前記他のＲＳ（グループ）の受信複雑度の減少及び／又は検出性能の向上効果を発生させるための諸技術を提案する。このような諸技術を提案する前に、提案技術の基礎になる内容について優先的に説明する。
【０３７４】
ＣＯＮＮＥＣＴＥＤとＩＤＬＥに対するセル間（inter-cell）ＲＲＭ測定のために次のような信号組み合わせ（combination）を考慮することができる。
【０３７５】
１．オプション１：同一のＲＳ
【０３７６】
−オプション１−１：ＮＲ−ＳＳＳ及び／又はＮＲ−ＰＳＳ
【０３７７】
−オプション１−２：ＭＲＳ（Mobility RS）−１（ＳＳブロックで多重化されたマルチポートマルチビーム参照信号）
【０３７８】
−オプション１−３：ＭＲＳ−２（ＳＳブロックで多重化されないマルチポートマルチビーム参照信号）
【０３７９】
−オプション１−４：ＭＲＳ−３（シングル／マルチポートシングルビーム参照信号）
【０３８０】
−オプション１−５：ＰＢＣＨのためのＤＭ−ＲＳが支援される場合、ＰＢＣＨのためのＮＲ−ＳＳＳ及びＤＭ−ＲＳ
【０３８１】
２．オプション２：同一でないＲＳ
【０３８２】
−オプション２−１：ＩＤＬＥ状態のＮＲ−ＳＳＳ；ＣＯＮＮＥＣＴＥＤ状態のＭＲＳ−｛１、２｝
【０３８３】
−オプション２−２：ＩＤＬＥ状態のＮＲ−ＳＳＳ；ＣＯＮＮＥＣＴＥＤ状態のＮＲ−ＳＳＳ及びＭＲＳ−｛１、２｝
【０３８４】
−オプション２−３：ＩＤＬＥ状態のＮＲ−ＰＳＳ及び／又はＮＲ−ＳＳＳ；ＣＯＮＮＥＣＴＥＤ状態のＮＲ−ＰＳＳ及び／又はＮＲ−ＳＳＳ、並びにＣＳＩ−ＲＳ
【０３８５】
−オプション２−４：ＣＯＮＮＥＣＴＥＤ状態の場合、ＩＤＬＥ状態のＲＳ及びＭＲＳ−｛１、２、３｝
【０３８６】
少なくとも次のような側面が考慮されて結果及び分析が提供されなければならない。
【０３８７】
−ＣＯＮＮＥＣＴＥＤ及びＩＤＬＥのセルカバレッジ
【０３８８】
−ＲＳ資源のオーバーヘッド（例えば、資源要素の数、ＲＳマッピングに用いられるＢＷ（BandWidth）、時間上の資源使用）
【０３８９】
−ＲＳ測定量（measurement quantity）の正確度（Accuracy）
【０３９０】
ＩＤＬＥモードＲＳオプション選択による次のような影響はマルチビームケースにおいても考慮されることができる：
【０３９１】
−ＲＡＣＨ（Random Access Channel）手順中に取得された関連ビームに関連して、ＲＲＣ接続前ＲＡＣＨ以後のＤＬ／ＵＬ信号受信での性能
【０３９２】
ＣＳＩ−ＲＳはＤＬ Ｔｘビームスイーピング及びＵＥ Ｒｘビームスイーピングを支援する。ＣＳＩ−ＲＳは、Ｐ１、Ｐ２及び／又はＰ３モードで使用されることができる。
【０３９３】
ＮＲ ＣＳＩ−ＲＳは、次のマッピング構造を支援する。
【０３９４】
−Ｎ＿Ｐ個のＣＳＩ−ＲＳポートは（サブ）時間単位（time unit）毎にマッピングされることができる。全体（サブ）時間単位にわたって同一のＣＳＩ−ＲＳアンテナポートがマッピングされることができる。ここで、「時間単位」は、構成された／参照ヌメロロジー（numerology）でｎ（＞＝1）個のＯＦＤＭシンボルを意味する。
【０３９５】
−各時間単位はサブ時間単位に分割される。このとき、分割方法としては、標準／予め設定された／参照ＯＦＤＭシンボルの長さ（サブキャリア間隔）と同一であるか、より短いＯＦＤＭシンボルの長さ（すなわち、より大きいサブキャリア間隔）を有するＴＤＭ、ＩＦＤＭＡ、ＯＦＤＭシンボルレベルの分割のような分割方法が用いられるが、他の分割方法も排除されない。
【０３９６】
−このような／前述したマッピング構造は、マルチパネル／Ｔｘチェーンを支援するのに用いられることができる。
【０３９７】
Ｔｘ及びＲｘビームスイーピングのためのＣＳＩ−ＲＳマッピングオプションは次のようである：
【０３９８】
−オプション１：Ｔｘビームは各時間単位内でサブ時間単位にわたって同一であるが、時間単位にわたって異なることもある。
【０３９９】
−オプション２：Ｔｘビームは各時間単位内でサブ時間単位別に異なるが、時間単位にわたって同一であることもある。
【０４００】
−オプション３（オプション１とオプション２の組み合わせ）：１つの時間単位内でＴｘビームはサブ時間単位にわたって同一でありうる。他の時間単位内でＴｘビームはサブ時間単位にわたって異なることがあり得る。Ｔｘスイーピング又はＲｘスイーピングのみが可能であることもある。
【０４０１】
以下では説明の便宜上、前述したように、特定ビーム運営目的などで（サブ）時間単位形態に設定できるＣＳＩ−ＲＳ（本ＲＳ名称は変化することもある）をタイプ２のＣＳＩ−ＲＳと称し、そうでない形態（例えば、３ＧＰＰ ＬＴＥ／ＬＴＥ−ＡのＣＳＩ−ＲＳ形態など）に設定できるＣＳＩ−ＲＳをタイプ１のＣＳＩ−ＲＳと称し、各タイプのＣＳＩ−ＲＳに対して以下では図１６を参照して説明する。
【０４０２】
図１６は、本発明に適用できるタイプ１のＣＳＩ−ＲＳ及びタイプ２のＣＳＩ−ＲＳを例示する。特に、図１６（ａ）は、タイプ１のＣＳＩ−ＲＳを、図１６（ｂ）はタイプ２のＣＳＩ−ＲＳをそれぞれ例示する。
【０４０３】
図１６（ａ）に示すように、既存のＣＳＩ−ＲＳ設定方式（すなわち、タイプ１のＣＳＩ−ＲＳ設定方式）の場合、ＣＳＩ−ＲＳポート数及び／又はシーケンス生成／スクランブリングパラメータが設定され、特定の周期／オフセットが設定されることができる（非周期的（aperiodic）ＣＳＩ−ＲＳなどの場合は省略されることができる）。また、既存のＣＳＩ−ＲＳ設定方式（すなわち、タイプ１のＣＳＩ−ＲＳ設定方式）の場合、各ＣＳＩ−ＲＳ送信時点（instance）でＣＳＩ−ＲＳが送信される周波数／時間資源の位置（例えば、ＣＳＩ−ＲＳ ＲＥ位置／パターン）が事前に（ＲＲＣシグナリングを通じて）設定される構造に従う。便宜上、これをタイプ１のＣＳＩ−ＲＳと称することは前述した通りである。
【０４０４】
これとは異なり、特定ＣＳＩ−ＲＳ資源設定が「（サブ）時間単位」関連の設定によりもっと細分化し、該当（サブ）時間単位に対して端末の動作に関する細部動作オプションなどがさらに設定されることもできる。便宜上、これをタイプ２のＣＳＩ−ＲＳと称することは前述した通りである。
【０４０５】
図１６（ｂ）に示すように、タイプ２のＣＳＩ−ＲＳも基本的にタイプ１のＣＳＩ−ＲＳのように周期／オフセットパラメータが設定されることができ（又は、周期／オフセットパラメータが省略され、各時間単位が現れる／指示される地点を通じて周期パラメータが暗黙的に指示／設定される方式も可能で、例えば集中的に（bursty）複数の時間単位が連続的に現れる形態にＣＳＩ−ＲＳが設定／限定されることもでき、これは非周期的ＣＳＩ−ＲＳ設定と連携して該当ＣＳＩ−ＲＳバーストの開始時点などが指示されることができる）、この場合、該当周期／オフセットパラメータにより指示されるＣＳＩ−ＲＳの各送信時点を基準に（サブ）時間単位によるＣＳＩ−ＲＳ細部（detailed）送信時点を明示的に指示する付加的な（時間単位オフセット）パラメータが共に設定されることができる。そして／または（基本（default）設定方法として）ＣＳＩ−ＲＳの各送信時点は各時間単位の開始時点に定義／設定／限定されることができ（例えば、図１６（ｂ）に示すように）、１つの時間単位内で複数のサブ時間単位が設定されることができる。すなわち、１つの時間単位は、複数のサブ時間単位に区分されることができる。このようなサブ時間単位は常に連続的（consecutive）にのみ設定されるものに限定されることができる（例えば、図１６ｂに示すように）。あるいは、より柔軟にサブ時間単位はそれぞれ１つの時間単位内で（非継続的にも／独立的に／別途に）設定されるように別途の周期／オフセットを有し、これに関するパラメータが共に設定されることもできる。
【０４０６】
図１７は、本発明の一実施形態によるタイプ２のＣＳＩ−ＲＳ設定によるＱＣＬ仮定方式を例示した図である。
【０４０７】
タイプ２のＣＳＩ−ＲＳ形態の設定は、特定の（ＤＬ）ビーム運営のための用途に活用されることができる。例えば、１つのタイプ２のＣＳＩ−ＲＳ設定は１つ又は複数のＣＳＩ−ＲＳ資源を包含／指示／設定する形態で提供されることができ、１つのタイプ２のＣＳＩ−ＲＳ設定が複数のＣＳＩ−ＲＳ資源の設定を含む場合、特徴的に異なるＣＳＩ−ＲＳ資源間には同一の時点で送信されないものに限定されることができる。すなわち、複数のＣＳＩ−ＲＳ資源は（各資源単位で）少なくともＴＤＭされて送信されるものに限定されることができる（図１７に示すように）。
【０４０８】
このような動作の利点により、異なるＣＳＩ−ＲＳ資源間には少なくとも異なる／独立的な（アナログ）ビームが適用され、異なる（アナログ）ビームが適用されたＣＳＩ−ＲＳ資源が異なる時点で端末に送信されるようにして、端末がこれに対するＲＸビームスイーピング動作を含むビーム運営手順を効果的に行うことができるようにする。さらに、各ＣＳＩ−ＲＳ資源別に異なる／独立的なアンテナポート数が設定される。あるいは、特定条件下で（基地局設定により）異なるＣＳＩ−ＲＳ資源別に全て同一のアンテナポート数のみ設定可能であるように限定されることもできる。
【０４０９】
このような構造において、「各ＣＳＩ−ＲＳ資源別に」特定ＱＣＬパラメータ／特性（例えば、遅延拡散、ドップラー拡散、ドップラーシフト、平均利得、平均遅延、平均角（ＡＡ）、角度拡散（ＡＳ）及び／又はＰＡＰの少なくとも１つ）に対してＱＣＬ又は部分ＱＣＬが仮定／成立する他のＲＳ／信号（グループ）（前述した特定ＭＲＳ−１、−２、及び／又は−３を含む）及び／又は特定ＳＳブロックインデックス（又はＩＤ）が（事前に）端末に設定されることができる。これは、ＲＲＣシグナリング、ＭＡＣ（Ｌ２）シグナリング及び／又はＤＣＩ（Ｌ１）シグナリングを通じて端末に設定されることができる。従って、端末は、ＣＳＩ−ＲＳ資源内のアンテナポートを測定するとき、ＱＣＬ又は部分ＱＣＬ仮定を通じて取得した特定ＱＣＬパラメータ／特性を積極的に適用／活用することにより実現の複雑度の減少、及び／又は検出／測定性能の向上の効果が得られる。以下、説明の便宜上、ＣＳＩ−ＲＳ（ターゲットＲＳ）とＱＣＬ仮定又は部分ＱＣＬ仮定される他のＲＳ／信号（グループ）（前述した特定ＭＲＳ−１、−２、及び／又は−３を含む）及び／又は特定のＳＳブロックインデックスを「ソースＲＳ（又はＱＣＬソース／参照ＲＳ）」と総称することもできる。従って、ターゲットＲＳのＱＣＬパラメータ（又はＬＳＰ）はソースＲＳから推定されたＱＣＬパラメータ（又はＬＳＰ）から暗示／推定される。
【０４１０】
そして／または、例えば、各ＣＳＩ−ＲＳ資源別にＱＣＬ（又は部分ＱＣＬ）指示された他のＲＳ／信号（グループ）（前述した特定ＭＲＳ−１、−２、及び／又は−３を含む）及び／又は特定ＳＳブロックインデックス（すなわち、「ソースＲＳ」）が複数である場合、端末は各資源別に指示された複数のソースＲＳに対する特定のＱＣＬパラメータ／特性を組み合わせ（union）（又は、平均又は特定加重平均（particular weighted averaging））して（部分）ＱＣＬ仮定動作を適用／実行するように定義／設定されることができる。そして／または、ＭＲＳ−ｘ（ｘは自然数、例えばｘ＝１、２、又は３）も特定のＳＳブロックインデックスと事前に特定ＱＣＬパラメータ／特性に対してＱＣＬ又は部分ＱＣＬが定義／設定されることができる。
【０４１１】
または、より柔軟な基地局実現を支援するために、上記構造において、各ＣＳＩ−ＲＳ資源内の「各ＣＳＩ−ＲＳアンテナポート（又は特定ポートグループ）別に」特定のＱＣＬパラメータ／特性に対してＱＣＬ又は部分ＱＣＬが仮定／成立する他のＲＳ／信号（グループ）（前述した特定ＭＲＳ−１、−２、及び／又は−３を含む）及び／又は特定のＳＳブロックインデックスが（事前に）端末に設定されることができる。これは、ＲＲＣシグナリング、ＭＡＣ（Ｌ２）シグナリング及び／又はＤＣＩ（Ｌ１）シグナリングを通じて端末に設定されることができる。従って、端末は、ＣＳＩ−ＲＳ資源内のアンテナポートを測定するときにこのようなＱＣＬ又は部分ＱＣＬ仮定を通じて取得した特定のＱＣＬパラメータ／特性を積極的に適用／活用することにより実現の複雑度の減少、及び／又は検出／測定性能の向上の効果が得られる。
【０４１２】
さらに、前者のＣＳＩ−ＲＳ資源レベルのＱＣＬ設定／シグナリング方式及び後者のポートレベルのＱＣＬ設定／シグナリング方式が全て支援できる場合、基地局は前者の実施形態のようにＣＳＩ−ＲＳ資源レベルでＱＣＬ設定／シグナリングを提供するか、又は後者の実施形態のようにポートレベルでＱＣＬ設定／シグナリングを提供するかに関する追加的な柔軟性を活用できるという効果がある。すなわち、図１７の実施形態において、ＱＣＬ又は部分ＱＣＬが、資源単位ではなく、資源の内部の各ポート単位で設定／指示される形態に変形／適用することができる。そして／または、例えば、各ＣＳＩ−ＲＳポート別にＱＣＬ（又は部分ＱＣＬ）指示された他のＲＳ／信号（グループ）（前述した特定ＭＲＳ−１、−２、及び／又は−３を含む）及び／又は特定ＳＳブロックインデックス（すなわち、「ソースＲＳ」）が複数である場合、端末は各資源別に指示された複数のソースＲＳに対する特定ＱＣＬパラメータ／特性を組み合わせ（union）（又は、平均又は特定加重平均（particular weighted averaging））して（部分）ＱＣＬ仮定動作を適用／実行するように定義／設定されることができる。そして／または、ＭＲＳ−ｘ（ｘは自然数、例えばｘ＝１、２、又は３）も特定ＳＳブロックインデックスと事前に特定ＱＣＬパラメータ／特性に対してＱＣＬ又は部分ＱＣＬが定義／設定されることができる。
【０４１３】
一方、端末は、ビーム運営目的などのために、基地局にこれに関する報告を行うように定義／設定されることができる。ここで、端末は、ｐ番目（例えば、ｐ＝１、２、…Ｐ（基地局により設定可能））に好む（preferred）（ＣＳＩ−ＲＳ）ポートのインデックス情報を基地局（例えば、ｇＮＢ）に報告するとき、該当ポートがどのＣＳＩ−ＲＳ資源内にあるポートであるかに関する情報も常に（又は、基地局設定により）前記ポートインデックス情報とペアリングされた形態で基地局に報告することができる。例えば、どのＣＳＩ−ＲＳ資源であるかを指示するインジケータをＣＲＩ（CSI-RS resource indicator）と称すると、端末の報告内容（reporting contents）は｛ＣＲＩ、ポートインデックス｝のように２つの指示情報がペアリングされた形態で基地局に報告されることができる。そして／または、これとともに、ポートに対する信号品質を代表する／表すことのできる特定のメトリック（例えば、ＲＳＲＰ、ＲＳＲＱ（Reference Signal Received Quality）、及び／又はＣＱＩなど又はそれに類似した特定関数）を端末が報告するように設定されることもできる。
【０４１４】
報告内容のさらに他の変形実施形態として、ペアリングされた情報を｛ＣＲＩ、ポート選択コードブックインデックス（又はＰＭＩ）｝のような形態で構成して端末が報告するように定義／設定されることができる。ここで、ポート選択ＰＭＩを導出（derive）するためにこれに該当する「選択コードブック（selection codebook）」が予め定義／設定される。選択コードブックの各インデックスに該当するベクトルのサイズは対応する／ペアリングされたＣＲＩが指示するＣＳＩ−ＲＳ資源内のＣＳＩ−ＲＳポート数に一致し、各インデックスに該当するベクトルは特定の要素１つの値のみが「１」であり、残りの要素は全て０である形態（すなわち、選択コードブックベクトル形態）で構成されることができる。
【０４１５】
前述したように、１つのタイプ２のＣＳＩ−ＲＳ設定が１つ又はＫ個（Ｋ＞１）のＣＳＩ−ＲＳ資源を含む形態で設定／提供される場合、設定可能なＫの値に対する上限値が存在する。端末が支援可能な／実現された（最大の）Ｋの値に関する情報は端末の特定のＵＥ能力（capability）シグナリングを通じて初期接続時に基地局に伝達されることができ、基地局はこれに基づいてＫ個までのＣＳＩ−ＲＳ資源を１つのタイプ２のＣＳＩ−ＲＳ設定内で提供するように制限されることができる。基地局がこのようなＵＥ能力シグナリング情報などに基づいてＫ個のＣＳＩ−ＲＳ資源を１つのタイプ２のＣＳＩ−ＲＳに設定する時、ＲＲＣシグナリング形態で半静的に設定することができる。より詳細には、ＲＲＣ設定された（configured）Ｋ個のＣＳＩ−ＲＳ資源のうちＬ２（例えば、ＭＡＣ ＣＥによる）シグナリング（及び／又はＬ１（例えば、ＤＣＩによる）、Ｌ３シグナリング）を通じてＮ個（Ｎ＜＝Ｋ）のＣＳＩ−ＲＳ資源のみが選択的に活性化される設定／制御動作が支援できる（図１７参照）。この場合、活性化されていない残りの（Ｋ−Ｎ）個のＣＳＩ−ＲＳ資源は、非活性化又は解除されたと端末が認識するか、非活性化／解除のための別途のシグナリングが端末に提供／支援されることもできる。つまり、端末は活性化されたＮ個のＣＳＩ−ＲＳ資源それぞれに設定された／含まれたポート別に信号品質を測定し、これにより取得したメトリックを相互比較してＰ個の好まれるポート情報及び／又は（前記好まれるＰ個のポート別）メトリック値を基地局に報告するように定義／設定されることができる。
【０４１６】
ＮＲにおけるＱＣＬ定義は、遅延拡散、ドップラー拡散、ドップラーシフト、平均利得及び平均遅延などの５種類の大規模ＱＣＬパラメータ／特性を考慮して決定されることができる。さらに、このようなＱＣＬパラメータ／特性の他にも、ＵＥ側ビーム形成／受信手順を支援するために、ＮＲのＱＣＬフレームワークは新しい空間ＱＣＬパラメータ（すなわち、受信ビーム関連パラメータ）に拡張できることは前述した通りである。このような空間ＱＣＬパラメータ（すなわち、受信ビーム関連パラメータ）は、特にＵＥ側にアナログビームフォーミングが適用されるときの新しい到着（arrival）／受信角に対するＱＣＬ特性を示す。ビーム運営手順中に、ＵＥは特定のＤＬ ＲＳ（例えば、ＲＲＭ−ＲＳ）の品質を測定して比較することにより複数のＴＸ−ＲＸアナログビーム対を選択することができる。ＴＲＰはビームフォーミングされたＣＳＩ−ＲＳ又はＤＭＲＳポートを送信するためにＵＥ選好（preferred）Ｔｘビームのうち１つを選択することができる。この場合、ＲＲＭ−ＲＳポートに対応するＴｘビームＩＤがＵＥにシグナリングできるように、ＵＥは候補Ｒｘビームのうちこのアンテナポートを受信するためにどのＲｘビームが設定されるべきかを知っていなければならない。このような状況で、ＲＲＭ−ＲＳポートとＣＳＩ−ＲＳ／ＤＭＲＳポートはドミナントな到着／受信角（dominant arrival/receiving angle）の側面で／に対してＱＣＬされたということができる。
【０４１７】
ドミナントな到着／受信角はＲｘビームフォーミング係数を決定し、デジタルビームに比べてアナログビームが動的に変更されない可能性があるので、相対的に広範囲（large-scale）の特性とみなされることができる。ＱＣＬ仮定がないと、ＵＥは複数のＲＸビーム候補を探索しなければならないが、これはエネルギー及び時間の側面で消耗的である。
【０４１８】
従って、ＵＥでアナログビームフォーミングが適用されるとき、ドミナントな到着／受信角に対する新しいタイプのＱＣＬ特性（例えば、「空間ＱＣＬパラメータ（すなわち、受信ビーム関連パラメータ）」）がＮＲにおいて定義されなければならない。
【０４１９】
初期アクセス関連議論を考慮するとき、ＲＲＭ−ＲＳはＭＲＳ−１、２又は３と呼ぶことができ、ＳＳブロック内で多重化されることも、されないこともできる。また、ＲＲＭ−ＲＳは、シングル又はマルチビームＲＳでありうる。Ｒｘビーム探索／スイーピングにおける適切な（reasonable）ＵＥの複雑性を支援するために、ＲＲＣ又はＭＡＣによるＣＳＩ−ＲＳ関連設定は少なくとも空間ＱＣＬパラメータの側面で特定ＭＲＳ−ｘ（ｘは自然数、例えば、ｘ＝１、２、又は３）又はＳＳブロックインデックスに対するＱＣＬ（又は部分ＱＣＬ）指示を含まなければならない。この場合、ＵＥは、ＣＳＩ−ＲＳからのＰＡＰがＭＲＳ−ｘ又はＳＳブロックから観測されたＰＡＰの部分集合であると仮定することができる。これは、ＣＳＩ−ＲＳ送信に用いられるＴＸＲＵは少なくともＳＦＮ方式（SFN manner）でＳＳブロック内の信号送信に用いられるべきであるということが考慮されたことである。
【０４２０】
従って、Ｒｘビーム探索で適切なＵＥの複雑性を支援するために、ＲＲＣ又はＭＡＣによるＣＳＩ−ＲＳ関連設定は、ＳＳブロックインデックスに対するＱＣＬ指示（少なくとも空間ＱＣＬパラメータに対して）を含まなければならない。ここで、ＵＥは、ＣＳＩ−ＲＳからのＰＡＰがＳＳブロック内で送信された信号から観測されたＰＡＰの部分集合であると仮定することができる。
【０４２１】
ＵＥ側ビームフォーミング／受信手順を支援するためのＵＥの空間ＱＣＬパラメータに対する参照信号資源／ポート間のＱＣＬ関連を支援するために、ＵＥフィードバック及び内容を支援する必要がある。
【０４２２】
ビームフォーミング／受信手順に関する詳細情報が提供されなければならず、少なくとも以下のメトリックの観点で性能が評価されなければならないことが好ましい：
【０４２３】
−ＲＳオーバーヘッド
【０４２４】
−ＵＥフィードバックオーバーヘッド
【０４２５】
−スペクトル効率
【０４２６】
ＮＲにおいてＱＣＬに対する空間パラメータは受信機で観察されたＲＳアンテナポートの空間チャネル特性を説明する。また、ＮＲにおいて空間パラメータは送信機におけるアンテナポートの空間チャネル特性を説明する。必要に応じて、ＵＥはこれに関する情報を基地局に報告することができる。
【０４２７】
ＮＲは、ダウンリンク制御チャネル受信のためのＵＥ側ビームフォーミングを支援するためのＱＣＬ仮定を導出するためのダウンリンク指示を支援するか、支援しない。
【０４２８】
ＮＲにおいてＮＺＰ（non zero power） ＣＳＩ−ＲＳ資源は少なくともＣＳＩを導出するために測定できる周波数範囲（span）／持続時間内のＲＥセットにマッピングされるＮＺＰ ＣＳＩ−ＲＳポートセットとして定義されることができる。複数のＮＺＰ ＣＳＩ−ＲＳ資源は少なくともＣｏＭＰ及びマルチプルビームフォーミングＣＳＩ−ＲＳベースの動作を支援するためにＵＥに設定される。ここで、少なくともＣｏＭＰのための各ＮＺＰ ＣＳＩ−ＲＳ資源は異なる数のＣＳＩ−ＲＳポートを有することができる。
【０４２９】
図１８は、本発明の一実施形態によるタイプ２のＣＳＩ−ＲＳ資源のための（必須の）ＱＣＬ指示を例示した図である。
【０４３０】
ＮＲにおけるＱＣＬ定義は、遅延拡散、ドップラー拡散、ドップラーシフト、平均利得及び平均遅延などの５種類の大規模ＱＣＬパラメータ／特性を考慮して決定されることができる。さらに、このようなＱＣＬパラメータ／特性の他にも、ＵＥ側ビーム形成／受信手順を支援するために、ＮＲのＱＣＬフレームワークは新しい空間ＱＣＬパラメータ（すなわち、受信ビーム関連パラメータ）に拡張できることは前述した通りである。このような空間ＱＣＬパラメータ（すなわち、受信ビーム関連パラメータ）は、特にＵＥ側にアナログビームフォーミングが適用されるときの新しい到着（arrival）／受信角に対するＱＣＬ特性を示す。ビーム運営手順中に、ＵＥは特定のＤＬ ＲＳ（例えば、ＲＲＭのためのＲＳポート、便宜上、「ＲＲＭ−ＲＳ」と称することができる）の品質を測定して比較することにより複数のＴＸ−ＲＸアナログビーム対を選択することができる。ＴＲＰはビームフォーミングされたＣＳＩ−ＲＳ又はＤＭＲＳポートを送信するためにＵＥ選好（preferred）Ｔｘビームのうち１つを選択することができる。この場合、ＲＲＭ−ＲＳポートに対応するＴｘビーム方向が関連したＱＣＬ指示によりＵＥにシグナリングできるように、ＵＥは候補Ｒｘビームのうちこのアンテナポートを受信するためにどのＲｘビームが設定されるべきかを知っていなければならない。このような状況で、ＲＲＭ−ＲＳポートとＣＳＩ−ＲＳ／ＤＭＲＳポートはドミナントな到着／受信角（dominant arrival/receiving angle）の側面で／に対してＱＣＬされたということができる。
【０４３１】
ドミナントな到着／受信角は、Ｒｘビームフォーミング係数を決定し、デジタルビームに比べてアナログビームが動的に変更されない可能性があるので、相対的に広範囲（large-scale）の特性とみなされることができる。ＱＣＬ仮定がないと、ＵＥは複数のＲＸビーム候補を探索しなければならないが、これはエネルギー及び時間の側面で消耗的である。
【０４３２】
従って、ＵＥでアナログビームフォーミングが適用されるとき、ドミナントな到着／受信角に対する新しいタイプのＱＣＬ特性（例えば、「空間ＱＣＬパラメータ（すなわち、受信ビーム関連パラメータ）」）がＮＲにおいて定義されなければならない。
【０４３３】
初期アクセス関連議論を考慮するとき、ＲＲＭ−ＲＳはＭＲＳ−１、２又は３と称されることができ、ＳＳブロック内で多重化されることも、されないこともできる。また、ＲＲＭ−ＲＳはシングル又はマルチビームＲＳでありうる。Ｒｘビーム探索／スイーピングにおける適切な（reasonable）ＵＥの複雑性を支援するために、ＲＲＣ又はＭＡＣによるＣＳＩ−ＲＳ関連設定は少なくとも空間ＱＣＬパラメータの側面で特定のＭＲＳ−ｘ（ｘは自然数、例えば、ｘ＝１、２、又は３）又はＳＳブロックインデックスに対するＱＣＬ（又は部分ＱＣＬ）指示を含まなければならない。この場合、ＵＥはＣＳＩ−ＲＳからのＰＡＰがＭＲＳ−ｘ又はＳＳブロックから観測されたＰＡＰの部分集合であると仮定することができる。これは、ＣＳＩ−ＲＳ送信に用いられるＴＸＲＵは少なくともＳＦＮ方式（SFN manner）でＳＳブロック内の信号送信に用いられるべきであるということが考慮されたものである。
【０４３４】
従って、Ｒｘビーム探索で適切なＵＥの複雑性を支援するために、ＲＲＣ又はＭＡＣによるＣＳＩ−ＲＳ関連設定はＳＳブロックインデックスに対するＱＣＬ指示（少なくとも空間ＱＣＬパラメータに対して）を含まなければならない。ここで、ＵＥは、ＣＳＩ−ＲＳからのＰＡＰがＳＳブロック内で送信された信号から観測されたＰＡＰの部分集合であると仮定することができる。
【０４３５】
ＣＳＩ−ＲＳ設定と関連して、タイプ１のＣＳＩ−ＲＳ資源（ＭＩＭＯ ＣＳＩフィードバック用）と（ＤＬ Ｔｘ／Ｒｘビームスイーピングを支援するための）タイプ２のＣＳＩ−ＲＳ資源（ＤＬビーム運営用）を提案することは前述した通りである。
【０４３６】
図１８に示すように、各ＣＳＩ−ＲＳ資源は特定ＳＳブロックとＱＣＬ仮定／関係を有する。また、１つのＣＳＩ−ＲＳ資源内でＣＳＩ−ＲＳポートが異なるアナログビームに対応することができる。この場合、ＵＥはＤＬビーム運営のために自分が好む｛ＣＲＩ、ポートインデックス｝を基地局に報告することができる。
【０４３７】
ＭＩＭＯ ＣＳＩフィードバックのためのタイプ１のＣＳＩ−ＲＳ資源を測定するためには、少なくともＵＥのＲｘビーム設定を支援するために適切なＱＣＬシグナリング（例えば、タイプ２のＣＳＩ−ＲＳ資源及びポートインデックス対に連結させる（linking）ためのＱＣＬシグナリング）がＵＥに提供されなければならない。
【０４３８】
すなわち、タイプ１のＣＳＩ−ＲＳ資源の設定上で、特定タイプ２のＣＳＩ−ＲＳ資源及び／又は該当資源内のポートインデックス（又は、それに対する特定選択コードブックインデックス）とＱＣＬパラメータ／特性の少なくとも１つに対してＱＣＬ又は部分ＱＣＬ仮定が適用できるという情報がＬ１（例えば、ＤＣＩにより）、Ｌ２（例えば、ＭＡＣ ＣＥにより）、及び／又はＬ３（例えば、ＲＲＣにより）シグナリングにより提供されることができる。端末は、このようなシグナリング／設定に基づいてタイプ１のＣＳＩ−ＲＳ資源の測定時、ＱＣＬ仮定又は部分ＱＣＬ仮定を反映／適用することができる。ここで、ＱＣＬされたタイプ２のＣＳＩ−ＲＳ資源（及び／又は該当資源の内部の特定ポート）に対してＱＣＬ又は部分ＱＣＬされたと指示される特定のＭＲＳ−ｘ（例えば、ｘ＝１、２、又は３、…）及び／又は特定のＳＳブロックインデックスなどの情報が存在すると、この情報まで連結（linkage）させて／考慮してタイプ１のＣＳＩ−ＲＳ資源を測定するときに適用できることは言うまでもない。すなわち、ＵＥはタイプ１のＣＳＩ−ＲＳ資源の測定の時、タイプ１のＣＳＩ−ＲＳ資源とタイプ２のＣＳＩ−ＲＳ資源／ポート間のＱＣＬ仮定／関係だけでなく、タイプ２のＣＳＩ−ＲＳ資源／ポートとＭＲＳ−ｘ又はＳＳブロック間のＱＣＬ仮定／関係も考慮／適用することができる。
【０４３９】
このとき、特定の条件及び設定などにより、特定のタイプ２のＣＳＩ−ＲＳ資源及び／又は該当資源内のポートインデックスに対するＱＣＬ又は部分ＱＣＬ指示は（実際のＱＣＬ仮定のための用途ではない）連結（linkage）指示用途にのみ適用して、前記特定のタイプ２のＣＳＩ−ＲＳ資源及び／又は該当資源内のポートインデックスとＱＣＬ連結されている前記特定のＭＲＳ−ｘ（例えば、ｘ＝１、２、又は３、…）及び／又は前記特定のＳＳブロックインデックスなどに対するＱＣＬ又は部分ＱＣＬ仮定のみを適用するようにＵＥの動作が限定されることもできる。従って、この場合、ＵＥは、タイプ１のＣＳＩ−ＲＳ資源測定の時、前記タイプ１のＣＳＩ−ＲＳ資源とＱＣＬ指示されたタイプ２のＣＳＩ−ＲＳ資源／ポートとＱＣＬ仮定を行うことではなく、前記タイプ２のＣＳＩ−ＲＳ資源／ポートとＱＣＬ指示されたＭＲＳ−ｘ及び／又はＳＳブロックとＱＣＬ仮定を行うことができる。
【０４４０】
そして／または、タイプ１のＣＳＩ−ＲＳ資源の設定上で、特定のＭＲＳ−ｘ（例えば、ｘ＝１、２、又は３、…）及び／又は特定のＳＳブロックインデックスと直接的にＱＣＬパラメータ／特性の少なくとも１つに対してＱＣＬ又は部分ＱＣＬ仮定が適用できるという情報がＬ１（例えば、ＤＣＩにより）、Ｌ２（例えば、ＭＡＣ ＣＥにより）、及び／又はＬ３（例えば、ＲＲＣにより）シグナリングにより提供されることができる。端末は、このようなシグナリング／設定に基づいてタイプ１のＣＳＩ−ＲＳ資源測定の時、ＱＣＬ仮定又は部分ＱＣＬ仮定を反映／適用することができる。
【０４４１】
すなわち、図１７の実施形態のように、ＣＳＩ−ＲＳ「資源」単位／レベルでＳＳＢブロックとのＱＣＬ仮定／関係が設定／指示されることができ、これに対する追加的な／変形した実施形態として各ＣＳＩ−ＲＳ資源内のＣＳＩ−ＲＳ「ポート」単位／レベルでも（すなわち、より細かく）ＳＳＢブロックとのＱＣＬ仮定／関係が設定／指示されることができる。従って、本明細書で提案される実施形態において、別途に言及しなくても、ＣＳＩ−ＲＳポート単位／レベルとして説明されている実施形態はＣＳＩ−ＲＳ資源単位／レベルに代替された実施形態を導出できることは言うまでもなく、その反対の場合も同様である。
【０４４２】
図１９は、本発明の一実施形態による全体的なＤＬビーム運営手順を例示した図である。特に、図１９は、ＣＳＩ−ＲＳ資源とＳＳブロック（又はＭＲＳ−１）間のＱＣＬ関係を例示する。
【０４４３】
図１９に示すように、ＳＦＮ送信されたＳＳブロック（タイプ２のＣＳＩ−ＲＳ資源とＱＣＬされた）のビーム幅（beam-width）は１つのＣＳＩ−ＲＳ資源内で複数送信されるＣＳＩ−ＲＳポートに区分／分割されることができ、各ＣＳＩ−ＲＳポートはｇＮＢの実現により異なるアナログビームに対応することができる。
【０４４４】
前述した内容をまとめて導出される結論は次のように要約することができる：
【０４４５】
結論１：ＵＥ側でアナログビームフォーミングが適用されるとき、ドミナント到着／受信角に対する新しいタイプのＱＣＬ特性がＮＲにおいて定義されなければならない。
【０４４６】
結論２：ＲＸビーム探索で適切な（reasonable）ＵＥの複雑性を支援するために、ＲＲＣ又はＭＡＣによるＣＳＩ−ＲＳ関連設定は、少なくとも空間ＱＣＬパラメータに対するＳＳブロックインデックスとのＱＣＬ指示を含むべきである。ここで、ＵＥはＣＳＩ−ＲＳからのＰＡＰがＳＳブロック内で送信された信号から観測されたＰＡＰの部分集合であると仮定することができる。
【０４４７】
結論３：Ｒｘビーム探索で適切なＵＥの複雑性を支援するために、タイプ２のＣＳＩ−ＲＳ資源は、少なくとも空間ＱＣＬパラメータに対してＭＲＳ−１又はＳＳブロックとの適切なＱＣＬ連結（linkage）が設定される必要がある。
【０４４８】
以上で議論した提案方式の少なくとも１つによる実施形態又は追加提案技術項目として、以下の表５のようなＱＣＬ関係が提案／整理されることができる。表５に含まれるセットｘ−ｙのうち少なくとも１つが無線通信システム上で定義／設定されることができ、設定対象となるＲＳ／ＲＳ資源別にＲＲＣ、ＭＡＣ、及び／又はＤＣＩを通じて設定／シグナリングが提供されることができる。
【０４４９】
【表５−１】
0006844006.tif 000020
【０４５０】
【表５−２】
0006844006.tif 000021
【０４５１】
表５に示すように、ターゲットＲＳ／信号／資源（例えば、ＣＳＩ−ＲＳ）とＱＣＬ仮定される「ソースＲＳ／信号／資源（ＱＣＬソースとも称することができる）」及びＱＣＬ仮定される「ＱＣＬパラメータ／タイプ」がジョイントエンコーディングされた形態の複数のＱＣＬパラメータセットタイプが定義されることができる。基地局は適用ケースによって事前に定義されている複数のＱＣＬパラメータセットタイプのうち特定タイプを選択的に端末にシグナリング（例えば、ＲＲＣ、ＭＡＣ、及び／又はＤＣＩシグナリング）することによりＱＣＬ適用を示すことができる。
【０４５２】
また、表５は、グルーピングされているＱＣＬパラメータグループ又はソースＲＳ／信号／資源別に複数のＱＣＬパラメータセットタイプと定義されたと解析されることもできる（すなわち、２つの情報がジョイントエンコーディングされずにいずれか１つの情報に対してのみ複数のＱＣＬパラメータセットタイプが定義された形態）。すなわち、各ＱＣＬパラメータセットタイプは、「特定ＱＣＬパラメータグループ情報のみ」又は「ソースＲＳ／信号／資源情報のみ」を指示するように定義されたと解析されることができる。この場合、基地局は特定ＱＣＬパラメータセットタイプを指示しながらジョイントエンコーディングで排除された他の情報を共に別途に端末にシグナリング（例えば、ＲＲＣ、ＭＡＣ、及び／又はＤＣＩシグナリング）することによりＱＣＬ適用を指示することができる。例えば、基地局は、ＱＣＬパラメータセットタイプ２−２（｛（部分）空間ＱＣＬ、ドップラーシフト、平均遅延｝）と共にこれに対応するＱＣＬ適用するソースＲＳ／信号／資源を端末に指示することができる（例えば、｛ＤＬ ＲＳ ＩＤ／インデックス、ＱＣＬパラメータセットタイプ｝の形態でシグナリング）。
【０４５３】
前述したように、ＮＲにおいては、２つのＣＳＩ−ＲＳ資源のアンテナポート間のＱＣＬ指示が支援されることができる。基本的に２つのＣＳＩ−ＲＳ資源のアンテナポート間にはＱＣＬが仮定されてはならず、この場合は、部分ＱＣＬパラメータ（例えば、ＵＥ側の空間ＱＣＬパラメータのみ）が考慮されることができる。
【０４５４】
ＤＬの場合、ＮＲは、ビーム関連指示があるか又はないＣＳＩ−ＲＳ受信を支援することができる。もし、ビーム関連指示が提供される場合、ＣＳＩ−ＲＳベースの測定に用いられたＵＥ側ビームフォーミング／受信手順に関する情報はＱＣＬを通じてＵＥに指示されることができる。ここで、ＱＣＬ情報はＵＥ側ＣＳＩ−ＲＳポートの受信のための空間パラメータを含む。
【０４５５】
３及び４層の送信の場合、ＮＲはＵＥ別及びＰＤＳＣＨ／ＰＵＳＣＨ割り当て別に１コードワード（ＣＷ）を支援する。
【０４５６】
１つのＣＷに属するＤＭＲＳポートグループは、異なるＱＣＬ仮定を有することができる。１つのＵＬ又はＤＬ関連ＤＣＩにはＣＷ当たり１つのＭＣＳが含まれることができる。ＣＷ当たり１つのＣＱＩを計算されることができる。
【０４５７】
最小限にＮＲユニキャストＰＤＳＣＨに対するビーム指示の目的のために、ＮＲは少なくとも１つのＰＤＳＣＨ ＤＭＲＳポートグループと空間的にＱＣＬされるＤＬ ＲＳに対する参照を提供するＤＣＩ内のＮ（Ｎは最大「３」まで設定できる）ビットインジケータフィールドを支援することができる。
【０４５８】
インジケータ状態（state）は少なくとも１つのＤＬ ＲＳのインデックス（例えば、ＣＲＩ、ＳＳＢインデックス）に連携されることができ、ＤＬ ＲＳの各インデックスは与えられたＤＬ ＲＳタイプ（例えば、非周期的ＣＳＩ−ＲＳ、周期的ＣＳＩ−ＲＳ、半永久的な（semi-persistent）ＣＳＩ−ＲＳ又はＳＳＢ）と連携されることができる。ＤＬ ＣＳＩ−ＲＳタイプ決定の１つの可能性は資源設定（setting）ＩＤを用いることであるが、これに限定されるものではない。
【０４５９】
ＮＲはＤＣＩシグナリングを通じてＰＤＳＣＨ用のＤＭ−ＲＳのＱＣＬ指示を支援することができる。前述したＮビットインジケータフィールドは次の機能を支援するように拡張されることができる：
【０４６０】
−各状態は、１つ又は２つのＤＭＲＳポートグループそれぞれに対してＱＣＬ関係を指示する／有する１つ又は２つのＲＳセットを指示することができる。
【０４６１】
−各ＲＳセットは、対応するＤＭ−ＲＳグループ内のＤＭ−ＲＳポートとＱＣＬされた少なくとも１つのＲＳを示す。ＲＳセット内のＲＳは異なるタイプでありうる。
【０４６２】
ＲＳセット当たり１つ以上のＲＳがある場合、それらのそれぞれは異なるＱＣＬパラメータに関連することができる。例えば、１つのＲＳは、空間ＱＣＬに関連するのに対して、他のＲＳは他のＱＣＬパラメータに関連することができる。各状態に対するＲＳセット設定は上位層シグナリングを通じて行われることができる（例えば、ＲＲＣ／ＲＲＣ＋ＭＡＣ ＣＥ）。
【０４６３】
参照ＲＳとターゲットＲＳ間のＱＣＬ関係を設定する方法は、ＮＲにおいて次のように支援されることができる：
【０４６４】
−設定された場合、ＳＳブロック（ソース／参照ＲＳ）と少なくともＰ（Periodic）／ＳＰ（semi-persistent） ＣＳＩ−ＲＳ（ターゲットＲＳ）間に少なくとも空間ＱＣＬ関係はシグナリングされることができる。
【０４６５】
−設定された場合、Ｐ／ＳＰ ＣＳＩ−ＲＳ資源（ソース／参照ＲＳ）と少なくとも他のＰ／ＳＰ ＣＳＩ−ＲＳ資源（ターゲットＲＳ）間に少なくとも空間ＱＣＬ関係がシグナリングされることができる。
【０４６６】
また、ＮＲにおいて単一（single）ＣＣ（Component Carrier）／ＢＷＰ（Bandwidth Part）及び単一ＴＲＰの場合、最小限に次の機能が支援されることができる。
【０４６７】
ＮＺＰ ＣＳＩ−ＲＳのアンテナポートは以下のパラメータに対して他のＲＳのアンテナポートとＱＣＬされることができる：
【０４６８】
−｛平均遅延、遅延拡散、ドップラーシフト及び／又はドップラー拡散｝に対してＴＲＳ（Tracking reference signal）と、｛空間Ｒｘパラメータ｝に対してＳＳブロック、又は｛空間Ｒｘパラメータ｝に対してＮＺＰ ＣＳＩ−ＲＳのうち少なくとも１つとＱＣＬ
【０４６９】
ＤＭ−ＲＳのアンテナポートは、ＴＲＳ設定前にＰＤＳＣＨ復調のために｛平均遅延、遅延拡散、ドップラーシフト、ドップラー拡散及び／又は空間Ｒｘパラメータ｝に対してＳＳブロックとＱＣＬされることができる。
【０４７０】
ＮＺＰ ＣＳＩ−ＲＳのアンテナポートが次のような他のＲＳのアンテナポートとＱＣＬされることができる：
【０４７１】
−ＳＳブロックと｛平均遅延、遅延拡散、ドップラーシフト、ドップラー拡散及び／又は空間Ｒｘパラメータ｝に対してＱＣＬ
【０４７２】
ＤＭ−ＲＳのアンテナポートはＮＺＰ ＣＳＩ−ＲＳと｛平均遅延、遅延拡散、ドップラーシフト、ドップラー拡散及び／又は空間Ｒｘパラメータ｝に対してＱＣＬされることができる。また、ＤＭ−ＲＳのアンテナポートはＴＲＳと｛平均遅延、遅延拡散、ドップラーシフト、ドップラースプレッド及び／又は空間Ｒｘパラメータ｝に対してＱＣＬされることができる。
【０４７３】
ＱＣＬ仮定を有する様々なＲＳ組み合わせは、ＴＲＳ及びＣＳＩ−ＲＳ ＲＲＣ設定前／後であるかによって次のように提案されることができる：
【０４７４】
１．６ＧＨｚ超過（above）及び未満（below）で、ＴＲＳ及びＣＳＩ−ＲＳのＲＲＣ設定前の場合：
【０４７５】
−ＳＳＢ→ＰＤＳＣＨのためのＤＭＲＳ（ＳＳＢがソースＲＳ、ＰＤＳＣＨのためのＤＭＲＳがターゲットＲＳ）、すなわちＰＤＳＣＨのためのＤＭＲＳはＳＳＢと｛ドップラーシフト、ドップラー拡散、平均遅延、遅延拡散及び／又は空間Ｒｘパラメータ（空間ＲＸパラメータは６ＧＨｚ以上でのみ用いられる）｝に対してＱＣＬされる。
【０４７６】
−ＳＳＢ→ＰＤＣＣＨのためのＤＭＲＳ（ＳＳＢがソースＲＳ、ＰＤＣＣＨのためのＤＭＲＳがターゲットＲＳ）、すなわちＰＤＣＣＨのためのＤＭＲＳはＳＳＢと｛ドップラーシフト、ドップラー拡散、平均遅延、遅延拡散及び／又は空間Ｒｘパラメータ（空間Ｒｘパラメータは6GHz以上でのみ用いられる）｝に対してＱＣＬされる。
【０４７７】
２．単一ＴＲＰに対して６ＧＨｚ未満（below）で、ＴＲＳ及びＣＳＩ−ＲＳのＲＲＣ設定後の場合：
【０４７８】
−ＳＳＢ（他のＣＣ（Component Carrier）でも可能）＋ＴＲＳ＋ＣＳＩ取得のためのＣＳＩ−ＲＳ＋ＰＤＳＣＨのためのＤＭＲＳ
【０４７９】
−ＳＳＢ→ＴＲＳ（ＳＳＢがソースＲＳ、ＴＲＳがターゲットＲＳ）：｛ドップラーシフト及び／又は平均遅延｝、すなわちＴＲＳはＳＳＢと｛ドップラーシフト及び／又は平均遅延｝に対してＱＣＬされる。
【０４８０】
また、ＱＣＬ方式により次のようにタイプＡ及びタイプＢを定義することができる。
【０４８１】
１．タイプＡ：
【０４８２】
−ＴＲＳ（ソースＲＳ）→ＣＳＩ取得のためのＣＳＩ−ＲＳ（ターゲットＲＳ）：ドップラーシフト、ドップラー拡散、平均遅延及び／又は遅延拡散
【０４８３】
−ＴＲＳ／ＣＳＩ−ＲＳ（ソースＲＳ）→ＤＭＲＳ（ターゲットＲＳ）：ドップラーシフト、ドップラー拡散、平均遅延及び／又は遅延拡散
【０４８４】
すなわち、タイプＡは、「ＣＳＩ取得のためのＣＳＩ−ＲＳはドップラーシフト、ドップラー拡散、平均遅延及び／又は遅延拡散に対してＴＲＳとＱＣＬされることができ、ＤＭＲＳはドップラーシフト、ドップラー拡散、平均遅延及び／又は遅延拡散に対してＤＭＲＳとＱＣＬされることができること」を指示するように定義されることができる。
【０４８５】
２．タイプＢ：
【０４８６】
−ＴＲＳ（ソースＲＳ）→ＣＳＩ取得のためのＣＳＩ−ＲＳ（ターゲットＲＳ）：ドップラーシフト及び／又はドップラー拡散
【０４８７】
−（前記ＣＳＩ取得のための）ＣＳＩ−ＲＳ→ＤＭＲＳ：ドップラーシフト、ドップラー拡散、平均遅延及び／又は遅延拡散
【０４８８】
すなわち、タイプＢは、「ＣＳＩ取得のためのＣＳＩ−ＲＳはドップラーシフト及び／又はドップラー拡散に対してＴＲＳとＱＣＬされることができ、ＤＭＲＳはドップラーシフト、ドップラー拡散、平均遅延及び／又は遅延スプレッドに対してＣＳＩ−ＲＳとＱＣＬされることができること」を指示するように定義されることができる。このようなタイプＢは基地局のＣｏＭＰ動作のために適用されることができる。
【０４８９】
狭いビーム（narrow beam）ＣＳＩ−ＲＳに対して広いビーム（wide beam）ＴＲＳがＱＣＬされることができ、広いビームＣＳＩ−ＲＳは狭いビームＤＭＲＳとＱＣＬされることができる。
【０４９０】
６ＧＨｚ以上でＲＲＣ設定後の場合に対してＱＣＬ仮定されるＲＳの組み合わせに対しては以下で後述する。
【０４９１】
一方、前述したＤＣＩのＮビットインジケータ（特に、ＤＬ ＲＳインデックス（例えば、ＣＲＩ、ＳＳＢインデックス）とインジケータ状態間の連携のためのシグナリングメカニズム）は、各ＰＱＩ状態がＲＲＣシグナリングにより明示的に記述されるＬＴＥ ＰＱＩフィールドと類似して明示的なシグナリング方式をベースにしなければならない。また、ＤＣＩのＮビット表示器はＰＤＣＣＨ ＤＭＲＳとＰＤＳＣＨ ＤＭＲＳ間に同一空間ＱＣＬ仮定を有するようにこれに関する基本（default）状態の説明を有することができる。
【０４９２】
すなわち、少なくともＤＬ ＲＳインデックス（例えば、ＣＲＩ、ＳＳＢインデックス）とインジケータ状態の連携のための明示的シグナリングメカニズムは支援されなければならず、連携の支援は暗黙的にＵＥにより決定される。
【０４９３】
インジケータ状態は他のパラメータ（例えば、ＬＴＥでのＰＱＩに類似したＰＤＳＣＨでＲＥへのマッピング目的、他のＱＣＬパラメータ）を含むことも含まないこともできる。このようなジョイントエンコーディング方式は、ＤＣＩオーバーヘッド及び柔軟性でより良好なトレードオフを維持するためにＬＴＥと類似して支援されることができ、［３ビット］より大きいＮの値を適切に拡張することにより達成されることができる。すなわち、ＰＤＳＣＨビーム指示と共に、ＰＤＳＣＨ開始シンボル（例えば、ビーム交換時間間隔、ＤＣＩデコーディング時間及び隣接（neighboring）ビームのＣＳＩ−ＲＳを保護するためのＺＰ ＣＳＩ−ＲＳ資源を提供するために）を含むＰＤＳＣＨレートマッチング情報が指示される必要がある。従って、ＤＣＩオーバーヘッドを減らすためにＰＤＳＣＨビーム指示とＰＤＳＣＨレートマッチング情報間のジョイントエンコーディングが支援されることができる。
【０４９４】
ＲＲＣ又はＲＲＣ＋ＭＡＣ ＣＥなどの上位層シグナリングを通じて各状態に対するＲＳセットが設定できるという問題に関して、本明細書においては、ＮＲにおいてＲＲＣ＋ＭＡＣ ＣＥシグナリングを支援して各インジケータ状態がＭＡＣ ＣＥによりアップデートされることを提案する。従って、ネットワーク実現上の効率性と柔軟性が向上する。すなわち、この場合は、各状態に対するＲＳセットの設定はＲＲＣだけでなく、ＲＲＣ＋ＭＡＣ ＣＥを通じても行われる。
【０４９５】
ＱＣＬ指示時間に関連したＱＣＬ適用タイミングの場合、ＰＤＣＣＨ指示に従ってＰＤＳＣＨビームを変更／適用するために、ＰＤＣＣＨを正確にデコーディングするためのタイミング間隔（gap）のための少なくとも１つのスロット遅延（latency）又は２つのシンボルが許容されなければならない。すなわち、ＱＣＬ指示時間に関連したＱＣＬが適用タイミングのために少なくとも１つのスロット遅延又は２つのシンボル（遅延）が許容されなければならない。
【０４９６】
インジケータ状態に関連して、参照ＲＳとターゲットＲＳ間の前述した空間ＱＣＬ関係はＰＤＳＣＨ受信のための空間ＱＣＬ指示とは独立した特徴である（the mentioned spatial QCL relation between a reference RS and a targeted RS is an independent feature of the spatial QCL indication for PDSCH reception）。従って、２つインジケータ自体は実際に独立的なＤＣＩフィールド／フォーマットに分離されることができる。すなわち、参照ＲＳとターゲットＲＳ間の空間ＱＣＬ関係に対するインジケータは、ＰＤＳＣＨ受信のための空間ＱＣＬ指示インジケータとは分離された／独立したＤＣＩフィールド／フォーマットで支援されることができる。
【０４９７】
参照ＲＳとターゲットＲＳ間の空間ＱＣＬ関係に関して次のように提案することができる。
【０４９８】
ＳＳブロック（参照ＲＳ）と少なくともＰ／ＳＰ ＣＳＩ−ＲＳ間の空間ＱＣＬ関係に対するシグナリングはＲＲＣだけでなく、ＲＲＣ＋ＭＡＣ ＣＥを通じても行われることができ、これにより、ビーム制御の側面でより良好な効率性と柔軟性が発生することができる。また、ターゲットＲＳに対してＡＰ（Aperiodic） ＣＳＩ−ＲＳを許容するように支援されることができるが、これは、ビーム指示はＲＲＣ＋ＭＡＣ ＣＥにより事前設定されることを意味するが、ＡＰ ＣＳＩ−ＲＳの実際の送信タイミングはｅＦＤ−ＭＩＭＯにより導入されたＬＴＥのＡＰ ＣＳＩ−ＲＳ概念と類似してＤＣＩで指示されることができる。
【０４９９】
Ｐ／ＳＰ ＣＳＩ−ＲＳ資源（参照ＲＳ）と他の（another/different）Ｐ／ＳＰ ＣＳＩ−ＲＳ資源間の空間ＱＣＬ関係に対するシグナリングも、ＲＲＣだけでなく、ＲＲＣ＋ＭＡＣ ＣＥを通じても行われることができ、これはビーム制御にさらに良好な効率性と柔軟性を提供する。さらに、このような理由からターゲットＲＳにＡＰ ＣＳＩ−ＲＳを許容するように支援されることもできる。
【０５００】
結論として、ＳＳブロック（参照ＲＳ）と少なくともＰ／ＳＰ ＣＳＩ−ＲＳ間の空間ＱＣＬ関係に対するシグナリングは、ＲＲＣだけでなく、ＲＲＣ＋ＭＡＣ ＣＥを通じても行われることができ、ターゲットＲＳとしてＡＰ ＣＳＩ−ＲＳもこ許容されることができる。また、Ｐ／ＳＰ ＣＳＩ−ＲＳ資源（参照ＲＳ）と他の（another/different）少なくともＰ／ＳＰ ＣＳＩ−ＲＳ資源間の空間ＱＣＬ関係に対するシグナリングは、ＲＲＣだけでなく、ＲＲＣ＋ＭＡＣ ＣＥを通じても行われることができ、ターゲットＲＳとしてＡＰ ＣＳＩ−ＲＳも許容されることができる。
【０５０１】
ＮＺＰ ＣＳＩ−ＲＳ ＱＣＬ及びＤＭＲＳ ＱＣＬに対するＱＣＬパラメータセット及び関連条件に関して次のように提案することができる。
【０５０２】
ＮＺＰ ＣＳＩ−ＲＳのアンテナポートは次のようなＱＣＬパラメータに対して次のような他のＲＳのアンテナポートとＱＣＬされることができる：
【０５０３】
−｛平均遅延、遅延拡散、ドップラーシフト、ドップラー拡散｝に対してＴＲＳ、｛空間Ｒｘパラメータ｝に対してＳＳブロック、及び／又は｛空間Ｒｘパラメータ｝に対してＮＺＰ ＣＳＩ−ＲＳ
【０５０４】
−（ＴＲＳが設定されたか否かに関係なく）｛平均遅延、遅延拡散、ドップラーシフト、ドップラー拡散、空間Ｒｘパラメータ｝に対してＳＳブロック
【０５０５】
また、ＤＭＲＳ ＱＣＬに対して次の事項がさらに支援されなければならない：
【０５０６】
−ＤＭ−ＲＳのアンテナポートは｛平均遅延、遅延拡散、ドップラーシフト、ドップラー拡散、空間Ｒｘパラメータ｝に対してＮＺＰ ＣＳＩ−ＲＳとＱＣＬされることができる。
【０５０７】
−（ＮＺＰ ＣＳＩ−ＲＳ設定前に）ＤＭ−ＲＳのアンテナポートはＰＤＳＣＨ復調のための｛平均遅延、遅延拡散、ドップラーシフト、ドップラー拡散、空間Ｒｘパラメータ｝に対してＳＳブロックとＱＣＬされることができる。
【０５０８】
ＤＭＲＳ ＱＣＬに対する前記提案によれば、ＮＲにおいて可能な全ての必須動作が十分にカバーされるので、次の機能／動作はこれ以上支援される必要がないことがある。
【０５０９】
−ＤＭ−ＲＳのアンテナポートは｛平均遅延、遅延拡散、ドップラーシフト、ドップラー拡散及び／又は空間Ｒｘパラメータ｝に対してＴＲＳとＱＣＬされることができる。
【０５１０】
ＮＺＰ ＣＳＩ−ＲＳのアンテナポートは次のようなＱＣＬパラメータに対して次のような他のＲＳのアンテナポートとＱＣＬされることができる：
【０５１１】
−ＳＳブロック：（ＴＲＳが構成されているか否かに関係なく）｛平均遅延、遅延拡散、ドップラーシフト、ドップラー拡散及び／又は空間Ｒｘパラメータ｝に対して
【０５１２】
ＤＭ−ＲＳのアンテナポートは｛平均遅延、遅延拡散、ドップラーシフト、ドップラー拡散及び／又は空間Ｒｘパラメータ｝に対してＮＺＰ ＣＳＩ−ＲＳとＱＣＬされることができる。また、ＤＭ−ＲＳのアンテナポートはＮＺＰ ＣＳＩ−ＲＳ設定以前ＰＤＳＣＨ復調のための｛平均遅延、遅延拡散、ドップラーシフト、ドップラースプレッド及び／又は空間Ｒｘパラメータ｝に対してＳＳブロックとＱＣＬされることができる。
【０５１３】
一方、前述した６ＧＨｚ超過（above）の場合におけるタイプＢの場合、まず、６ＧＨｚ未満（below）の場合に定義されたタイプＢに空間パラメータを追加して／入れて定義することで十分である。タイプＢはＬＴＥと同様に支援されることができ、６ＧＨｚ超過の場合におけるタイプＢは具体的に次のように（又は次のＱＣＬ動作を示すように）定義されることができる：
【０５１４】
−ＴＲＳ（ソース／参照ＲＳ）→ＣＳＩ取得のためのＣＳＩ−ＲＳ（ターゲットＲＳ）：｛ドップラーシフト及び／又はドップラー拡散｝
【０５１５】
−ＣＳＩ−ＲＳ（ソース／参照ＲＳ）→ＤＭＲＳ：｛ドップラーシフト、ドップラー拡散、平均遅延、遅延拡散及び／又は空間Ｒｘパラメータ｝
【０５１６】
すなわち、６ＧＨｚ超過の場合のタイプＢは、「ＣＳＩ取得のためのＣＳＩ−ＲＳはドップラーシフト及び／又はドップラー拡散に対してＴＲＳとＱＣＬされることができ、ＤＭＲＳはドップラーシフト、ドップラー拡散、平均遅延、遅延拡散及び／又は空間Ｒｘパラメータに対してＣＳＩ−ＲＳとＱＣＬされることができること」を指示するように定義されることができる。
【０５１７】
これは、（ＤＭＲＳの）「空間Ｒｘパラメータ」はＴＲＳではないＣＳＩ−ＲＳを通じてのみＱＣＬ仮定／指示されるようにして、ＣＳＩ−ＲＳをベースとするＤＬビーム運営に対する現在まで提案された技術に一致すべきであることを意味する。これは、ＮＲでのダイナミックポイント／ビーム選択動作を効率的に支援するためにさらに活用されることができる。
【０５１８】
結論として、タイプＢＱＣＬもＬＴＥと同様に支援されることができ、６ＧＨｚ超過の場合のタイプＢの説明にはＮＲで支援されるＤＬビーム運営動作に基づいてＴＲＳではないＣＳＩ−ＲＳを通じて指示される空間Ｒｘパラメータが含まれなければならない。
【０５１９】
ここで、ネットワーク柔軟性のために空間Ｒｘパラメータの適用可能範囲を次のように定義する中に、どのような動作／タイプに従うかはＲＲＣ、ＭＡＣ ＣＥ、及び／又はＤＣＩで設定／指示されることができる。
【０５２０】
第１実施形態）６ＧＨｚ超過の場合のタイプＢ：
【０５２１】
−ＴＲＳ（ソース／参照ＲＳ）→ＣＳＩ取得のためのＣＳＩ−ＲＳ（ターゲットＲＳ）：ドップラーシフト、ドップラー拡散及び／又は空間Ｒｘパラメータ
【０５２２】
−ＣＳＩ−ＲＳ（ソース／参照ＲＳ）→ＤＭＲＳ（ターゲットＲＳ）：ドップラーシフト、ドップラー拡散、平均遅延、遅延拡散、
【０５２３】
及び／又は
【０５２４】
第２実施形態）６ＧＨｚ超過の場合のタイプＢ：
【０５２５】
−ＴＲＳ（ソース／参照ＲＳ）→ＣＳＩ取得のためのＣＳＩ−ＲＳ（ターゲットＲＳ）：ドップラーシフト、ドップラー拡散及び／又は空間Ｒｘパラメータ
【０５２６】
−ＣＳＩ−ＲＳ（ソース／参照ＲＳ）→ＤＭＲＳ（ターゲットＲＳ）：ドップラーシフト、ドップラー拡散、平均遅延、遅延拡散及び／又は空間Ｒｘパラメータ
【０５２７】
図２０は、本発明の一実施形態によるＵＥのＣＳＩ−ＲＳ受信方法を例示したフローチャートである。本フローチャートと関連して前述した実施形態の説明が同様に／類似するように適用されることができ、重複する説明は省略する。
【０５２８】
まず、ＵＥはＳＳＢを受信することができる（Ｓ２０１０）。ここで、ＳＳＢとは、ＰＳＳ、ＳＳＳ及び／又はＰＢＣＨを含む特定ブロックを意味する。この場合、ＰＳＳ、ＳＳＳ及び／又はＰＢＣＨはＳＳＢ内で送信されることができる。
【０５２９】
次に、ＵＥは前記ＳＳＢと連携されたＣＳＩ−ＲＳを受信することができる。このときのＣＳＩ−ＲＳは周期的ＣＳＩ−ＲＳ又は非周期的ＣＳＩ−ＲＳに該当する。また、このときのＣＳＩ−ＲＳはＣＳＩ取得が目的でない、ビーム運用（Beam management）を目的として送信されるＣＳＩ−ＲＳでありうる。
【０５３０】
この場合、ＵＥはＣＳＩ−ＲＳとＳＳＢ間にＱＣＬ仮定を行って受信することができる。すなわち、ＣＳＩ−ＲＳはＳＳＢとＱＣＬ仮定されてＵＥに受信される。これは、ＣＳＩ−ＲＳとＳＳＢはＱＣＬ関係を有すると表現されることができる。あるいは、これは、ＣＳＩ−ＲＳを送信するアンテナポートとＳＳＢを送信するアンテナポート間にＱＣＬ関係／仮定が成立すると表現されることができる。または、これはＣＳＩ−ＲＳがマッピングされる（又は送信するのに用いられる）少なくとも１つのＣＳＩ−ＲＳ資源／構成とＳＳＢ間にＱＣＬ関係／仮定が成立すると表現されることができる。
【０５３１】
もし、ＣＳＩ−ＲＳが複数のＣＳＩ−ＲＳ資源にマッピングされる場合、ＱＣＬ仮定の適用（又は活性化）は各ＣＳＩ−ＲＳ資源単位で選択的に指示されることができる。このような適用（又は活性化）指示はＲＲＣシグナリングを通じてＵＥに受信されることができる。
【０５３２】
また、もし前記ＳＳＢとのＱＣＬ仮定が部分（partial）ＱＣＬ仮定に該当すると、ＣＳＩ−ＲＳのＱＣＬパラメータはＳＳＢから導出されたＱＣＬパラメータの部分集合（sub-set）に該当すると仮定されることができる。
【０５３３】
一方、本フローチャートには図示していないが、ＵＥのＣＳＩ−ＲＳ受信方法は、ＣＳＩ−ＲＳとＳＳＢ間のＱＣＬ仮定を指示するためのＱＣＬ情報を受信する段階をさらに含んでもよい。このときのＱＣＬ情報は、ＣＳＩ−ＲＳとＱＣＬされるＳＳＢのインデックス（又はＩＤ）、及びＱＣＬ仮定が適用されるＱＣＬパラメータセットに関するＱＣＬタイプを指示することができる。すなわち、ＱＣＬ情報は、ＳＳＢのインデックス（又はＩＤ）情報及びＱＣＬ仮定を適用するＱＣＬパラメータセットに関するＱＣＬタイプ情報を含んでもよい。このようなＱＣＬ情報は、ＲＲＣシグナリングを通じてＵＥに受信される。ＱＣＬタイプは、ＱＣＬタイプ別に異なるＱＣＬパラメータセットを指示するように事前に定義されていることもあり、ＱＣＬパラメータセットは、遅延拡散、ドップラー拡散、ドップラーシフト、平均利得、平均遅延及び／又は空間受信パラメータを含んでもよい。例えば、ＱＣＬタイプＡは、ドップラーシフト、平均遅延、空間ＱＣＬパラメータが含まれたＱＣＬパラメータセットを、ＱＣＬタイプＢはドップラーシフト、平均遅延パラメータが含まれたＱＣＬパラメータセットをそれぞれ指示するように事前に定義されていることがある。ここで、空間受信パラメータは受信ビーム方向パラメータ及び／又は受信ビーム幅関連パラメータを包含／意味することができる。
【０５３４】
ただ、ＣＳＩ−ＲＳとＳＳＢ間のＱＣＬ仮定のために指示されるＱＣＬタイプは、特定ＱＣＬタイプに事前に制限されていることもある。例えば、特定ＱＣＬタイプは、平均遅延、ドップラーシフト及び／又は空間受信パラメータを含むＱＣＬパラメータセットを指示するＱＣＬタイプに限定／制限されていることもある。従って、基地局はＣＳＩ−ＲＳとＳＳＢとの間のＱＣＬ仮定を指示／設定する場合、平均遅延、ドップラーシフト及び／又は空間受信パラメータを含む（又は、それらのうち少なくとも１つを有するように構成された）ＱＣＬパラメータセットを指示するＱＣＬタイプ内でのみＵＥに設定／指示することができる。
【０５３５】
本発明が適用できる装置一般
【０５３６】
図２１は、本発明の一実施形態による無線通信装置のブロック構成図を例示する。
【０５３７】
図２１に示すように、無線通信システムは、基地局（ｅＮＢ）２１１０と、基地局２１１０の領域内に位置する複数の端末（ＵＥ）２１２０とを含む。
【０５３８】
基地局２１１０は、プロセッサ（processor）２１１１、メモリ（memory）２１１２及びＲＦユニット（radio frequency unit）２１１３を含む。プロセッサ２１１１は、前述した実施形態で提案された機能、過程及び／又は方法を実現する。無線インタフェースプロトコルの階層は、プロセッサ２１１１により実現できる。メモリ２１１２は、プロセッサ２１１１に接続され、プロセッサ２１１１を駆動するための多様な情報を保存する。ＲＦユニット２１１３は、プロセッサ２１１１に接続され、無線信号を送信及び／又は受信する。
【０５３９】
端末２１２０は、プロセッサ２１２１、メモリ２１２２及びＲＦユニット２１２３を含む。プロセッサ２１２１は、前述した実施形態で提案された機能、過程及び／又は方法を実現する。無線インタフェースプロトコルの階層はプロセッサ２１２１により実現される。メモリ２１２２はプロセッサ２１２１に接続され、プロセッサ２１２１を駆動するための多様な情報を保存する。ＲＦユニット２１２３はプロセッサ２１２１に接続され、無線信号を送信及び／又は受信する。
【０５４０】
メモリ２１１２、２１２２は、プロセッサ２１１１、２１２１の内部又は外部に存在し、周知の多様な手段でプロセッサ２１１１、２１２１に接続される。また、基地局２１１０及び／又は端末２１２０は、１つのアンテナ（single antenna）又は複数のアンテナ（multiple antenna）を有することができる。  
【０５４１】
以上で説明された実施形態は本発明の構成要素と特徴が所定の形態に結合されたものである。各構成要素または特徴は、別途の明示的な言及がない限り、選択的なものとして考慮されなければならない。各構成要素または特徴は他の構成要素や特徴と結合されない形態に実施できる。また、一部の構成要素及び／又は特徴を結合して本発明の実施形態を構成することも可能である。本発明の実施形態で説明される動作の順序は変更可能である。ある実施形態の一部の構成や特徴は他の実施形態に含まれることができ、または他の実施形態の対応する構成または特徴と取替えられる。特許請求の範囲で明示的な引用関係がない請求項を結合して実施形態を構成するか、または出願後の補正により新たな請求項に含めることができることは明らかである。
【０５４２】
一方、本発明における「Ａ及び／又はＢ」とは、Ａ及び／又はＢの少なくとも１つを意味すると解釈されることができる。
【０５４３】
本発明に従う実施形態は多様な手段、例えば、ハードウェア、ファームウェア（ｆｉｒｍｗａｒｅ）、ソフトウェア、またはそれらの結合などにより具現化できる。ハードウェアによる具現化の場合、本発明の一実施形態は１つまたはその以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロ・プロセッサなどにより具現化できる。
【０５４４】
ファームウェアやソフトウェアによる具現化の場合、本発明の一実施形態は以上で説明された機能または動作を遂行するモジュール、手続、関数などの形態に具現化できる。ソフトウェアコードは、メモリに格納されてプロセッサにより駆動できる。前記メモリは、前記プロセッサ内部または外部に位置し、既に公知となった多様な手段により前記プロセッサとデータをやり取りすることができる。
【０５４５】
本発明は、本発明の必須的特徴を逸脱しない範囲で他の特定の形態に具体化できることは当業者に明らかである。したがって、前述した詳細な説明は全ての面から制約的に解析されてはならず、例示的なものとして考慮されなければならない。本発明の範囲は添付の請求項の合理的解析により決定されなければならず、本発明の等価的範囲内での全ての変更は本発明の範囲に含まれる。
【産業上の利用可能性】
【０５４６】
本発明は３ＧＰＰ  ＬＴＥ／ＬＴＥ−Ａ／ＮＲシステムに適用される例を中心として説明したが、３ＧＰＰ  ＬＴＥ／ＬＴＥ−Ａ／ＮＲシステムの他にも多様な無線通信システムに適用可能である。
【図１】
0006844006.tif 000022
【図２】
0006844006.tif 000023
【図３】
0006844006.tif 000024
【図４】
0006844006.tif 000025
【図５】
0006844006.tif 000026
【図６】
0006844006.tif 000027
【図７】
0006844006.tif 000028
【図８】
0006844006.tif 000029
【図９（ａ）】
0006844006.tif 000030
【図９（ｂ）】
0006844006.tif 000031
【図９（ｃ）】
0006844006.tif 000032
【図１０】
0006844006.tif 000033
【図１１】
0006844006.tif 000034
【図１２】
0006844006.tif 000035
【図１３】
0006844006.tif 000036
【図１４】
0006844006.tif 000037
【図１５】
0006844006.tif 000038
【図１６（ａ）】
0006844006.tif 000039
【図１６（ｂ）】
0006844006.tif 000040
【図１７】
0006844006.tif 000041
【図１８】
0006844006.tif 000042
【図１９】
0006844006.tif 000043
【図２０】
0006844006.tif 000044
【図２１】
0006844006.tif 000045